(57)【要約】  本発明は、ＬＴＥのような４Ｇ通信システム以降、より高いデータ伝送率をサポートするために提供される５Ｇ又はｐｒｅ−５Ｇ通信システムに関する。多様な実施形態によると、無線通信システムにおけるビーム管理のためのユーザ装置（ＵＥ）であって、ＵＥは基地局から少なくとも２つの送信（Ｔｘ）ビームのグループに対する送信信号を基地局（ＢＳ）から受信する少なくとも１つの送受信機及び少なくとも１つの送受信機に動作可能に接続された少なくとも１つのプロセッサを含む。少なくとも１つのプロセッサは、送信信号に基づいて、少なくとも２つの送信ビームのグループの各々から少なくとも１つの送信ビーム及び少なくとも１つの送信ビームの各々に対応する受信（Ｒｘ）ビームを含む受信ビームセットを識別し、前記受信ビームセットは少なくとも２つの送信ビームのグループに対して同じである。送受信機は少なくとも１つの送信ビーム又は受信ビームセットの内の少なくとも１つに対する情報を含む報告メッセージをＢＳに送信する。【選択図】図１１Ａ
2019531637.tif 000002
【特許請求の範囲】
【請求項１】
無線通信システムにおけるビーム管理のためのユーザ装置（ｕｓｅｒ  ｅｑｕｉｐｍｅｎｔ：ＵＥ）であって、
基地局（ｂａｓｅ  ｓｔａｔｉｏｎ：ＢＳ）から少なくとも２つの送信（ｔｒａｎｓｍｉｔ：Ｔｘ）ビームのグループに対する送信信号を受信する少なくとも１つの送受信機と、
前記少なくとも１つの送受信機に動作可能に接続される少なくとも１つのプロセッサと、を備え、
前記少なくとも１つのプロセッサは、前記送信信号に基づいて、前記少なくとも２つの送信ビームのグループの各々から少なくとも１つの送信ビーム及び前記少なくとも１つの送信ビームの各々に対応する受信（ｒｅｃｅｉｖｅ：Ｒｘ）ビームを含む受信ビームセットを識別し、
前記受信ビームセットは、前記少なくとも２つの送信ビームのグループに対して同じであり、
前記送受信機は、前記少なくとも１つの送信ビーム又は前記受信ビームセットの内の少なくとも１つに対する情報を含む報告メッセージを前記ＢＳに送信することを特徴とするユーザ装置。
【請求項２】
前記少なくとも１つの送受信機は、前記ＢＳから前記少なくとも２つの送信ビームのグループの中の送信ビームを識別するための制約条件を含む構成情報を受信し、
前記少なくとも１つのプロセッサは、
前記基地局によって構成された前記制約条件及び前記送信信号に基づいて前記少なくとも２つの送信ビームのグループの各々から前記少なくとも１つの送信ビームを識別し、
前記構成情報に基づいて前記少なくとも２つの送信ビームのグループの各々に関連付けられた情報を生成し、
前記送受信機は、前記少なくとも２つの送信ビームのグループの各々に関連付けられた情報を含む報告メッセージを送信することを特徴とする請求項１に記載のユーザ装置。
【請求項３】
前記少なくとも２つの送信ビームのグループの各々に関連付けられた情報は、前記少なくとも２つの送信ビームのグループの各々に対応する異なる品質をそれぞれ含むことを特徴とする請求項２に記載のユーザ装置。
【請求項４】
前記少なくとも２つの送信ビームのグループの各々のビームは、異なるアンテナパネルにそれぞれ対応し、
前記少なくとも２つの送信ビームのグループの各々のビームは、同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信されることを特徴とする請求項１に記載のユーザ装置。
【請求項５】
前記受信ビームセットは、少なくとも１つのアンテナパネル又はアンテナアレイに対応する少なくとも１つの受信ビームを含むことを特徴とする請求項１に記載のユーザ装置。
【請求項６】
前記少なくとも１つの送受信機は、複数のパネルをそれぞれ含む少なくとも２つの送受信ポイント（ｔｒａｎｓｍｉｓｓｉｏｎ  ａｎｄ  ｒｅｃｅｐｔｉｏｎ  ｐｏｉｎｔ：ＴＲＰ）から前記少なくとも２つの送信ビームのグループに含まれる前記送信信号を受信し、
前記少なくとも１つのプロセッサは、前記構成情報に基づいて前記少なくとも２つの送信ビームのグループに対する前記送信信号を測定し、
前記少なくとも１つの送受信機は、少なくとも１つの送受信ポイント（ＴＲＰ）に関連付けられた前記送信信号に対する情報を含む前記報告メッセージを送信することを特徴とする請求項１に記載のユーザ装置。
【請求項７】
前記少なくとも２つのＴＲＰに対してジョイントトランスミッション（ｊｏｉｎｔ  ｔｒａｎｓｍｉｓｓｉｏｎ：ＪＴ）、動的送信ポイント切替（ｄｙｎａｍｉｃ  ｐｏｉｎｔ  ｓｅｌｅｃｔｉｏｎ：ＤＰＳ）、又は干渉制御（ｉｎｔｅｒｆｅｒｅｎｃｅ  ｃｏｏｒｄｉｎａｔｉｏｎ）の内の少なくとも１つが適用され、
前記少なくとも２つの送信ビームのグループの各々の前記識別された少なくとも１つの送信ビームに対応する少なくとも１つの受信ビームは、前記受信ビームセットのように前記少なくとも２つの送信ビームのグループの全てに対して同じであることを特徴とする請求項６に記載のユーザ装置。
【請求項８】
無線通信システムにおけるビーム管理のための基地局（ｂａｓｅ  ｓｔａｔｉｏｎ：ＢＳ）であって、
少なくとも１つのプロセッサと、
前記少なくとも１つのプロセッサに動作可能に接続される少なくとも１つの送受信機と、を備え、
前記少なくとも１つの送受信機は、
少なくとも２つの送信（ｔｒａｎｓｍｉｔ：Ｔｘ）ビームのグループに対する送信信号をユーザ装置（ｕｓｅｒ  ｅｑｕｉｐｍｅｎｔ：ＵＥ）に送信し、
前記ＵＥから、受信（ｒｅｃｅｉｖｅ：Ｒｘ）ビームセットの少なくとも１つの送信ビームに対する少なくとも１つの情報を含む報告メッセージを受信し、
前記少なくとも１つの送信ビームは、基準信号に基づいて前記少なくとも２つの送信ビームのグループの各々から前記ＵＥによって識別され、
前記受信ビームセットは、前記少なくとも１つの送信ビームの各々に対応し、前記少なくとも２つの送信ビームのグループに対して同じであることを特徴とする基地局。
【請求項９】
前記少なくとも１つの送受信機は、
前記少なくとも２つの送信ビームのグループの中の送信ビームを識別するための制約条件を含む構成情報を前記ＵＥに送信し、
前記少なくとも２つの送信ビームのグループの各々に関連付けられた情報を含む前記報告メッセージを受信することを特徴とする請求項８に記載の基地局。
【請求項１０】
前記少なくとも２つの送信ビームのグループの各々に関連付けられた情報は、サービンググループ（ｓｅｒｖｉｎｇ  ｇｒｏｕｐ）及びコンパニオングループ（ｃｏｍｐａｎｉｏｎ  ｇｒｏｕｐ）にそれぞれ対応する異なる品質を含み、
前記受信ビームセットは、少なくとも１つのアンテナパネル又はアンテナアレイに対応する少なくとも１つの受信ビームを含むことを特徴とする請求項９に記載の基地局。
【請求項１１】
前記少なくとも２つの送信ビームのグループの各々のビームは、異なるアンテナパネルにそれぞれ対応し、
前記少なくとも２つの送信ビームのグループの各々のビームは、同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信されることを特徴とする請求項８に記載の基地局。
【請求項１２】
前記送受信機は、
複数のパネルをそれぞれ含む少なくとも２つの送受信ポイント（ｔｒａｎｓｍｉｓｓｉｏｎ  ａｎｄ  ｒｅｃｅｐｔｉｏｎ  ｐｏｉｎｔ：ＴＲＰ）から前記少なくとも２つの送信ビームのグループに含まれる前記送信信号を送信し、
少なくとも１つの送受信ポイント（ＴＲＰ）に関連付けられた前記送信信号に対する情報を含む前記報告メッセージを受信することを特徴とする請求項８に記載の基地局。
【請求項１３】
前記少なくとも２つのＴＲＰに対してジョイントトランスミッション（ｊｏｉｎｔ  ｔｒａｎｓｍｉｓｓｉｏｎ：ＪＴ）、動的送信ポイント切替（ｄｙｎａｍｉｃ  ｐｏｉｎｔ  ｓｅｌｅｃｔｉｏｎ：ＤＰＳ）、又は干渉制御（ｉｎｔｅｒｆｅｒｅｎｃｅ  ｃｏｏｒｄｉｎａｔｉｏｎ）の内の少なくとも１つが適用され、
前記少なくとも２つの送信ビームのグループの各々の前記識別された少なくとも１つの送信ビームに対応する少なくとも１つの受信ビームは、前記受信ビームセットのように前記少なくとも２つの送信ビームのグループの全てに対して同じであることを特徴とする請求項１２に記載の基地局。
【請求項１４】
請求項１乃至７のいずれか一項を具現するように構成されることを特徴とするユーザ装置を動作させる方法。
【請求項１５】
請求項８乃至１３のいずれか一項を具現するように構成されることを特徴とする基地局を動作させる方法。
【発明の詳細な説明】
【技術分野】
【０００１】
本発明は、一般的に進歩した通信システムに関し、より詳細には、無線通信システムにおけるビーム測定（ｂｅａｍ  ｍｅａｓｕｒｅｍｅｎｔ）及び管理（ｍａｎａｇｅｍｅｎｔ）に関する。
【背景技術】
【０００２】
４Ｇ通信システムの商用化以降、増加の趨勢にある無線データトラフィック需要を充足させるために、改善された５Ｇ通信システム又はｐｒｅ−５Ｇ通信システムを開発するための努力が注がれている。このような理由で、５Ｇ通信システム又はｐｒｅ−５Ｇ通信システムは、「４Ｇネットワーク以降の（Ｂｅｙｏｎｄ  ４Ｇ  Ｎｅｔｗｏｒｋ）通信システム」又は「ＬＴＥシステム以降（Ｐｏｓｔ  ＬＴＥ）のシステム」と呼ばれている。
【０００３】
高いデータ伝送率を達成するために、５Ｇ通信システムは、超高周波（ｍｍＷａｖｅ）帯域（例えば、２０ギガ（６０ＧＨｚ）帯域）での具現が考慮されている。超高周波帯域での電波の経路損失を緩和して電波の伝達距離を増加させるために、５Ｇ通信システムでは、ビームフォーミング（ｂｅａｍｆｏｒｍｉｎｇ）、マッシブマイモ（ｍａｓｓｉｖｅ  ＭＩＭＯ）、全次元ＭＩＭＯ（Ｆｕｌｌ  Ｄｉｍｅｎｓｉｏｎａｌ  ＭＩＭＯ：ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、Ｄ２Ｄ通信（Ｄｅｖｉｃｅ  ｔｏ  Ｄｅｖｉｃｅ  ｃｏｍｍｕｎｉｃａｔｉｏｎ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協調通信（ｃｏｏｐｅｒａｔｉｖｅ  ｃｏｍｍｕｎｉｃａｔｉｏｎ）、ＣｏＭＰ（Ｃｏｏｒｄｉｎａｔｅｄ  Ｍｕｌｔｉ−Ｐｏｉｎｔｓ）、受信干渉除去（ｉｎｔｅｒｆｅｒｅｎｃｅ  ｃａｎｃｅｌｌａｔｉｏｎ）などの技術開発が行われている。
【０００５】
その他、５Ｇシステムでは、改善されたコーディング変調（Ａｄｖａｎｃｅｄ  Ｃｏｄｉｎｇ  Ｍｏｄｕｌａｔｉｏｎ：ＡＣＭ）技術であるＦＱＡＭ（Ｈｙｂｒｉｄ  ＦＳＫ  ａｎｄ  ＱＡＭ  Ｍｏｄｕｌａｔｉｏｎ）及びＳＷＳＣ（Ｓｌｉｄｉｎｇ  Ｗｉｎｄｏｗ  Ｓｕｐｅｒｐｏｓｉｔｉｏｎ  Ｃｏｄｉｎｇ）と、進歩したアクセス技術であるＦＢＭＣ（Ｆｉｌｔｅｒ  Ｂａｎｋ  Ｍｕｌｔｉ  Ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
２０２０年頃に最初の商業化の開始が見込まれる５世代（５Ｇ）移動通信は、産業及び学界の多様な候補技術に対する全世界技術活動で最近モメンタムが増加している。５Ｇ移動通信の候補要素は、ビームフォーミング利得を提供して増加した容量をサポートするための、レガシーなセルラー周波数帯域から高周波数までの大規模アンテナ技術、多様な要求事項を有する各種サービス／アプリケーションを柔軟に受け入れるための新しいウェーブ（例えば、新しい無線アクセス技術（ｒａｄｉｏ  ａｃｃｅｓｓ  ｔｅｃｈｎｏｌｏｇｙ；ＲＡＴ））、大規模接続をサポートするための新しい多重アクセス方式などを含む。ＩＴＵ（Ｉｎｔｅｒｎａｔｉｏｎａｌ  Ｔｅｌｅｃｏｍｍｕｎｉｃａｔｉｏｎ  Ｕｎｉｏｎ）は、２０２０年以降、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）の使用シナリオを、ｅＭＢＢ（ｅｎｈａｎｃｅｄ  ｍｏｂｉｌｅ  ｂｒｏａｄｂａｎｄ）、大規模ＭＴＣ（ｍａｃｈｉｎｅ  ｔｙｐｅ  ｃｏｍｍｕｎｉｃａｔｉｏｎ）、ＵＲＬＬ（ｕｌｔｒａ  ｒｅｌｉａｂｌｅ  ａｎｄ  ｌｏｗ  ｌａｔｅｎｃｙ：超高信頼低遅延）通信といった３つの主なグループに分類した。また、ＩＴＣは、秒当たり２０ギガビット（Ｇｂ／ｓ）の最大データ速度、秒当たり１００メガビット（Ｍｂ／ｓ）のユーザ経験データ速度、３倍のスペクトル効率改善、時間当たり最大５００キロメートル（ｋｍ／ｈ）の移動性サポート、１ミリ秒（ｍｓ）レイテンシ、１０６個装置／ｋｍ２の接続密度、１００倍のネットワークエネルギー効率向上、及び１０Ｍｂ／ｓ／ｍ２の面積トラフィック容量といった目標要求事項を明示した。全ての要求事項を同時に満たす必要はないが、５Ｇネットワーク設計は、上記要求事項の内の一部を満たす多様なアプリケーションを使用ケース毎にサポートする柔軟性を提供する。
【０００７】
上記情報は、本発明の理解を助けるための背景情報として提供される。上記事項の内のどれが本発明に関して先行技術として適用されるかについては、いかなる決定もなされておらず、主張もなされていない。
【発明の概要】
【発明が解決しようとする課題】
【０００８】
本発明は、上記従来技術に鑑みてなされたものであって、本発明の目的は、無線通信システムにおけるビーム管理のためのユーザ装置（ＵＥ）及び基地局（ＢＳ）を提供することにある。
【課題を解決するための手段】
【０００９】
上記目的を達成するためになされた本発明の一態様による無線通信システムにおけるビーム管理のためのユーザ装置（ｕｓｅｒ  ｅｑｕｉｐｍｅｎｔ：ＵＥ）は、異なるアンテナパネルから生成される送信（ｔｒａｎｓｍｉｔ：Ｔｘ）信号を含む少なくとも２つの送信ビームのグループを基地局（ＢＳ）から受信し、少なくとも２つの送信ビームのグループは、基準信号を介して送信され、少なくとも２つの送信ビームのグループに対する選択制約条件を含む構成情報をＢＳから受信する送受信機を備え、ＵＥは、送受信機に動作可能に接続される少なくとも１つのプロセッサを更に含み、少なくとも１つのプロセッサは、構成情報に基づいて少なくとも２つの送信ビームのグループの各々から少なくとも１つの送信ビームを測定し、少なくとも２つの送信ビームのグループの各々から少なくとも１つの送信ビームを選択し、各々の選択された送信ビームに対応する受信ビームと同じ受信ビームセットを選択する。ＵＥは、選択された送信ビーム及び受信ビームに対応する選択された同じ受信ビームセットの情報を含む報告メッセージをＢＳに送信する送受信機を更に含む。
【００１０】
上記目的を達成するためになされた本発明の一態様による無線通信システムにおけるビーム管理のための基地局（ｂａｓｅ  ｓｔａｔｉｏｎ：ＢＳ）は、少なくとも１つのプロセッサ及び少なくとも１つのプロセッサに動作可能に接続される送受信機を備え、送受信機は、異なるアンテナパネルから生成される送信（ｔｒａｎｓｍｉｔ：Ｔｘ）信号を含む少なくとも２つの送信ビームのグループを、測定のためユーザ装置（ＵＥ）に送信し、少なくとも２つの送信ビームのグループは基準信号を介して送信され、少なくとも２つの送信ビームのグループに対する選択制約条件を含む構成情報をＵＥに送信し、選択された送信ビームの情報及び同じ受信（ｒｅｃｅｉｖｅ：Ｒｘ）ビームセットの情報を含む報告メッセージをＵＥから受信する。選択された送信ビームはＵＥによって少なくとも２つの送信ビームのグループの各々から選択され、選択された同じ受信ビームセットは少なくとも２つの送信ビームのグループから測定された送信ビームにそれぞれ対応する。
【００１１】
更に他の実施形態で、無線通信システムにおけるビーム管理のためのユーザ装置（ＵＥ）の動作方法は、異なるアンテナパネルから生成された送信（ｔｒａｎｓｍｉｔ：Ｔｘ）信号を含む少なくとも２つの送信ビームのグループを基地局（ＢＳ）から受信するステップと、少なくとも２つの送信ビームのグループに対する選択制約条件を含む構成情報をＢＳから受信するステップと、構成情報に基づいて少なくとも２つの送信ビームのグループの各々から少なくとも１つの送信ビームを測定するステップと、少なくとも２つの送信ビームのグループの各々から少なくとも１つの送信ビームを選択し、各々の選択された送信ビームに対応する受信ビームと同じ受信ビームセットを選択するステップと、選択された送信ビーム及び受信ビームに対応する選択された同じ受信ビームセットの情報を含む報告メッセージをＢＳに送信するステップと、を有する。
【００１２】
他の技術的特徴は、下記の図面、説明、及び請求範囲から当業者に容易に明白になる。
【００１３】
以下の詳細な説明の前に、本明細書全体に亘って用いられる特定の単語及び文句の定義を記載することが役に立つ。用語「カップル（ｃｏｕｐｌｅ）」及びその派生語は２つ以上の要素の間のある直接又は間接通信を指すか、或いはそれらの要素が互いに物理的に接触しているか否かを示す。用語「送信（ｔｒａｎｓｍｉｔ）」、「受信（ｒｅｃｅｉｖｅ）」、及び「通信（ｃｏｍｍｕｎｉｃａｔｅ）」、並びにその派生語は直接通信及び間接通信をいずれも含む。用語「含む（ｉｎｃｌｕｄｅ）」及び「構成する（ｃｏｍｐｒｉｓｅ）」、並びにその派生語は制限なく含むことを意味する。用語「又は（ｏｒ）」は包括的用語であって、「及び／又は」を意味する。文句「〜に関連付けられる（ａｓｓｏｃｉａｔｅｄ  ｗｉｔｈ）」及びその派生語は、〜を含む（ｉｎｃｌｕｄｅ）、〜に含まれる（ｂｅ  ｉｎｃｌｕｄｅｄ  ｗｉｔｈｉｎ）、〜と結合する（ｉｎｔｅｒｃｏｎｎｅｃｔ  ｗｉｔｈ）、〜を含有する（ｃｏｎｔａｉｎ）、〜に含まれる（ｂｅ  ｃｏｎｔａｉｎｅｄ  ｗｉｔｈｉｎ）、〜に接続する（ｃｏｎｎｅｃｔ  ｔｏ  ｏｒ  ｗｉｔｈ）、〜と結合する（ｃｏｕｐｌｅ  ｔｏ  ｏｒ  ｗｉｔｈ）、〜伝達する（ｂｅ  ｃｏｍｍｕｎｉｃａｂｌｅ  ｗｉｔｈ）、〜と協力する（ｃｏｏｐｅｒａｔｅ  ｗｉｔｈ）、〜を挟む（ｉｎｔｅｒｌｅａｖｅ）、〜を並べる（ｊｕｘｔａｐｏｓｅ）、〜に隣接する（ｂｅ  ｐｒｏｘｉｍａｔｅ  ｔｏ）、縛る／縛られる（ｂｅ  ｂｏｕｎｄ  ｔｏ  ｏｒ  ｗｉｔｈ）、所有する（ｈａｖｅ）、属性を有する（ｈａｖｅ  ａ  ｐｒｏｐｅｒｔｙ  ｏｆ）、〜と関係を有する（ｈａｖｅ  ａ  ｒｅｌａｔｉｏｎｓｈｉｐ  ｔｏ  ｏｒ  ｗｉｔｈ）などを意味する。用語「制御機（ｃｏｎｔｒｏｌｌｅｒ）」は、少なくとも１つの動作を制御するある装置、システム、又はその一部を意味する。このような制御機は、ハードウェア、又はハードウェアとソフトウェアとの組み合わせ、及び／又はファームウェアで具現される。特定のコントローラに関連付けられた機能はローカル又は遠隔で中央集中方式で処理（ｃｅｎｔｒａｌｉｚｅｄ）されるか、又は分散方式で処理（ｄｉｓｔｒｉｂｕｔｅｄ）される。文句「少なくとも１つ」は、それが項目のリストと共に用いられる場合、並べられた項目のうちの１つ以上の異なる組み合わせが用いられることを意味する。例えば、「Ａ、Ｂ、及びＣの内の少なくとも１つ」は次の組み合わせ、即ちＡ、Ｂ、Ｃ、ＡとＢ、ＡとＣ、ＢとＣ、更にはＡとＢとＣの内のいずれか１つを含む。
【００１４】
また、後述する各種機能はコンピュータ読み取り可能なプログラムコードで形成されてコンピュータ読み取り可能な記録媒体で具現される１つ以上のコンピュータプログラムの各々によって具現又はサポートされる。用語「アプリケーション」及び「プログラム」は、１つ以上のコンピュータプログラム、ソフトウェアコンポーネント、命令セット、手順、関数、オブジェクト、クラス、インスタンス、関連データ、又は適したコンピュータ読み取り可能なプログラムコードでの具現用に構成されたその一部を指す。文句「コンピュータ読み取り可能なプログラムコード」は、ソースコード、オブジェクトコード、及び実行可能なコードを含むコンピュータコードの種類を含む。文句「コンピュータ読み取り可能な記録媒体」は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスクドライブ、コンパクトディスク（ＣＤ）、デジタルビデオディスク（ＤＶＤ）、又は任意の他のタイプのメモリといった、コンピュータによってアクセスされる任意のタイプの媒体を含む。「非一時的な」コンピュータ読み取り可能な記録媒体は、有線、無線、光学、一時的な電気的又は他の信号を伝達する通信リンクを除く。非一時的コンピュータ読み取り可能な記録媒体は、データが永続的に保存される媒体、そして再記録が可能な光ディスク又は消去可能なメモリ装置といったデータが保存された後で上書きされる記録媒体を含む。
【００１５】
他の特定の単語及び文句に対する定義がこの明細書全般に亘って提供される。当業者は大半の場合ではないにしろ多くの場合において、このような定義が従来だけでなくそのように定義された単語及び文句の将来の使用に適用され得ることを理解すべきである。
【発明の効果】
【００１６】
本発明によれば、５Ｇ通信システムにおけるビーム管理を適切に行うことができる。
【図面の簡単な説明】
【００１７】
【図１】本発明の一実施形態による例示的な無線ネットワークを示す図である。
【図２】本発明の一実施形態による例示的なｅＮＢを示す図である。
【図３】本発明の一実施形態による例示的なＵＥを示す図である。
【図４Ａ】本発明の一実施形態による直交周波数分割多重アクセス送信経路の例示的なハイ−レベルダイヤグラムを示す図である。
【図４Ｂ】本発明の一実施形態による直交周波数分割多重アクセス受信経路の例示的なハイ−レベルダイヤグラムを示す図である。
【図５】本発明の一実施形態による例示的なネットワークスライシングを示す図である。
【図６】本発明の一実施形態による例示的な数のデジタルチェーンを示す図である。
【図７】本発明の一実施形態による例示的なアナログビームフォーミングを示す図である。
【図８】本発明の一実施形態による例示的なハイ−レベル初期アクセス及びビーム関連手順を示す図である。
【図９】本発明の一実施形態によるサービングセルのカバレッジ領域内及びその周辺の例示的なネットワークノード通信を示す図である。
【図１０Ａ】本発明の一実施形態による単一送／受信ポイント（ＴＲＰ）からの単一ビームの例を示す図である。
【図１０Ｂ】本発明の一実施形態による例示的な２つのカバレッジビームを示す図である。
【図１０Ｃ】本発明の一実施形態による他の例示的な２つのカバレッジビームを示す図である。
【図１１Ａ】本発明の一実施形態によって制御信号を受信してＢＩ及びビームＲＳＲＰを測定及び報告する方法を示すフローチャートである。
【図１１Ｂ】本発明の一実施形態によるサービング及びコンパニオンビームグループの例を示す図である。
【図１２】本発明の一実施形態による物理ダウンリンク制御チャネル（ＰＤＣＣＨ）デコーディング方法を示すフローチャートである。
【図１３】本発明の一実施形態による物理ダウンリンク共有チャネル（ＰＤＳＣＨ）デコーディング方法を示すフローチャートである。
【図１４】本発明の一実施形態による例示的な共同ビーム状態情報（ＢＳＩ）及びチャネル状態情報（ＣＳＩ）の報告を示す図である。
【図１５】本発明の一実施形態によるしきい値に基づいた例示的なビームインデックス（ＢＩ）選択を示す図である。
【図１６】本発明の一実施形態によるグルーピング及びしきい値に基づいた例示的なＢＩ選択を示す図である。
【図１７Ａ】本発明の一実施形態によるＵＥの例示的な受信（ｒｅｃｅｉｖｅ：Ｒｘ）モードを示す図である。
【図１７Ｂ】本発明の一実施形態によるＵＥの他の例示的な受信（ｒｅｃｅｉｖｅ：Ｒｘ）モードを示す図である。
【図１８】本発明の一実施形態による受信モード動作のための方法を示すフローチャートである。
【図１９】本発明の一実施形態によるビーム管理方法を示すフローチャートである。
【発明を実施するための形態】
【００１８】
以下、本発明を実施するための形態の具体例を、図面を参照しながら詳細に説明する。図面における類似の符号は類似の部分を示す。
【００１９】
以下で説明する図１〜１９、及び本明細書における本発明の原理を説明するために用いられる各種実施形態は例示の方法のみによるものであって、いかなる方式でも本発明の範囲を制限するものとして解釈されてはならない。本発明の原理は任意の適切に構成されたシステム又は装置で具現され得ることを当業者は理解できる。
【００２０】
次の文献、即ち３ＧＰＰ  ＴＳ  ３６．２１１  ｖ１３．０．０、“Ｅ−ＵＴＲＡ、Ｐｈｙｓｉｃａｌ  ｃｈａｎｎｅｌｓ  ａｎｄ  ｍｏｄｕｌａｔｉｏｎ（ＲＥＦ１）；”３ＧＰＰ  ＴＳ  ３６．２１２  ｖ１３．０．０、“Ｅ−ＵＴＲＡ、Ｍｕｌｔｉｐｌｅｘｉｎｇ  ａｎｄ  Ｃｈａｎｎｅｌ  ｃｏｄｉｎｇ（ＲＥＦ２）；”３ＧＰＰ  ＴＳ  ３６．２１３  ｖ１３．０．０、“Ｅ−ＵＴＲＡ、Ｐｈｙｓｉｃａｌ  Ｌａｙｅｒ  Ｐｒｏｃｅｄｕｒｅｓ（ＲＥＦ３）；”３ＧＰＰ  ＴＳ  ３６．３２１  ｖ１３．０．０、“Ｅ−ＵＴＲＡ、Ｍｅｄｉｕｍ  Ａｃｃｅｓｓ  Ｃｏｎｔｒｏｌ（ＭＡＣ）ｐｒｏｔｏｃｏｌ  ｓｐｅｃｉｆｉｃａｔｉｏｎ（ＲＥＦ４）；”及び３ＧＰＰ  ＴＳ  ３６．３３１  ｖ１３．０．０、“Ｒａｄｉｏ  Ｒｅｓｏｕｒｃｅ  Ｃｏｎｔｒｏｌ（ＲＲＣ）  Ｐｒｏｔｏｃｏｌ  Ｓｐｅｃｉｆｉｃａｔｉｏｎ（ＲＥＦ５）”は、本明細書で完全に説明されるように参照として本発明に統合される。
【００２１】
下記の図１〜図４Ｂは、無線通信システムで具現され、またＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）又はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信技術を用いて具現される多様な実施形態を説明する。図１〜図３の説明は異なる実施形態が具現される方式に対する物理的又は構造的制限を示すことを意味するものではない。本発明の異なる実施形態は任意の適切に構成された通信システムで具現され得る。
【００２２】
図１は、本発明の一実施形態による、例示的な無線ネットワーク１００を示す図である。図１に示す無線ネットワーク１００の実施形態は単なる説明のためのものである。無線ネットワーク１００に対する他の実施形態が本発明の範囲から逸脱しない範囲内で用いられる。
【００２３】
図１に示すように、無線ネットワーク１００は、ｅＮＢ（基地局：ＢＳ）１０１、ｅＮＢ１０２、及びｅＮＢ１０３を含む。ｅＮＢ１０１は、ｅＮＢ１０２及びｅＮＢ１０３と通信する。また、ｅＮＢ１０１は、少なくとも１つのネットワーク１３０、例えばインターネット、専用ＩＰ（Ｉｎｔｅｒｎｅｔ  Ｐｒｏｔｏｃｏｌ）ネットワーク、又は他のデータネットワークと通信する。
【００２４】
ｅＮＢ１０２は、ｅＮＢ１０２のカバレッジ領域１２０内にある第１の複数のユーザ装置（ＵＥ）に、ネットワーク１３０への無線広帯域アクセスを提供する。第１の複数のＵＥは中小企業（ＳＢ）に位置するＵＥ１１１、大企業（Ｅ）に位置するＵＥ１１２、ワイファイホットスポット（ＨＳ）に位置するＵＥ１１３、第１の住居地域（Ｒ）に位置するＵＥ１１４、第２の住居地域（Ｒ）に位置するＵＥ１１５、及び携帯電話、無線ラップトップ、無線ＰＤＡなどといったモバイル装置（Ｍ）であるＵＥ１１６を含む。ｅＮＢ１０３は、ｅＮＢ１０３のカバレッジ領域内にある第２の複数のＵＥにネットワーク１３０への無線広帯域アクセスを提供する。第２の複数のＵＥは、ＵＥ１１５及びＵＥ１１６を含む。いくつかの実施形態で、ｅＮＢ（１０１〜１０３）の内の１つ以上のｅＮＢは、５Ｇ、ＬＴＥ、ＬＴＥ−Ａ、ＷｉＭＡＸ、ＷｉＦｉ、又は他の無線通信技術を用いて互いに、及びＵＥ（１１１〜１１６）と通信する。
【００２５】
ネットワークタイプによって、「基地局」又は「ＢＳ」という用語は、ネットワークに無線アクセスを提供するコンポーネント（又はコンポーネント集合）、例えば送信ポイント（ＴＰ）、送−受信ポイント（ＴＲＰ）、向上した基地局（ｅＮｏｄｅＢ又はｅＮＢ）、５Ｇ基地局（ｇＮＢ）、マクロセル、フェムトセル、ＷｉＦｉアクセスポイント（ＡＰ）、又はその他の無線可能な装置を指す。基地局は、１つ以上の無線通信プロトコル、例えば５Ｇ  ３ＧＰＰの新しい無線インタフェース／アクセス（ＮＲ）、ＬＴＥ（ｌｏｎｇ  ｔｅｒｍ  ｅｖｏｌｕｔｉｏｎ）、ＬＴＥ−Ａ（ＬＴＥ−ａｄｖａｎｃｅｄ）、ＨＳＰＡ（ｈｉｇｈ  ｓｐｅｅｄ  ｐａｃｋｅｔ  ａｃｃｅｓｓ）、Ｗｉ−Ｆｉ８０２．１１ａ／ｂ／ｇ／ｎ／ａｃなどによって無線アクセスを提供する。便宜上、用語「ＢＳ」及び「ＴＲＰ」は、本明細書で、遠隔端末に対する無線アクセスを提供するネットワークインフラストラクチャを指すために相互交換的に用いられる。また、ネットワークタイプによって、「ユーザ装置」又は「ＵＥ」という用語は、「移動局」、「加入者局」、「遠隔端末」、「無線端末」、「端末」、「受信ポイント」、又は「ユーザ装置」といった任意のコンポーネントを指す。便宜上、用語「ユーザ装置」及び「ＵＥ」は、ＵＥが移動装置（例えば、携帯電話又はスマートフォン）であろうと一般に考慮される固定式装置（例えば、デスクトップコンピュータ又はベンディングマシン）であろうと、ＢＳに無線でアクセスする遠隔無線装備を指すものとして本明細書で用いられる。
【００２６】
点線は、単なる例示及び説明の目的で略円形で示すカバレッジ領域（１２０及び１２５）の概略的な範囲を示す。ｅＮＢに関連付けられたカバレッジ領域、例えば、カバレッジ領域（１２０及び１２５）は、ｅＮＢの構成、並びに自然及び人工障害物に関連付けられた無線環境の変化によって、不規則な形態を含む他の形態を有し得ることを明確に理解すべきである。
【００２７】
以下、詳しく説明するように、ＵＥ（１１１〜１１６）の内の１つ以上は、進歩した無線通信システムにおけるＰＵＣＣＨに対する効率的なＣＳＩ報告のために、回路、プログラム、又はそれらの組み合わせを含む。特定の実施形態で、ｅＮＢ（１０１〜１０３）の内の１つ以上は、進歩した無線通信システムでＰＵＣＣＨに対する効率的なＣＳＩ報告を受信するための回路、プログラム、又はこれらの組み合わせを含む。
【００２８】
図１は、無線ネットワークの一例を示すが、多様な変更が図１に対して行われ得る。例えば、無線ネットワークは、任意の適切な配列で任意の個数のｅＮＢ及び任意の個数のＵＥを含む。また、ｅＮＢ１０１は、任意の個数のＵＥと直接通信し、該ＵＥにネットワーク１３０への無線広帯域アクセスを提供する。これと同様に、各ｅＮＢ（１０２、１０３）は、ネットワーク１３０と直接通信し、ＵＥにネットワーク１３０への直接無線広帯域アクセスを提供する。また、ｅＮＢ（１０１、１０２、及び／又は１０３）は、外部の電話ネットワーク又は他のタイプのデータネットワークのような他の又は追加的な外部ネットワークへのアクセスを提供する。
【００２９】
図２は、本発明の一実施形態による例示的なｅＮＢ１０２を示す図である。図２に示すｅＮＢ１０２の実施形態は単なる説明のためのものであって、図１のｅＮＢ（１０１及び１０３）は同じ又は類似の構成を有し得る。しかし、ｅＮＢは各種の多様な構成からなり、図２はｅＮＢに対する任意の特定の具現で本発明の範囲を制限しない。
【００３０】
図２に示すように、ｅＮＢ１０２は、複数のアンテナ（２０５ａ〜２０５ｎ）、複数のＲＦ送受信機（２１０ａ〜２１０ｎ）、送信（ＴＸ）処理回路２１５、及び受信（ＲＸ）処理回路２２０を含む。また、ｅＮＢ１０２は、コントローラ／プロセッサ２２５、メモリ２３０、バックホール又はネットワークインタフェース２３５を含む。
【００３１】
ＲＦ送受信機（２１０ａ〜−２１０ｎ）は、アンテナ（２０５ａ〜２０５ｎ）から、ネットワーク１００内でＵＥによって送信される信号のような入力（ｉｎｃｏｍｉｎｇ）ＲＦ信号を受信する。ＲＦ送受信機（２１０ａ〜２１０ｎ）は、入力ＲＦ信号をダウンコンバート（ｄｏｗｎ−ｃｏｎｖｅｒｔ）して、ＩＦ又は基底帯域信号を生成する。ＩＦ又は基底帯域信号は、基底帯域又はＩＦ信号をフィルタリング、デコーディング、及び／又はデジタル化することによって処理された基底帯域信号を生成するＲＸ処理回路２２０に伝送される。ＲＸ処理回路２２０は、処理された基底帯域信号を、追加的な処理のためにコントローラ／プロセッサ２２５に送信する。
【００３２】
一部の実施形態で、ＲＦ送受信機（２１０ａ〜２０１ｎ）は、ＭＩＭＯ通信技術を用いて異なるアンテナパネルに対応する送信信号を含むビームグループを送信することが可能であり、ビームグループに対する選択制約条件を送信する。
【００３３】
一部の実施形態で、ＲＦ送受信機（２１０ａ〜２０１ｎ）は、ＵＥで受信されたビームの情報を含む報告メッセージをＵＥから受信する。このような実施形態で、ＵＥは構成情報を用いてビームグループからビームを測定する。このような実施形態で、少なくとも２つのグループの各々に対して、同じ受信ビームセット内の受信ビームがＵＥによって選択される。選択された受信ビームは、ＵＥによって測定されたビームに対応する。
【００３４】
このような実施形態で、受信ビームセットは、アンテナパネル又はアンテナアレイに対応する少なくとも１つの受信ビームを含み、上記情報は異なる送信信号品質を含む。このような実施形態で、異なる送信信号品質は該信号の品質に基づいて少なくとも２つのグループに分類される。異なるアンテナパネル又はアンテナアレイに対応する各々のビームは同じＯＦＤＭシンボルで送信される。
【００３５】
一部の実施形態で、ＲＦ送受信機（２１０ａ〜２０１ｎ）は、複数のパネルを含むＴＲＰを用いて送信信号を送信でき、送信信号の情報を含む報告メッセージを受信する。このような実施形態で、ＪＴ、ＤＰＳ、又は干渉制御がＴＲＰに適用される。
【００３６】
ＴＸ処理回路２１５は、コントローラ／プロセッサ２２５からアナログ又はデジタルデータ（例えば、音声データ、ウェブデータ、電子メール、又は双方向ビデオゲームデータ）を受信する。ＴＸ処理回路２１５は、送出（ｏｕｔｇｏｉｎｇ）基底帯域データをエンコーディング、マルチプレキシング、及び／又はデジタル化して、処理された基底帯域又はＩＦ信号を生成する。ＲＦ送受信機（２１０ａ〜２１０ｎ）は、ＴＸ処理回路２１５から、送出処理された基底帯域又はＩＦ信号を受信し、その基底帯域又はＩＦ信号を、アンテナ（２０５ａ〜２０５ｎ）を介して送信されるＲＦ信号にアップコンバートする。
【００３７】
コントローラ／プロセッサ２２５は、ｅＮＢ１０２の全般的な動作を制御する１つ以上のプロセッサ又は他の処理装置を含む。例えば、コントローラ／プロセッサ２２５は、周知の原理に従って、ＲＦ送受信機（２１０ａ〜２１０ｎ）、ＲＸ処理回路２２０、及びＴＸ処理回路２１５によって順方向チャネル信号の受信及び逆方向チャネル信号の送信を制御する。コントローラ／プロセッサ２２５は、より高級の無線通信機能のような追加機能もサポートする。例えば、コントローラ／プロセッサ２２５は、複数のアンテナ（２０５ａ〜２０５ｎ）からの送出信号を所望の方向に効果的に向けるために異なるように重み処理されるビームフォーミング又は指向性ルーティング動作をサポートする。多様な他の機能の内の任意の機能がコントローラ／プロセッサ２２５によってｅＮＢ１０２でサポートされる。
【００３８】
一部の実施形態で、コントローラ／プロセッサ２２５は、少なくとも１つのマイクロプロセッサ又はマイクロコントローラを含む。以下、より詳細に説明するように、ｅＮＢ１０２は、ＰＵＣＣＨに対するＣＳＩ報告を処理するための回路、プログラム又はこれらの組み合わせを含む。例えば、コントローラ／プロセッサ２２５は、コントローラ／プロセッサがチャネル係数のようなベクタ量子化されたフィードバックコンポーネントを処理するメモリ２３０に記憶された１つ以上の命令を実行する。
【００３９】
また、コントローラ／プロセッサ２２５は、メモリ２３０に常駐するプログラム及び他のプロセス、例えばＯＳを実行する。コントローラ／プロセッサ２２５は、実行プロセスによる要求に応じてデータをメモリ２３０の内部又は外部に移動させる。
【００４０】
また、コントローラ／プロセッサ２２５は、バックホール又はネットワークインタフェース２３５に接続される。バックホール又はネットワークインタフェース２３５は、ｅＮＢ１０２がバックホール接続を介して又はネットワークを介して他の装置又はシステムと通信することを可能にする。インタフェース２３５は、任意の適切な有線又は無線接続を介した通信をサポートする。例えば、ｅＮＢ１０２がセルラー通信システム（例えば、５Ｇ、ＬＴＥ、又はＬＴＥ−Ａをサポートするもの）の一部として具現される場合、インタフェース２３５は、ｅＮＢ１０２が有線又は無線バックホール接続を介して他のｅＮＢと通信することを可能にする。ｅＮＢ１０２がアクセスポイントとして具現される場合、インタフェース２３５は、ｅＮＢ１０２が有線又は無線ローカル領域ネットワークを介して又は有線若しくは無線接続を介してより大きなネットワーク（例えば、インターネット）に伝送することを可能にする。インタフェース２３５は、有線又は無線接続、例えばイーサネット（登録商標）又はＲＦ送受信機を介した通信をサポートする任意の適切な構造を含む。
【００４１】
メモリ２３０は、コントローラ／プロセッサ２２５に接続される。メモリ２３０の一部はＲＡＭを含み、メモリ２３０の他の一部はフラッシュメモリ又は他のＲＯＭを含む。
【００４２】
図２はｅＮＢ１０２の一例を示すが、多様な変更が図２に対して行われ得る。例えば、ｅＮＢ１０２は、図２に示す各コンポーネントに対する任意の個数を含む。一特定例として、アクセスポイントは、複数のインタフェース２３５を含み、コントローラ／プロセッサ２２５は、異なるネットワークアドレスの間でデータをルーティングするルーティング機能をサポートする。他の特定例として、単一インスタンスのＴＸ処理回路２１５及び単一インスタンスのＲＸ処理回路２２０を含むものとして示しているが、ｅＮＢ１０２は、それぞれに対する複数のインスタンスを含む（例えば、ＲＦ送受信機当たり１つ）。また、図２の各種コンポーネントは、組み合わせられるか、更に細分化されるか、又は省略され、特定の必要に応じて追加的なコンポーネントが付加される。
【００４３】
多様な実施形態によると、無線通信システムにおけるビーム管理のための基地局（ＢＳ）は、少なくとも１つのプロセッサ及び少なくとも１つのプロセッサに動作可能に接続された送受信機を備える。送受信機は、異なるアンテナパネルから生成される送信（ｔｒａｎｓｍｉｔ：Ｔｘ）信号を含む少なくとも２つの送信ビームのグループを、測定用としてユーザ装置（ＵＥ）に送信し（少なくとも２つの送信ビームのグループは基準信号を介して送信される）、少なくとも２つの送信ビームのグループに対する選択制約条件を含む構成情報をＵＥに送信し、選択された送信ビームの情報及び同じ受信（ｒｅｃｅｉｖｅ：Ｒｘ）ビームセットの情報を含む報告メッセージをＵＥから受信する。選択された送信ビームはＵＥによって少なくとも２つの送信ビームのグループの各々からそれぞれ選択され、選択された同じ受信ビームセットは少なくとも２つの送信ビームのグループから測定された送信ビームにそれぞれ対応する。
【００４４】
多様な実施形態によると、送受信機は、少なくとも２つの送信ビームの各々の情報を含む報告メッセージを受信する。
【００４５】
多様な実施形態によると、情報はサービンググループ（ｓｅｒｖｉｎｇ  ｇｒｏｕｐ）及びコンパニオングループ（ｃｏｍｐａｎｉｏｎ  ｇｒｏｕｐ）にそれぞれ対応する異なる送信信号の品質を含み、受信ビームセットは少なくとも１つのアンテナパネル又はアンテナアレイに対応する少なくとも１つの受信ビームを含む。
【００４６】
多様な実施形態によると、少なくとも２つの送信ビームのグループの各々のビームは異なるアンテナパネルにそれぞれ対応し、少なくとも２つの送信ビームのグループの各々のビームは同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信される。
【００４７】
多様な実施形態によると、送受信機は、複数のパネルをそれぞれ含む少なくとも２つの送受信ポイント（ＴＲＰ）から少なくとも２つの送信ビームのグループに含まれる送信信号を送信し、少なくとも１つのＴＲＰに関連付けられた送信信号の情報を含む報告メッセージを受信する。
【００４８】
多様な実施形態によると、少なくとも２つのＴＲＰに対してジョイントトランスミッション（ｊｏｉｎｔ  ｔｒａｎｓｍｉｓｓｉｏｎ、ＪＴ）、動的送信ポイント切替（ｄｙｎａｍｉｃ  ｐｏｉｎｔ  ｓｅｌｅｃｔｉｏｎ、ＤＰＳ）、又は干渉制御（ｉｎｔｅｒｆｅｒｅｎｃｅ  ｃｏｏｒｄｉｎａｔｉｏｎ）の内の少なくとも１つが適用される。
【００４９】
図３は、本発明の一実施形態による例示的なＵＥ１１６を示す図である。図３に示すＵＥ１１６の実施形態は単なる説明のためのものであって、図１のＵＥ（１１１〜１１５）は同じ又は類似の構成を有し得る。しかし、ＵＥは各種の多様な構成からなり、図３はＵＥに対する任意の特定の具現で本発明の範囲を制限しない。
【００５０】
図３に示すように、ＵＥ１１６は、アンテナ３０５、無線周波数（ｒａｄｉｏ  ｆｒｅｑｕｅｎｃｙ：ＲＦ）送受信機３１０、ＴＸ処理回路３１５、マイクロホン３２０、及び受信（ＲＸ）処理回路３２５を含む。また、ＵＥ１１６は、スピーカ３３０、プロセッサ３４０、入／出力（Ｉ／Ｏ）インタフェース（ＩＦ）３４５、タッチスクリーン３５０、ディスプレイ３５５、及びメモリ３６０を含む。メモリ３６０は、オペレーティングシステム（ＯＳ）３６１及び１つ以上のアプリケーション３６２を含む。
【００５１】
ＲＦ送受信機３１０は、ネットワーク１００のｅＮＢによって送信された入力ＲＦ信号をアンテナ３０５から受信する。ＲＦ送受信機３１０は、入力ＲＦ信号をダウンコンバートして、中間周波数（ｉｎｔｅｒｍｅｄｉａｔｅ  ｆｒｅｑｕｅｎｃｙ：ＩＦ）又は基底帯域信号を生成する。ＩＦ又は基底帯域信号は、基底帯域又はＩＦ信号をフィルタリング、デコーディング、及び／又はデジタル化することによって処理された基底帯域信号を生成するＲＸ処理回路３２５に伝送される。ＲＸ処理回路３２５は、処理された基底帯域信号を、スピーカ３３０に送信するか（例えば、音声データ）、又は追加的な処理のためにプロセッサ３４０に送信する（例えば、ウェブブラウジングデータ）。
【００５２】
一部の実施形態で、ＲＦ送受信機３１０は、異なるアンテナパネルから生成される送信（ｔｒａｎｓｍｉｔ：Ｔｘ）信号を含むビームのグループを受信し、ビームのグループに対する選択制約条件を含む構成情報を受信する。このような実施形態で、ビームのグループはＭＩＭＯ通信技術を用いて送信される。
【００５３】
一部の実施形態で、ＲＦ送受信機３１０は、ＵＥで受信されたビームの情報を含む報告メッセージを送信する。
【００５４】
このような実施形態で、該情報は、各々が異なるグループに対応する異なる送信信号の品質を含み、ビームのグループの各ビームは異なるアンテナパネルに対応し、各々のビームは同じＯＦＤＭシンボルで受信される。
【００５５】
一部の実施形態で、ＲＦ送受信機３１０は、複数のパネルを含むＴＲＰから送信信号を受信し、ＴＲＰに関連付けられた送信信号の情報を含む報告メッセージを受信する。このような実施形態で、ＪＴ、ＤＰＳ、又は干渉制御がＴＲＰの間に適用される。
【００５６】
ＴＸ処理回路３１５は、マイクロホン３２０からアナログ若しくはデジタル音声データを受信するか、又はプロセッサ３４０から他の送出基底帯域データ（例えば、ウェブデータ、電子メール、又は双方向ビデオゲームデータ）を受信する。ＴＸ処理回路３１５は、送出基底帯域データをエンコーディング、マルチプレキシング、及び／又はデジタル化して、処理された基底帯域又はＩＦ信号を生成する。ＲＦ送受信機３１０は、ＴＸ処理回路３１５から送出処理された基底帯域又はＩＦ信号を受信し、基底帯域又はＩＦ信号を、アンテナ３０５を介して送信されるＲＦ信号にアップコンバートする。
【００５７】
プロセッサ３４０は、１つ以上のプロセッサ又は他の処理装置を含み、メモリ３６０に記憶されたＯＳ３６１を実行することによってＵＥ１１６の全般的な動作を制御する。例えば、プロセッサ３４０は、周知の原理に従ってＲＦ送受信機３１０、ＲＸ処理回路３２５、及びＴＸ処理回路３１５によって順方向チャネル信号の受信及び逆方向チャネル信号の送信を制御する。いくつかの実施形態で、プロセッサ３４０は、少なくとも１つのマイクロプロセッサ又はマイクロコントローラを含む。
【００５８】
また、プロセッサ３４０は、ＰＵＣＣＨに対するＣＳＩ報告のためのプロセスのような、メモリ３６０に常駐する他のプロセス及びプログラムを実行する。プロセッサ３４０は、実行プロセスによる要求に応じてメモリ３６０の内部又は外部にデータを移動する。いくつかの実施形態で、プロセッサ３４０は、ＯＳ３６１に基づいて又はｅＮＢ若しくはオペレータから受信された信号に応じてアプリケーション３６２を実行する。また、プロセッサ３４０は、ラップトップコンピュータ及び携帯用コンピュータのような他の装置に接続される能力をＵＥ１１６に提供するＩ／Ｏインタフェース３４５に接続される。Ｉ／Ｏインタフェース３４５は、周辺機器とプロセッサ３４０との間の通信経路である。
【００５９】
一部の実施形態で、プロセッサ３４０は、また、ビームのグループからビームを測定して同じ受信ビームセットで受信ビームを選択する。このような実施形態で、選択された受信ビームは各々の測定されたビームに対応する。
【００６０】
一部の実施形態で、プロセッサ３４０は、また、ネットワークによって構成された選択制約条件に基づいてビームのグループからビームを選択し、各々が異なる送信信号の品質を含むグループを識別する。
【００６１】
また、プロセッサ３４０は、タッチスクリーン３５０及びディスプレイ３５５に接続される。ＵＥ１１６のオペレータはタッチスクリーン３５０を用いてＵＥ１１６にデータを入力する。ディスプレイ３５５は、例えばウェブサイトからのテキスト及び／又は少なくとも制限されたグラフィックをレンダリングする液晶表示装置、発光ダイオードディスプレイ、又は他のディスプレイである。
【００６２】
メモリ３６０は、プロセッサ３４０に接続される。メモリ３６０の一部はランダムアクセスメモリ（ｒａｎｄｏｍ  ａｃｃｅｓｓ  ｍｅｍｏｒｙ：ＲＡＭ）を含み、メモリ３６０の他の一部はフラッシュメモリ又は他の読み取り専用メモリ（ｒｅａｄ−ｏｎｌｙ  ｍｅｍｏｒｙ：ＲＯＭ）を含む。
【００６３】
図３は、ＵＥ１１６の一例を示しているが、多様な変更が図３に対して行われ得る。例えば、図３の各種コンポーネントは、組み合わせられるか、更に細分化されるか、省略され、特定の必要に応じて追加的なコンポーネントが付加される。一特定例として、プロセッサ３４０は、複数のプロセッサ、例えば１つ以上の中央処理ユニット（ＣＰＵ）及び１つ以上のグラフィック処理ユニット（ＧＰＵ）に分割される。また、図３はモバイル電話やスマートフォンのように構成されたＵＥ１１６を示しているが、ＵＥは他のタイプのモバイル又は固定式装置として動作するように構成される。
【００６４】
多様な実施形態によると、無線通信システムにおけるビーム管理のためのユーザ装置（ＵＥ）は、送受信機及び該送受信機に動作可能に接続される少なくとも１つのプロセッサを含む。送受信機は、基地局（ＢＳ）から異なるアンテナパネルで生成される送信（ｔｒａｎｓｍｉｔ：Ｔｘ）信号を含む少なくとも２つの送信ビームのグループを受信し、少なくとも２つの送信ビームのグループは基準信号を介して送信され、ＢＳから少なくとも２つの送信ビームのグループに対する選択制約条件を含む構成情報を受信する。少なくとも１つのプロセッサは、構成情報に基づいて少なくとも２つの送信ビームのグループの各々から少なくとも１つの送信ビームを測定し、少なくとも２つの送信ビームのグループの各々から少なくとも１つの送信ビームを選択し、各々の選択された送信ビームに対応する受信ビームと同じ受信ビームセットを選択する。送受信機は、選択された送信ビームの情報及び受信ビームに対応する選択された同じ受信ビームセットを含む報告メッセージをＢＳに送信する。
【００６５】
多様な実施形態によると、少なくとも１つのプロセッサは、基地局によって構成された選択制約条件に基づいて少なくとも２つの送信ビームのグループの各々から少なくとも１つの送信ビームを選択し、ＢＳから受信された構成情報に基づいて少なくとも２つの送信ビームのグループの各々に関連付けられた情報を生成し、送受信機は、少なくとも２つの送信ビームのグループの各々の情報を含む報告メッセージを送信する。
【００６６】
多様な実施形態によると、上記情報は、少なくとも２つの送信ビームのグループの各々に対応する異なる送信信号の品質をそれぞれ含む。
【００６７】
多様な実施形態によると、少なくとも２つの送信ビームのグループの各々のビームは異なるアンテナパネルにそれぞれ対応し、少なくとも２つの送信ビームのグループの各々のビームは同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信される。
【００６８】
多様な実施形態によると、受信ビームセットは、少なくとも１つのアンテナパネル又はアンテナアレイに対応する少なくとも１つの受信ビームを含む。
【００６９】
多様な実施形態によると、送受信機は複数のパネルをそれぞれ含む少なくとも２つの送受信ポイント（ＴＲＰ）から少なくとも２つの送信ビームのグループに含まれる送信信号を受信し、少なくとも１つのプロセッサは構成情報に基づいて少なくとも２つの送信ビームのグループを測定し、送受信機は少なくとも１つのＴＲＰに関連付けられた送信信号の情報を含む報告メッセージを送信する。
【００７０】
多様な実施形態によると、ジョイントトランスミッション（ＪＴ）、動的送信ポイント切替（ＤＰＳ）、又は干渉制御の内の少なくとも１つが少なくとも２つのＴＲＰに適用される。
【００７１】
図４Ａは、送信経路回路のハイ−レベルダイヤグラムである。例えば、送信経路回路は、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信のために用いられる。図４Ｂは、受信経路回路のハイ−レベルダイヤグラムである。例えば、受信経路回路は、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信のために用いられる。図４Ａ及び図４Ｂで、ダウンリンク通信の場合、送信経路回路は、基地局（ｅＮＢ）１０２又は中継局で具現され、受信経路回路は、ユーザ装置（例えば、図１のユーザ装置１１６）で具現される。他の例において、アップリンク通信の場合、受信経路回路４５０は、基地局（例えば、図１のｅＮＢ１０２）又は中継局で具現され、送信経路回路は、ユーザ装置（例えば、図１のユーザ装置１１６）で具現される。
【００７２】
送信経路回路は、チャネルコーディング及び変調ブロック４０５、直列−並列（Ｓ−ｔｏ−Ｐ）ブロック４１０、サイズＮ逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）ブロック４１５、並列−直列（Ｐ−ｔｏ−Ｓ）ブロック４２０、サイクリックプレフィックス加算ブロック４２５、及びアップ−コンバータ（ｕｐ−ｃｏｎｖｅｒｔｅｒ：ＵＣ）４３０を含む。受信経路回路４５０は、ダウン−コンバータ（ｄｏｗｎ−ｃｏｎｖｅｒｔｅｒ：ＤＣ）４５５、サイクリックプレフィックス除去ブロック４６０、直列−並列（Ｓ−ｔｏ−Ｐ）ブロック４６５、サイズＮ高速フーリエ変換（Ｆａｓｔ  Ｆｏｕｒｉｅｒ  Ｔｒａｎｓｆｏｒｍ：ＦＦＴ）ブロック４７０、並列−直列（Ｐ−ｔｏ−Ｓ）ブロック４７５、及びチャネルデコーディング及び復調ブロック４８０を含む。
【００７３】
図４Ａ及び図４Ｂでのコンポーネントの内の少なくともいくつかはソフトウェアで具現される。一方、他のコンポーネントは設定可能なハードウェア又はソフトウェアと設定可能なハードウェアとの混合によって具現される。特に、本明細書で説明するＦＦＴブロック及びＩＦＦＴブロックは、設定可能なソフトウェアアルゴリズムとして具現される。ここで、サイズＮの値はその具現によって変更されることに留意する。
【００７４】
また、本発明は、高速フーリエ変換及び逆高速フーリエ変換を具現する実施形態に関するが、これは単なる例示によるものに過ぎず、本発明の範囲を限定するものと解釈してはならない。本発明の他の実施形態では、高速フーリエ変換関数及び逆高速フーリエ変換関数が離散フーリエ変換（ＤＦＴ）関数及び逆離散フーリエ変換（ＩＤＦＴ）関数でそれぞれ容易に代替されことが理解される。ＤＦＴ及びＩＤＦＴ関数の場合、変数Ｎの値は任意の整数（例えば、１、２、３、４等）であり、ＦＦＴ及びＩＦＦＴ関数の場合、変数Ｎの値は２の自乗（即ち、１、２、４、８、１６等）である任意の整数であることが理解される。
【００７５】
送信経路回路４００で、チャネルコーディング及び変調ブロック４０５は、情報ビットのセットを受信してコーディング（例えば、ＬＤＰＣコーディング）を適用し、その入力ビットを変調（例えば、ＱＰＳＫ（Ｑｕａｄｒａｔｕｒｅ  Ｐｈａｓｅ  Ｓｈｉｆｔ  Ｋｅｙｉｎｇ）又はＱＡＭ（Ｑｕａｄｒａｔｕｒｅ  Ａｍｐｌｉｔｕｄｅ  Ｍｏｄｕｌａｔｉｏｎ））することによって、周波数−領域変調シンボルのシーケンスを生成する。直列−並列ブロック４１０は、直列変調されたシンボルを並列データに変換（即ち、逆多重化）してＮ並列シンボルストリームを生成する。ここで、ＮはＢＳ１０２及びＵＥ１１６で用いられるＩＦＦＴ／ＦＦＴの大きさである。その後、サイズＮ  ＩＦＦＴブロック４１５は、Ｎ並列シンボルストリーム上でＩＦＦＴ動作を行って時間−領域出力信号を生成する。並列−直列ブロック４２０は、サイズＮ  ＩＦＦＴブロック４１５からの並列時間−領域出力シンボルを変換（即ち、多重化）して直列時間−領域信号を生成する。その後、サイクリックプレフィックス加算ブロック４２５は、時間−領域信号にサイクリックプレフィックスを挿入する。最後に、アップ−コンバータ４３０は、無線チャネルを介する送信のためにサイクリックプレフィックス加算ブロック４２５の出力をＲＦ周波数に変調（即ち、アップコンバート）する。また、該信号はＲＦ周波数に変換する前に、基底帯域でフィルタリングされる。
【００７６】
送信されたＲＦ信号は、無線チャネルを通過した後にＵＥ１１６に到達し、ｅＮＢ１０２での動作に対する逆動作が行われる。ダウン−コンバータ４５５は受信された信号を基底帯域周波数にダウンコンバートし、サイクリックプレフィックス除去ブロック４６０はサイクリックプレフィックスを除去して直列時間−領域基底帯域信号を生成する。直列−並列ブロック４６５は、時間−領域基底帯域信号を並列時間−領域信号に変換する。その後、サイズＮ  ＦＦＴブロック４７０は、ＦＦＴアルゴリズムを行ってＮ並列周波数−領域信号を生成する。並列−直列ブロック４７５は、並列周波数−領域信号を変調されたデータシンボルのシーケンスに変換する。チャネルデコーディング及び復調ブロック４８０は、変調されたシンボルに対する復調を行ってからデコーディングすることによって元の入力データストリームを復元する。
【００７７】
ｅＮＢ（１０１〜１０３）の各々は、ユーザ装置（１１１〜１１６）へのダウンリンク送信に類似する送信経路を具現し、ユーザ装置（１１１〜１１６）からのアップリンク受信に類似する受信経路を具現する。これと同様に、ユーザ装置（１１１〜１１６）の各々は、ｅＮＢ（１０１〜１０３）へのアップリンク送信のためのアーキテクチャに対応する送信経路を具現し、ｅＮＢ（１０１〜１０３）からのダウンリンク受信のためのアーキテクチャに対応する受信経路を具現する。
【００７８】
本発明の多様な実施形態は、大型２次元アンテナアレイを有するＦＤ−ＭＩＭＯがサポートされる場合、高性能、送信アンテナの個数、及び幾何構造に関する拡張性、並びにＬＴＥ向上のための柔軟なＣＳＩフィードバックフレームワークと構造を提供する。高性能を達成するために、特にＦＤＤシナリオの場合には、ＭＩＭＯチャネルの観点からより正確なＣＳＩがｅＮＢに必要である。このような場合において、本発明の実施形態は、以前のＬＴＥ（例えば、Ｒｅｌ．１２ＬＴＥ）プリコーディングフレームワーク（例えば、ＰＭＩベースのフィードバック）が代替される必要があることを認識した。本発明では、ＦＤ−ＭＩＭＯの特性が本発明のために考慮される。例えば、各ＵＥに対する相対的に小さな角度拡散に従う空間的マルチプレキシングではなく、高いビームフォーミング利得を優先的に指向する近接離隔された大型２Ｄアンテナアレイの使用が考慮される。従って、固定されたセットの基本関数及びベクタによるチャネルフィードバックの圧縮又は次元減少が達成される。他の例で、アップデートされたチャネルフィードバックパラメータ（例えば、チャネル角度拡散）がＵＥ−固有の上位層のシグナリングを用いて低い移動性で獲得される。また、ＣＳＩフィードバックが累積的に行われる。
【００７９】
本発明の他の実施形態は、減少されたＰＭＩフィードバックを有するＣＳＩ報告方法及び手順を含む。このようなより低いレートでのＰＭＩ報告は、長期ＤＬチャネル統計に関連があり、ＵＥによってｅＮＢに勧められるプリコーディングベクタのグループの選択を示す。また、本発明は、開ループダイバーシティ方式を利用しながら、ｅＮＢが複数のビームフォーミングベクタを介してＵＥにデータを送信するＤＬ送信方法を含む。従って、長期プリコーディングの使用は、開ループ送信ダイバーシティが制限された個数のポート（全てのポートがＦＤ−ＭＩＭＯのために利用可能ではない、例えば、６４個）に対してのみ適用されることを保証する。これはＣＳＩフィードバックオーバーヘッドを低減してＣＳＩ測定品質が疑わしい時にロバスト性を向上させる開ループ送信ダイバーシティのために過度に高い次元をサポートしなければならないことを防止する。
【００８０】
５Ｇ通信システムの活用事例を確認及び説明した。このような活用事例は大きく３つのグループに分類される。一例において、ｅＭＢＢ（ｅｎｈａｎｃｅｄ  ｍｏｂｉｌｅ  ｂｒｏａｄｂａｎｄ）は、より緩やかなレイテンシ（ｌａｔｅｎｃｙ）及び信頼性要求事項（ｌｅｓｓ  ｓｔｒｉｎｇｅｎｔ  ｌａｔｅｎｃｙ  ａｎｄ  ｒｅｌｉａｂｉｌｉｔｙ  ｒｅｑｕｉｒｅｍｅｎｔｓ）で高いｂｉｔｓ／ｓｅｃ要求事項が行われるように決定される。他の例において、ＵＲＬＬ（ｕｌｔｒａ−ｒｅｌｉａｂｌｅ  ａｎｄ  ｌｏｗ  ｌａｔｅｎｃｙ）は、より緩やかなｂｉｔｓ／ｓｅｃ要求事項で決定される。更に他の例において、ｍＭＴＣ（ｍａｓｓｉｖｅ  ｍａｃｈｉｎｅ  ｔｙｐｅ  ｃｏｍｍｕｎｉｃａｔｉｏｎ）は、装置の個数がｋｍ２当たり十万から百万に達するが、安全性（ｒｅｌｉａｂｉｌｉｔｙ）／処理量（ｔｈｒｏｕｇｈｐｕｔ）／レイテンシ要求事項（ｌａｔｅｎｃｙ  ｒｅｑｕｉｒｅｍｅｎｔ）はより緩やかであるように決定される。このようなシナリオは、また、バッテリ消費をなるべく最小化すべきという点から電力効率要求事項を含む。
【００８１】
ＬＴＥ技術において、ＤＬ（ダウンリンク）送信部、ガード（ｇｕａｒｄ）、ＵＬ（アップリンク）送信部、及びこれらの組み合わせの内の１つ以上を含む時間間隔Ｘ（ｔｉｍｅ  ｉｎｔｅｒｖａｌ  Ｘ）は動的及び／又は準−静的に示される。また、一例において、時間区間ＸのＤＬ送信部は、ダウンリンク制御情報及び／又はダウンリンクデータ送信信号及び／又は基準信号を含む。他の例において、時間区間ＸのＵＬ送信部は、アップリンク制御情報及び／又はアップリンクデータ送信及び／又は基準信号を含む。また、ＤＬ及びＵＬの使用は、他の展開シナリオ（例えば、サイドリンク（ｓｉｄｅｌｉｎｋ）、バックホール、リレー）を排除しない。本発明の一部の実施形態において、「サブフレーム」は「時間間隔Ｘ」を指す別の名称であって、その逆も同じである。５Ｇネットワークがこのような多様なサービスをサポートすることをネットワークスライシング（ｎｅｔｗｏｒｋ  ｓｌｉｃｉｎｇ）という。
【００８２】
一部の実施形態において、「サブフレーム」及び「時間スロット」は、相互交換的に用いられる。一部の実施形態において、「サブフレーム」はＵＥのデータ送受信のための「時間スロット」の集成（ａｇｇｒｅｇａｔｉｏｎ）を含むＴＴＩ（ｔｒａｎｓｍｉｔ  ｔｉｍｅ  ｉｎｔｅｒｖａｌ）を指す。
【００８３】
図５は、本発明の一実施形態によるネットワークスライシング５００を示す図である。図５に示すネットワークスライシング５００の実施形態は単なる説明のためのものである。図５に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【００８４】
図５に示すように、ネットワークスライシング５００は、オペレータネットワーク５１０、複数のＲＡＮ５２０、複数のｅＮＢ（５３０ａ、５３０ｂ）、複数の小型セル基地局（５３５ａ、５３５ｂ）、ＵＲＬＬスライス５４０ａ、スマートウォッチ５４５ａ、自動車５４５ｂ、トラック５４５ｃ、スマートメガネ５４５ｄ、電源５５５ａ、温度計５５５ｂ、ｍＭＴＣスライス５５０ａ、ｅＭＢＢスライス５６０ａ、スマートフォン（例えば、携帯電話）５６５ａ、ラップトップ５６５ｂ、及びタブレット５６５ｃ（例えば、タブレットＰＣ）を含む。
【００８５】
オペレータネットワーク５１０は、ネットワークデバイス、例えばｅＮＢ（５３０ａ及び５３０ｂ）、小型セル基地局（フェムト／ピコｅＮＢ又はＷｉ−Ｆｉアクセスポイント）（５３５ａ及び５３５ｂ）などに関連付けられた複数の無線アクセスネットワーク５２０（ＲＡＮ）を含む。オペレータネットワーク５１０は、スライス概念に依存する多様なサービスをサポートする。一例において、４個のスライス（５４０ａ、５５０ａ、５５０ｂ、及び５６０ａ）がネットワークによってサポートされる。ＵＲＬＬスライス５４０ａは、ＵＲＬＬサービスを必要とするＵＥ、例えば自動車５４５ｂ、トラック５４５ｃ、スマートウォッチ５４５ａ、スマートメガネ５４５ｄなどをサービングする。２つのｍＭＴＣスライス（５５０ａ及び５５０ｂ）は、パワーメートル及び温度制御（例えば、５５５ｂ）のようなｍＭＴＣサービスを必要とするＵＥ及びセルフォン５６５ａ、ラップトップ５６５ｂ、タブレット５６５ｃといったｅＭＢＢサービスを必要とする１つのｅＭＢＢスライスをサービングする。
【００８６】
即ち、ネットワークスライシングは、ネットワークレベルで多様なＱｏＳ（ｑｕａｌｉｔｙ  ｏｆ  ｓｅｒｖｉｃｅｓ）を処理する方法である。このような多様なＱｏＳを効率的にサポートするためには、スライス特定のＰＨＹの最適化が必要な場合もある。デバイス（５４５ａ／ｂ／ｃ／ｄ、５５５ａ／ｂ、５６５ａ／ｂ／ｃ）は異なる類型のユーザ装置（ＵＥ）の例である。図５に示す異なる類型のユーザ装置（ＵＥ）は必ずしも特定の類型のスライスに関連付けられる必要はない。例えば、セルフォン５６５ａ、ラップトップ５６５ｂ、及びタブレット５６５ｃがｅＭＢＢスライス５６０ａに関連付けられているが、これは単なる例示のためのものであって、それらのデバイスが任意の類型のスライスに関連付けられる。
【００８７】
一部の実施形態では、１つのデバイスが一つよりも多いスライスで構成される。一実施形態では、ＵＥ（例えば、５６５ａ／ｂ／ｃ）がＵＲＬＬスライス５４０ａ及びｅＭＢＢスライス５６０ａの２つのスライスに関連付けられる。これはグラフィック情報がｅＭＢＢスライス５６０ａを介して送信され、ユーザ相互作用関連情報がＵＲＬＬスライス５４０ａを介して交換されるオンラインゲームアプリケーションをサポートするために有用である。
【００８８】
現在のＬＴＥ標準では、スライス−レベルのＰＨＹが用いられることはなく、大半のＰＨＹの機能はスライスに関係なく用いられる。一般に、ＵＥはネットワークが（１）動的に変化するＱｏＳに速やかに適応し、（２）多様なＱｏＳを同時にサポートすることを妨害する可能性がある単一セットのＰＨＹのパラメータ（ＴＴＩ（ｔｒａｎｓｍｉｔ  ｔｉｍｅ  ｉｎｔｅｒｖａｌ）長さ、ＯＦＤＭシンボル長さ、サブキャリア間隔などを含む）で構成される。
【００８９】
一部の実施形態で、ネットワークスライシング概念を有する異なるＱｏＳを処理するための対応するＰＨＹの設計が開示される。「スライス」は、数秘学（ｎｕｍｅｒｏｌｏｇｙ）、上位層（ＭＡＣ／ＲＲＣ（ｍｅｄｉｕｍ  ａｃｃｅｓｓ  ｃｏｎｔｒｏｌ／ｒａｄｉｏ  ｒｅｓｏｕｒｃｅ  ｃｏｎｔｒｏｌ）を含む）、及び共有ＵＬ／ＤＬ時間−周波数リソースといった共通機能に関連付けられた論理エンティティを指すために便宜上導入された用語である。「スライス」に対する代替的な名称としては、仮想セル、ハイパーセル、セルなどを含む。
【００９０】
図６は、本発明の一実施形態による例示的な個数のデジタルチェーン６００を示す図である。図６に示す個数のデジタルチェーン６００の実施形態は単なる説明のためのものである。図６に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【００９１】
ｍｍＷａｖｅ帯域の場合、与えられたフォームファクタに対してアンテナ要素の数が大きくなる。しかし、図６に示すように、ハードウェア的制約（例えば、ｍｍＷａｖｅ周波数での複数のＡＤＣ／ＤＡＣの設置可能性）のため、デジタルチェーンの数が制限される。この場合においては、１つのデジタルチェーンがアナログ位相シフタのバンク（ｂａｎｋ）によって制御される複数のアンテナ素子にマッピングされる。１つのデジタルチェーンはアナログビームフォーミングによって狭いアナログビームを生成する１つのサブ−アレイに対応する。アナログビームはシンボル又はサブフレームに亘って位相シフタバンクを変更することによってより広い範囲の角度をスウィープする。
【００９２】
ｅＮＢは１つのセルの全体領域をカバーするために１つ又はいくつかの送信ビームを使用する。ｅＮＢは適切な利得及び位相設定をアンテナアレイに適用することによって送信ビームを形成する。送信利得、即ち送信ビームによって提供される送信信号の電力増幅は一般に上記ビームによってカバーされる幅又は面積に反比例する。より低いキャリア周波数でより良好な電波損失は、ｅＮＢが単一送信ビームでカバレッジを提供することを可能にする。即ち、単一送信ビームの使用によってカバレッジ領域内の全てのＵＥ位置での適切な受信信号品質を保証する。換言すると、より低い送信信号キャリア周波数で領域をカバーするために十分に大きな幅を有する送信ビームによって提供される送信電力増幅は、そのカバレッジ領域内の全てのＵＥ位置での適切な受信信号品質を保証する電波損失を克服することに十分である。
【００９３】
しかし、より高い信号キャリア周波数で同じカバレッジ領域に対応する送信ビーム電力増幅は、より高い電波損失を克服するために十分でない場合があり、カバレッジ領域内のＵＥ位置での受信信号品質の悪化を招く。このような受信信号品質の悪化を克服するために、ｅＮＢは複数の送信ビームを形成し、送信ビームの各々は、全体カバレッジ領域よりも狭い領域に亘ってカバレッジを提供するが、より高い送信信号キャリア周波数の使用によるより高い信号電波損失を克服するために十分な送信電力増幅を提供する。
【００９４】
図７は、本発明の一実施形態による例示的なアナログビームフォーミング７００を示す図である。図７に示すアナログビームフォーミング７００の実施形態は単なる説明のためのものである。図７に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【００９５】
５Ｇシステムは、一般にマルチビームに基づくシステムである。このようなシステムでは、１つのカバレッジ領域をカバーするために複数のビームが用いられる。一例を図７に示す。図７に示すように、１つのｇＮＢは１つ以上の送／受信ポイント（ｔｒａｎｓｍｉｓｓｉｏｎ／ｒｅｃｅｐｔｉｏｎ  ｐｏｉｎｔ：ＴＲＰ）を有する。各ＴＲＰは１つ以上のアナログビームを用いて一部の領域をカバーする。１つの特定領域で１つのＵＥをカバーするために、ｇＮＢは１つ以上のアナログビームを用いて該当ＵＥ及び信号を送受信する。ｇＮＢ及びＵＥはその接続のために用いられるビームを決定する必要がある。ＵＥが１つのセルカバレッジ領域内で移動する場合、該ＵＥのために用いられるビームが変更及びスイッチングされる。３ＧＰＰ  ＮＲ  ＲＡＮ１会議では、これらのビーム管理動作がＬ１及びＬ２動作であると協定された。
【００９６】
本発明では、次世代セルラーシステムのための移動性及びビーム管理方法を提案する。
【００９７】
本発明では、次世代セルラーシステムのための初期アクセス方法を提案する。
【００９８】
ネットワーク類型によって、「基地局」又は「ＢＳ」という用語は、ネットワークに無線アクセスを提供する任意のコンポーネント（又はコンポーネントの集合）、例えばＴＰ（ｔｒａｎｓｍｉｔ  ｐｏｉｎｔ）、ＴＲＰ（ｔｒａｎｓｍｉｔ−ｒｅｃｅｉｖｅ  ｐｏｉｎｔ）、強化された基地局（ｅＮｏｄｅＢ又はｅＮＢ又はｇＮＢ）、マクロセル、フェムトセル、ＷｉＦｉ  ＡＰ（ａｃｃｅｓｓ  ｐｏｉｎｔ）、又はその他の無線可能デバイスを含む。基地局は、１つ以上の無線通信プロトコル、例えば５Ｇ  ３ＧＰＰの新しい無線インタフェース／アクセス（ｉｎｔｅｒｆａｃｅ／ａｃｃｅｓｓ：ＮＲ）、ＬＴＥ（ｌｏｎｇ  ｔｅｒｍ  ｅｖｏｌｕｔｉｏｎ）、ＬＴＥ−Ａ（ＬＴＥ−ａｄｖａｎｃｅｄ）、ＨＳＰＡ（ｈｉｇｈ  ｓｐｅｅｄ  ｐａｃｋｅｔ  ａｃｃｅｓｓ）、Ｗｉ−Ｆｉ８０２．１１ａ／ｂ／ｇ／ｎ／ａｃなどによって無線アクセスを提供する。便宜上、用語「ＢＳ」及び「ＴＲＰ」は、本明細書で遠隔端末に対する無線アクセスを提供するネットワークインフラストラクチャを指すために相互交換的に用いられる。また、ネットワーク類型によって、「ユーザ装置」又は「ＵＥ」という用語は、「移動局」、「加入者局」、「遠隔端末」、「端末」、「無線端末」、「電子デバイス」、「カスタマ構内設備」、「受信ポイント」、又は「ユーザデバイス」と称する。便宜上、用語「ユーザ装置」及び「ＵＥ」は、ＵＥが移動装置（例えば、携帯電話機又はスマートフォン）であろうと一般に考慮される固定式装置（例えば、デスクトップコンピュータ又はベンディングマシン）であろうと、ＢＳに無線でアクセスする遠隔無線装備を指すものとして本明細書で用いられる。
【００９９】
図８は、本発明の一実施形態による例示的なハイ−レベル初期アクセス及びビーム関連手順８００を示す図である。図８に示すハイ−レベル初期アクセス及びビーム関連手順８００の実施形態は単なる説明のためのものである。図８に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１００】
図８に示すように、ハイ−レベル初期アクセス及びビーム関連手順の７つのステップが本発明の一部の実施形態によって行われる。多重ビームに基づくアプローチでは、特定のステップまでビームスウィーピング（ｂｅａｍ  ｓｗｅｅｐｉｎｇ）が初期アクセス信号／情報に適用される。ＵＥは、ビームスウィーピングが適用されるそれらの信号／チャネル／情報を検出／獲得するために、特定区間に複数の時間−周波数リソースに対してブラインドデコーディングを適用する。ＵＥのブラインドデコーディング及びｅＮＢのビームスウィーピングは計算上の複雑性及びリソースオーバーヘッドを招き、従ってこのようなメカニズムの使用は最小化される。この場合、ビームスウィーピングに依存する初期アクセスステップの間ＵＥとｅＮＢとの間に交換される情報は制限される。
【０１０１】
より優れたスペクトル効率の情報交換（より高い、又は最適に達成可能なＳＩＮＲ）のために、ＵＥはＵＬ／ＤＬデータ受信のために送信ビームに構成（又は関連）されるべきである。ＵＥが複数の受信ビームを有する場合、ＵＥは、また、データ受信のための最適のビーム対（即ち、送信ビーム及び受信ビーム）を見つけ出す必要がある。
【０１０２】
一部の実施形態で、ビーム構成は２レベル−コアース（ｃｏａｒｓｅ）−ビーム整列及び微細（ｆｉｎｅ）−ビーム整列で行われる。図８のステップ４まで、ｅＮＢはビームスウィーピングを適用し、いかなるビームもＵＥにまだ関連付けられない。ステップ５で、ＵＥはランダムアクセスチャネル（ｒａｎｄｏｍ  ａｃｃｅｓｓ  ｃｈａｎｎｅｌ：ＲＡＣＨ）を送信してランダムアクセス応答（ｒａｎｄｏｍ  ａｃｃｅｓｓ  ｒｅｓｐｏｎｓｅ：ＲＡＲ）を受信する。ステップ１〜４とは違って、ＲＡＲはユニキャスト情報である。より良いスペクトル効率を達成するために、ユニキャスト情報が純粋にビームスウィーピングメカニズムに依存せずに送信される場合にはこれが好ましい。１つの可能性は、例えば特別なＲＡＣＨリソース選択方法によって、送信ビームと受信ビームとの間のコアースビーム関連を行うことである。
【０１０３】
一例において、ＵＥは、ビームＩＤ及び／又はビームグループＩＤによってインデキシングされた複数のセルの特定の第１レベルビーム測定基準信号（ＭＲＳ−１）のリソースのＲＳＲＰ（基準信号受信電力）を測定し、最も強いＲＳＲＰを有するビーム及び／又はビームグループＩＤに基づいたＲＡＣＨリソースを選択する。この場合において、ｅＮＢはＵＥのＲＡＣＨリソース上の信号を検出することによって少なくともＵＥに対するコアースビーム情報（ビームグループＩＤがＵＥのＲＡＣＨリソース選択に用いられる場合）を暗示的に獲得する。ｅＮＢは暗示的に示されるコアースビームを用いてＵＥに対するＲＡＲを送信する。より高いスペクトル効率を有するデータ送信及び／又は受信のために、微細ビーム関連が必要である。このビーム構成のために、ＵＥは選択されたＭＲＳ−１のリソースのＲＳＲＰを報告する必要があり（ステップ６）、ＵＥは（微細）ビームインデックスで構成される。
【０１０４】
図９は、本発明の一実施形態によるサービングセルのカバレッジ領域内及びその周辺の例示的なネットワークノード通信９００を示す図である。図９に示すネットワークノード通信９００の実施形態は単なる説明のためのものである。図９に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１０５】
図９に示すように、サービングセルのカバレッジ領域内及びその周辺のネットワークノード通信は、本発明の一部の実施形態によって行われる。無線システムでは、基地局（ＢＳ）又はｅＮＢが複数のカバレッジビームを用いて１つのセルの全体カバレッジ領域をカバーするために１つ以上のＴＲＰを利用する。各々のＴＲＰが１つ以上のカバレッジビームを構成し、１つ以上のＴＲＰがカバレッジビームを共に構成する。
【０１０６】
一部の実施形態で、ＵＥはセル（カバレッジビームグループで示される）内の全体カバレッジビームのサブセットのＲＳＲＰを測定する。ここで、サブセット内のカバレッジビームは１つのセル内のＴＲＰのサブセットから送信される。ＴＲＰのサブセットは、１つのＴＲＰ、複数のＴＲＰ、又は全てのＴＲＰを含む。この構成はＵＥに特定であるか又はセルに特定である。ＵＥによって測定されるＴＲＰ（及びカバレッジビーム）のサブセットは、例えばＵＥが１つのセル内の他の位置に又は他のセルに移動した後に変更される。
【０１０７】
本明細書で、「ＴＲＰサブセット」は、それらがビームのサブセットを構成するために用いられる場合、「（カバレッジ）ビームグループ」を指す。
【０１０８】
ＮＴＲＰ（≧１）のＴＲＰが１つのセル９０１のカバレッジ領域をカバーするために用いられる例を図９に示す。各ＴＲＰは１つ以上のカバレッジビームを使用する。ＵＥ９２１はＴＲＰサブセット９３１からカバレッジビームを測定し、ＵＥ９２２はＴＲＰサブセット９３２を測定する。ＴＲＰサブセット（９３１及び９３２）は、重なる場合もあり重ならない場合もある。ＵＥは（ＲＲＣシグナリングを介して）ＲＳＲＰを測定するためにＴＲＰサブセットをアップデートする。図９に示すように、ＵＥ９２１は、ＵＥが位置９９１に位置する場合、ＴＲＰサブセット９３１からカバレッジビームを測定する。ＵＥ９２１が位置９９２に移動した後、ＵＥはＴＲＰサブセット９３３からカバレッジビームを測定する。
【０１０９】
一実施形態で、ＵＥは、例えばＵＬ／ＤＬデータ及び制御受信のために、１つ以上のＴＲＰから送信されるカバレッジビームの内の１つ以上で構成される。ＢＳは関連付けられたカバレッジビームを用いてＤＬ信号をＵＥに送信し、ＵＥはＤＬ信号受信のために構成されたカバレッジビームに対応する受信ビームを用いる。
【０１１０】
図１０Ａは、本発明の一実施形態による単一送／受信ポイント（ＴＲＰ）１０００からの単一ビームの例を示す図である。図１０Ａに示す単一のＴＲＰ１０００からの単一ビームの実施形態は単なる例示のためのものである。図１０Ａに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１１１】
ネットワークトポロジによって、ＵＥは（１）図１０Ａに示す単一ＴＲＰからの単一ビーム、及び（２）図１０Ｂに示すＮ個のＴＲＰからのＮ個のビームに関連付けられる。
【０１１２】
図１０Ｂは、本発明の一実施形態による例示的な２つのカバレッジビーム１００５を示す図である。図１０Ｂに示す２つのカバレッジビーム１００５の実施形態は単なる例示のためのものである。図１０Ｂに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１１３】
図１０Ａに示す一例において、第１ＵＥ１０２１は、ＵＬ／ＤＬデータ及び制御受信のために、第１ＴＲＰ１０１１から送信される１つのビーム１０３１で構成される。また、ＢＳが第１ＴＲＰ１０１１から送信されるカバレッジビームのＲＳＲＰを測定するように第１ＵＥ１０２１を構成する。
【０１１４】
図１０Ｂに示す例で、第１ＵＥ１０２１は、第１ＴＲＰ１０１１からの１つのビーム１０３１及び第２ＴＲＰ１０１２からの他のビーム１０３２である２つのカバレッジビームで構成される。ビーム（１０３１及び１０３２）の両方は第１ＵＥ１０２１に強い信号強度を提供する。これを達成するために、第１ＵＥ１０２１は、第１ＴＲＰ１０１１及び第２ＴＲＰ１０１２の制限されたビームのＲＳＲＰ測定を適用する。
【０１１５】
図１０Ｃは、本発明の一実施形態による他の例示的な２つのカバレッジビーム１０１０を示す図である。図１０Ｃに示す２つのカバレッジビーム１０１０の実施形態は単なる説明のためのものである。図１０Ｃに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１１６】
図１０Ｃに示す例で、ＵＥは２つのＴＲＰからのカバレッジビームに関連付けられる。第１ＵＥ１０２１は、第１ＴＲＰ１０１１からのカバレッジビーム１０３１及び第２ＴＲＰ１０１２からのカバレッジビーム３３３に関連付けられる。カバレッジビーム１０３１（例えば、単一ビーム）は第１ＵＥ１０２１に強い信号強度を提供するが、一方で第２ＴＲＰ１０１２からのカバレッジビーム１０３３は第１ＵＥ１０２１に弱い信号強度を招く。このような方式で、ＢＳはビーム１０３１を用いて第１ＵＥ１０２１に信号を送信すると共に、ＢＳは第２ＴＲＰ１０１２からのビーム１０３３を用いて第１ＵＥ１０２１に対する多くの干渉を招くことなく他のＵＥ（例えば、第２ＵＥ１０２２）をサービングする。
【０１１７】
一部の実施形態で、ＵＥはビームグルーピングを考慮して、受信されたビームの基準信号受信電力（ｒｅｆｅｒｅｎｃｅ  ｓｉｇｎａｌ  ｒｅｃｅｉｖｅｄ  ｐｏｗｅｒ：ＲＳＲＰ）を測定及び報告する。ビームグルーピングはＲＳＲＰ測定に対するＵＥの動作に影響を及ぼす場合もあり、又は及ぼさない場合もあるが、ＲＳＲＰ報告内容の選択時にＵＥ動作を変更する。
【０１１８】
ＲＳＲＰ測定のために、ＵＥはＭＲＳ−１に対する測定を行ってサービングセルの各受信ビームに対するＮｔｏｔａｌの送信ビームのＲＳＲＰを測定する。そのために、ＭＲＳ−１は各々が送信ビームに対応する一区間内のＮｔｏｔａｌの直交リソースを介して送信される。ＭＲＳ−１のリソースは、コム（ｃｏｍｂ）インデックス、ＯＣＣコードインデックス、サブフレームインデックス、ＯＦＤＭシンボルインデックス、サブ帯域インデックス、及びアンテナポート番号の内の少なくとも１つの組み合わせに対応する。ＵＥがＮＲＸのビームを有する場合、ＵＥは送信及び受信ビームの全ての組み合わせに対してＮＲＸ・ＮｔｏｔａｌのＲＳＲＰを測定する。Ｎｔｏｔａｌのビームはセル２０１のカバレッジ領域内のＵＥがこれらのビームの内の少なくとも１つを受信するようにｅＮＢによって構成される。Ｎｔｏｔａｌのビームは複数のビームグループに分割され、グループ内のビームは図９に示すＴＲＰサブセット（９３１、９３２、９３３）のＴＲＰによって構成される。ビームグルーピング情報は、上位層に、例えばＭＩＢ（ｍａｔｅｒ  ｉｎｆｏｒｍａｔｉｏｎ  ｂｌｏｃｋ）（図８のステップ３）又はシステム情報ブロック（ｓｙｓｔｅｍ  ｉｎｆｏｒｍａｔｉｏｎ  ｂｌｏｃｋ：ＳＩＢ）（図８のステップ４）又はＲＲＣ構成（ステップ５以降、例えばＲＡＲ又は別途のＲＲＣシグナリングで）で構成される。
【０１１９】
少なくとも２つの方法がビームグルーピング情報シグナリングを設計する方式及びこれらのＮｔｏｔａｌのビームをインデキシングする方式に対して考慮される。
【０１２０】
第１の方法の一実施形態では、Ｎｔｏｔａｌのビームが単一ビームインデックス（ＢＩ）ｂ∈｛０，１，…，Ｎｔｏｔａｌ−１｝によってインデキシングされる。ビームグルーピング情報は少なくとも次を含む。ビームグループの数Ｎｇ∈｛０，１，…，Ｎｇ，ｍａｘ−１｝、ここで、ビームグループは、ｎ∈｛０，１，…，Ｎｇ−１｝によってインデキシングされる。
【０１２１】
ビームグループが同じ個数のビームを有する場合、各ビームグループはＮＢ（＝Ｎｔｏｔａｌ／Ｎｇ）のビームを有し、この場合、ビームｎは全てのｎに対してＮＢ，ｎ個のビームを有してＮＢ，ｎ＝ＮＢになる。例えば、Ｎｔｏｔａｌ＝１００であり、Ｎｇ＝５が構成される場合、各グループはＮＢ＝２０個のビームを有し、グループｎは｛ＮＢ（ｎ−１），…，ＮＢｎ−１｝又はこれと同等のＮＢ（ｎ−１）＋ｂ′を含むＢＩを有する。ここで、ｎ∈｛０，１，…，Ｎｇ−１｝及びｂ′∈｛０，１，…，ＮＢ｝である。
【０１２２】
より一般的な代案で、ビームグルーピング情報は、異なるビームグループで潜在的に異なる個数のビームを有するビームグループのビームのＮｇ個の番号リストを含む。｛ＮＢ，ｎ｝、ここで、
2019531637.tif 000003
。
【０１２３】
第２の方法の一実施形態では、Ｎｔｏｔａｌのビームが次のような２つのインデックスによってインデキシングされる。ビームインデックス（ＢＩ）ｂ∈｛０，１，…，ＮＢ−１｝及びビームグループインデックスｎ∈｛０，１，…，Ｎｇ−１｝、ここで、Ｎｔｏｔａｌ＝ＮＢ・Ｎｇであり、ＮＢは常数である。ビームグルーピング情報は少なくとも次を含む。ビームグループの数Ｎｇ∈｛０，１，…，Ｎｇ，ｍａｘ−１｝、ここで、ビームグループはｎ∈｛０，１，…，Ｎｇ−１｝によってインデキシングされる。
【０１２４】
第の３方法の一実施形態では、Ｎｔｏｔａｌのビームが単一ビームインデックス（ＢＩ）ｂ∈｛０，１，…，Ｎｔｏｔａｌ−１｝によってインデキシングされ、追加インデックス（スクランブリングＩＤ、ＳＣＩＤ）がこれらのビーム（ＭＲＳ−１）を構成するためのスクランブリングシーケンスを示す。同じビームＩＤを有するが異なるスクランブリングＩＤを有する複数のＭＲＳ−１が同じＭＲＳ−１のリソースにマッピングされるが、異なるスクランブリングＩＤは異なるスクランブリングシーケンスを有し、異なるスクランブリングＩＤは同じＭＲＳ−１のリソースで非−直交方式で多重化される。このような実施形態で、ＵＥはＭＲＳ−１の構成に用いられるＳＣＩＤを示す「ＭＲＳスクランブリングＩＤ（ＳＣＩＤ）情報」で構成される。ＵＥがＮｓｃスクランブリングＩＤで構成される場合、ＵＥは受信ビーム当たりＮｓｃ・Ｎｔｏｔａｌの送信ビームのＲＳＲＰを測定する必要がある。
【０１２５】
このような実施形態では、ＭＲＳ−１の送信のためのセル内の周波数リソースが再利用され、図９に示すように異なる地理的領域をカバーする複数のＴＰグループを有するセルに有用である。例えば、ＵＥが２つのＳＣＩＤ（即ち、Ｎｓｃ＝２）で構成される場合、ＵＥは２つの異なるＴＲＰグループからＲＳＲＰを推定する。ｅＮＢはＴＲＰグループ間のビームフォーミング動作のために２つのＴＲＰグループに対するＲＳＲＰ測定を利用する。
【０１２６】
一部の実施形態で、ＵＥは（１）第１ＳＣＩＤで構成されたビームが第１ビームグループに属し、また（２）第２ＳＣＩＤで構成されたビームが第２ビームグループに属して、ビームのＲＳＲＰ測定を仮定する。このような実施形態で、ＵＥは、Ｎｇ＝Ｎｓｃであり、ＮＢ＝Ｎｔｏｔａｌと仮定する。ＵＥはこれらのＮｓｃのスクランブリングＩＤ（及び、また対応する異なるスクランブリングシーケンス）によって生成されるこれらのＮｓｃの異なるスクランブリング初期化を適用して、受信ビーム当たりＮｓｃ・Ｎｔｏｔａｌ個のＲＳＲＰを測定する。一例では、スクランブリングシーケンスが（物理的セルＩＤ）＊２Ａ＋ＳＣＩＤの形態に初期化される。ここで、Ａは正の整数である。「ＭＲＳ  ＳＣＩＤ情報」は、ＭＩＢ（図８のステップ３）、ＳＩＢ（図８のステップ４）で構成されるか、又はＲＲＣ構成（ステップ５以降、例えばＲＡＲ又は別途のＲＲＣシグナリングで）で構成される。
【０１２７】
一例で、「ＭＲＳ  ＳＣＩＤ情報」は｛第１ＳＣＩＤ、第２ＳＣＩＤ，…，第ＮｓｃＳＣＩＤ｝のＳＣＩＤリストを直接示す。他の例で、「ＭＲＳ  ＳＣＩＤ情報」は次のいくつかの候補の中からＳＣＩＤリストを示す。｛第１ＳＣＩＤ｝、｛第１ＳＣＩＤ、第２ＳＣＩＤ｝、｛第１ＳＣＩＤ、第２ＳＣＩＤ、第３ＳＣＩＤ、第４ＳＣＩＤ｝の選択。他の方法で、「ＭＲＳ  ＳＣＩＤ情報」は１、２、又は４の選択であるＳＣＩＤの個数を示す。ＵＥが１、２、及び４の内の１つの値で構成される場合、示される候補ＳＣＩＤはそれぞれ｛第１ＳＣＩＤ｝、｛第１ＳＣＩＤ、第２ＳＣＩＤ｝、及び｛第１ＳＣＩＤ、第２ＳＣＩＤ、第３ＳＣＩＤ、第４ＳＣＩＤ｝である。
【０１２８】
図１１Ａは、ユーザ装置（ＵＥ）によって行われる本発明の一実施形態による制御信号を受信してＢＩ及びビームＲＳＲＰを測定及び報告する方法１１００を示すフローチャートである。図１１Ａに示す方法１１００の実施形態は単なる説明のためのものである。図１１Ａに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１２９】
図１１Ａに示すように、ステップ１１１１で、ＵＥは上位層（ＲＲＣ）に（１）ビームグルーピング情報（Ｎｇビームグループ、ここで、ビームグループｎはＮＢ，ｎビームを有する）、及び（２）ＲＳＲＰ報告のためのビーム選択方法（ＰＵＳＣＨ又はＰＵＣＣＨ）で構成される。ステップ１１１２で、受信されたＭＲＳ−１で、ＵＥは受信ビーム当たり送信ビームのＲＳＲＰを測定し、ＵＥがＮＲＸビームを有する場合、ビームＲＳＲＰの総個数は送信及び受信ビームの全ての組み合わせに対してＮＲＸ・Ｎｔｏｔａｌ（又は代替的に方法３に対するＮＲＸ・Ｎｔｏｔａｌ・Ｎｓｃ）になる。ステップ１１１３で、ＵＥがＲＳＲＰを報告するようにトリガされた場合、ＵＥは少なくとも部分的に上述の構成（１）及び（２）によって上記選択されたビームのＲＳＲＰ及びそのビームのＢＩを報告する。
【０１３０】
一部の実施形態では、ＲＳＲＰが周期的にＰＵＣＣＨで報告される。ＵＥは、上位層（ＲＲＣ）にサブフレーム区間及びオフセット、及びＰＵＣＣＨ  ＲＳＲＰ報告のためのＰＵＣＣＨのリソースで構成される。ＰＵＣＣＨ  ＲＳＲＰ報告のために構成された１サブフレームで、ＵＥは、全てのビームグループに亘って全てのビームの中の最も高いＲＳＲＰを有するビームを選択し、ＰＵＣＣＨのリソースで報告する（ビームグループＩＤ、ビームＩＤ、対応ＲＳＲＰ）。
【０１３１】
一部の実施形態で、ＲＳＲＰ報告は、ＵＬグラントのダウンリンク制御情報（ｄｏｗｎｌｉｎｋ  ｃｏｎｔｒｏｌ  ｉｎｆｏｒｍａｔｉｏｎ：ＤＣＩ）によってトリガされる。ＵＥは、またＰＵＳＣＨの報告に含まれるビームグループ当たりのビーム数（Ｎｒ）をＵＬグラントのＤＣＩから動的に示されるか、又は上位層（ＲＲＣ）に構成され、代替的にＮｒが所定の正の整数（例えば２、４）である。ＵＬグラントのＤＣＩはＵＥがＲＳＲＰを報告する必要があるか否か及び方法を示すためのビットフィールドを含む。ビットフィールドの状態が第１の状態の場合、ＵＥはスケジューリングされたＰＵＳＣＨでデータのみ（ＲＳＲＰ報告なし）を送信する。ビットフィールドの状態が他の状態の場合、ビームＲＳＲＰがスケジューリングされたＰＵＳＣＨで報告される。
【０１３２】
一部の実施形態で、ＵＥはスケジューリングされたＰＵＳＣＨでＮｒＮｇ  ＲＳＲＰ及びＮｒＮｇ  ＢＩを報告する。ＵＥは各々のＮｇビームグループでビームのＲＳＲＰを測定する。その後、ＵＥはビームグループ当たりの最大のＮｒ  ＲＳＲＰ及び報告のための対応ＢＩを選択する。１つの方法（ステップ１１１１におけるビーム選択構成（２））が上位層に構成され、報告のためにビームグループ当たりのＮｒが最大のＲＳＲＰビームを選択する方法をＵＥに示す。一例において、第１の方法が構成される場合（例えば、独立した測定）、１つのビームグループのＮｒが、最大のＲＳＲＰビームが他のビームグループのために選択されたビームとは独立して選択される。上記実施形態は、ｅＮＢがＵＥに対するＤＬデータ送信のために単一ＴＲＰ又はＤＰＳを含むＤＬ送信技術を利用する時に有用である。ＵＥは構成されたビームグループ毎にＮｒ個の対（ビームＩＤ、対応するＲＳＲＰ）を報告し（この場合、ＵＥはＮｒＮｇの対の情報を報告する）、各グループのビームＩＤは対応するＲＳＲＰがビームグループのＮｒ個の最適のビームの内の１つになるように選択される。
【０１３３】
他の例において、第の２方法（例えば、受信−ビーム制約測定）が構成される場合、同じ受信ビームが他のビームグループのｉ番目に大きいＲＳＲＰのビームに用いられる制約条件によって１つのビームグループの中のｉ番目に大きいＲＳＲＰのビームが選択される（ここで、ｉ∈｛１，２，…，Ｎｒ｝）。該方法は、ｅＮＢがＤＬデータ送信のために複数のＴＲＰを含む非−コヒーレントＪＴ又は他の関連のＣｏＭＰ技術を利用する時に有用である。このような例で、最大のＲＳＲＰのビームを選択するために、ＵＥは、先ず全てのグループに亘る全てのビームの中の最大のＲＳＲＰを有する第１ＢＩを選択する。次いで、ＵＥは、第１ビームグループの最適のＲＳＲＰを導出するために用いられたものと同じ受信ビームが他のビームグループの各々にあるビームに対して用いられるという制約条件下で、第１ＢＩが属する第１ビームグループ以外の他のビームグループの各々にあるビームの中の最適のＲＳＲＰを有する第２ＢＩを選択する。ｉ番目に大きいＲＳＲＰのビームもこれと同様に選択される。このような例で、受信−ビーム制約測定の報告内容を構成するためのいくつかの代案があり、詳細な内容を以下で説明する。
【０１３４】
第２の方法（受信−ビーム制約測定）に対する代案１の一例において、ＵＥはスケジューリングされたＰＵＳＣＨでＮｒ個のビームのＲＳＲＰ報告事項を報告する。ここで、各々のビームのＲＳＲＰ報告に対してＵＥはＮｇ個のビームＩＤ及びビームグループ当たり１つのＢＩを含むように構成される。
【０１３５】
このような報告を構成するために、ＵＥは各受信ビームに対してビームグループ当たり１つのビームであるＮｇ個のビームの合計ＲＳＲＰを計算する。この場合、合計ＲＳＲＰの総数は
2019531637.tif 000004
になる。ＵＥは降順で合計ＲＳＲＰを整列する。ｉ番目ビームのＲＳＲＰ報告を含むビームは、同じＵＥ受信ビームが報告内の全てのビームに対して用いられるという制約条件によってｉ番目に大きい合計ＲＳＲＰを達成する（ここで、ｉ∈｛１，２，…，Ｎｒ｝）。
【０１３６】
一実施形態で、各々のビームのＲＳＲＰ報告は｛第１ビームＩＤ，第２ビームＩＤ，…，第ＮｇビームＩＤ，合計ＲＳＲＰ｝を含む。ここで、第ｊビームＩＤは、ｊ番目構成されたビームグループ（ｊ∈｛１，２，…，Ｎｇ｝）の中から選択され、合計ＲＳＲＰは報告されたビームに対応するＲＳＲＰの合計である。
【０１３７】
一実施形態で、ｉ番目の報告を含むビームはｉ番目に大きい合計ＲＳＲＰを達成し、またこれは全てのビームに対して同じＵＥ受信ビームが用いられるという制約条件による全てのビームのＲＳＲＰが第１ビームＲＳＲＰのしきい値γｂ１よりも大きい条件を満足させる。ビームのＲＳＲＰのしきい値γｂ１の値はＵＥに対して上位層に構成される。
【０１３８】
代案２の一例において、ＵＥは、（１）構成されたビームグループの内の一部（Ｎｇ，ｓｅｒｖｉｎｇのサービングビームグループとして示される）から最大のＲＳＲＰビームを選択し、また（２）スケジューリングされたＰＵＳＣＨでのＲＳＲＰ報告のために構成されたビームグループの内の残りの（Ｎｇ，ｃｏｍｐａｎｉｏｎのコンパニオンビームグループとして表される）から最小のＲＳＲＰのビームを選択する。ここで、Ｎｇ＝Ｎｇ，ｓｅｒｖｉｎｇ＋Ｎｇ，ｃｏｍｐａｎｉｏｎである。この目的のために、ＵＥは、どのビームグループがサービンググループであるか、どのビームグループがコンパニオングループであるかを示す情報要素で上位層に構成される。代替的には、ＵＥはどのビームグループがコンパニオングループであるかを示す情報要素で上位層に構成され、この場合、残りのビームグループはサービンググループである。
【０１３９】
これらの報告を構成するために、ＵＥは、（１）各受信ビームに対してサービングビームグループ当たり１つのビームであるＮｇ，ｓｅｒｖｉｎｇのビームの第１タイプの合計ＲＳＲＰ、（２）各受信ビームに対してコンパニオンビームグループ当たり１つのビームであるＮｇ，ｃｏｍｐａｎｉｏｎのビームの第２タイプの合計ＲＳＲＰを計算する。この場合、第１タイプの合計ＲＳＲＰと第２タイプの合計ＲＳＲＰとの総数は、それぞれ
2019531637.tif 000005
になる。ＵＥは、第１タイプの合計ＲＳＲＰを降順で整列し、また第２タイプの合計ＲＳＲＰを昇順で整列する。このような具現例を図１１Ｂに示す。
【０１４０】
図１１Ｂは、本発明の一実施形態による例示的なサービング及びコンパニオンビームグループ１１５０を示す図である。図１１Ｂに示すサービング及びコンパニオンビームグループ１１５０の実施形態は単なる例示のためのものである。図１１Ｂに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１４１】
ＵＥは、Ｎｇ，ｓｅｒｖｉｎｇ＝２のサービングビームグループ及びＮｇ，ｃｏｍｐａｎｉｏｎ＝２のコンパニオンビームグループで構成される。ＵＥはサービング及びコンパニオンビームグループに対する第１及び第２タイプの合計ＲＳＲＰを降順及び昇順でそれぞれソートする。最大の第１タイプの合計ＲＳＲＰはビームｂ０、ｂ１０及び受信ビームｘで達成され、２番目に大きい第１タイプの合計ＲＳＲＰはビームｂ１、ｂ１１及び受信ビームｙで達成され、その他も同様である。最小の第２タイプの合計ＲＳＲＰはビームｂ２０、ｂ３０及び受信ビームｓで達成され、２番目に小さい第２タイプの合計ＲＳＲＰはビームｂ２１、ｂ３１及び受信ビームｔで達成され、その他も同様である。
【０１４２】
一実施形態で、ＵＥは、スケジューリングされたＰＵＳＣＨでＮｒ個のビームＲＳＲＰ報告事項を報告し、各ビームＲＳＲＰ報告に対してＵＥはＮｇ個のビームＩＤ、ビームグループ当たり１つのＢＩを含む。ｉ番目ビームＲＳＲＰ報告を含むビームは次によって選択される。サービンググループから選択されたビームは（送信及び受信ビーム対の全ての組み合わせに亘って）ｉ番目に大きい合計ＲＳＲＰを達成し（ｉ∈｛１，２，…，Ｎｒ｝）、コンパニオングループから選択されたビームは、サービンググループから選択されたビームの合計ＲＳＲＰとコンパニオンビームから選択されたビームの合計ＲＳＲＰとの間の差がＲＳＲＰオフセットのしきい値γｂ２よりも大きいという条件を満足させ、またこれらのビームは全てのＵＥビームに対して同じＵＥ受信ビームが用いられるという制約条件によって選択される（ここで、ｉ∈｛１，２，…，Ｎｒ｝）。
【０１４３】
ＲＳＲＰオフセットのしきい値γｂ２の値はＵＥに対して上位層に情報要素で構成される。一例において、ｉ番目ビームのＲＳＲＰ報告を含むビームはサービンググループからビームのｉ番目に大きい合計ＲＳＲＰを達成し、また同じＵＥの受信ビームが全てのビームに対して用いられるという制約条件によって、サービンググループから選択されたビームの合計ＲＳＲＰが第１の合計ＲＳＲＰのしきい値γｂ３よりも大きく、コンパニオングループから選択されたビームの合計ＲＳＲＰが第２の合計ＲＳＲＰのしきい値γｂ４よりも小さいという条件を満足させる（ここで、ｉ∈｛１，２，…，Ｎｒ｝）。合計ＲＳＲＰのしきい値γｂ３及びγｂ４の値は、ＵＥに対して上位層に情報要素で構成される。
【０１４４】
一例において、各々のビームＲＳＲＰ報告は｛第１ビームＩＤ，第２ビームＩＤ，…，第ＮｇビームＩＤ，サービンググループの合計ＲＳＲＰ｝を含む。ここで、第ｊビームＩＤはｊ番目に構成されたビームグループの中から選択され（ｊ∈｛１，２，…，Ｎｇ｝）、サービンググループの合計ＲＳＲＰはサービンググループで報告されたビームに対応するＲＳＲＰの合計である。
【０１４５】
一具現において、ネットワークは、ＵＥによってサービンググループとして用いられるビームグループの数をＵＥに対して構成する。ＮＳの値、サービンググループの数は上位層メッセージを介してＵＥに対して構成される。ＵＥはスケジューリングされたＰＵＳＣＨでＮｒ個のビームのＲＳＲＰ報告を報告し、各々のビームのＲＳＲＰ報告に対してＵＥは、Ｎｇ個のビームＩＤ、ビームグループ当たり１つのＢＩを含む。ｉ番目のビームのＲＳＲＰ報告を含むビームは同じＵＥ受信ビームが全てのビームに対して用いられるという制約条件によって、（１）ＮＳビームグループから選択されたビームの合計ＲＳＲＰが第１の合計ＲＳＲＰのしきい値γｂ３よりも大きく、（２）他のＮｇ−ＮＳのビームグループから選択された（このビームの組み合わせのためのコンパニオンビームグループとして選択された）ビームの合計ＲＳＲＰが第２の合計ＲＳＲＰのしきい値γｂ４よりも小さいという条件を満足させる（ここで、ｉ∈｛１，２，…，Ｎｒ｝）。
【０１４６】
一例において、ｉ番目のビームのＲＳＲＰ報告を含むビームはＮｇに構成されたビームグループの中のＮＳビームグループから選択されたｉ番目に大きい合計ＲＳＲＰを達成し、同じ受信ビームが全てのビームに対して用いられるという制約条件によって、これらのＮＳのビームグループから選択されたビームの合計ＲＳＲＰ及び他のＮｇ−ＮＳのビームグループから選択されたビームの合計ＲＳＲＰがＲＳＲＰオフセットのしきい値γｂ２よりも大きいという条件を満足させる（ここで、ｉ∈｛１，２，…，Ｎｒ｝）。
【０１４７】
他の例において、各々のビームのＲＳＲＰ報告は｛第１ビームＩＤ，第２ビームＩＤ，…，第ＮｇビームＩＤ，ビームグループのビットマップ，サービンググループの合計ＲＳＲＰ｝を含む。ここで、第ｊビームＩＤはｊ番目に構成されたビームグループから選択され（ｊ∈｛１，２，…，Ｎｇ｝）、またビームグループのビットマップはＮｇビットフィールドであり、ビット＃１は第１構成されたビームグループに対応し、ビット＃２は第２構成されたビームグループに対応し、ビット＃Ｎｇは第Ｎｇ構成されたビームグループに対応する。１ビットの値は、該当ビームグループがサービンググループとして用いられるか又はコンパニオングループとして用いられるかを示す。サービンググループの合計ＲＳＲＰは、サービンググループで報告されたビームに対応するＲＳＲＰの合計である。
【０１４８】
一実施形態で、ＵＥは受信ビームの能力をＢＳに報告する。一例において、ＵＥはＵＥが１つの受信ビームのみを有するか又は複数の受信ビームを介してビームスウィーピングを行うかをＢＳに示すために１ビットを使用する。ＵＥがビームスウィーピングを行うことをビットが示す場合、ＢＳは同じ受信ビームが用いられると仮定することでＲＳＲＰを測定するようにＵＥを構成する。
【０１４９】
一実施形態で、ＲＳＲＰインデックスとＲＳＲＰの測定された量（ｑｕａｎｔｉｔｙ）の値との間でのマッピングが定義される。表１に一例を示す。ＵＥは、測定されたＲＳＲＰ量をＲＳＲＰインデックスに変換し、ＲＳＲＰ報告でＲＳＲＰインデックスを報告する。
【０１５０】
【表１】
2019531637.tif 000006
【０１５１】
本発明の一実施形態は、ＰＤＣＣＨ及びＰＤＳＣＨ送信のための送信ビーム管理を考慮する。ＰＤＣＣＨ送信及びＰＤＳＣＨ送信のために用いられる送信ビームは異なる。従って、ＵＥは、（１）ＰＤＣＣＨ送信に用いられるビーム、及び（２）ＰＤＳＣＨ送信のために用いられるビームに個別的に構成される。
【０１５２】
ＰＤＣＣＨ及びＰＤＳＣＨ送信は、一般的に異なる送信方式を用いる。例えば、ＰＤＣＣＨはいくつかの送信ダイバーシティ方式を用い、例えばＳＦＢＣ及びＰＤＳＣＨが空間多重化方式又はネットワークＭＩＭＯ方式を用いる。異なる送信方式に対応する最適のビームが異なる。このような方式で、ｅＮＢはＰＤＣＣＨ及びＰＤＳＣＨ送信のために異なるビームを用いる。
【０１５３】
図１２は、ＵＥによって行われる本発明の一実施形態による物理ダウンリンク制御チャネル（ＰＤＣＣＨ）デコーディング方法１２００を示すフローチャートである。図１２に示す方法１２００の実施形態は単なる説明のためのものである。図１２に示すコンポーネントの内の１つ以上は言及する機能を行う特殊回路で具現されるか、或いは１つ以上の構成要素は言及する機能を遂行するための命令を実行する１つ以上のプロセッサによって具現される。他の実施形態が本発明の範囲から逸脱することなく用いられる。
【０１５４】
一実施形態で、ＢＳはＰＤＣＣＨ送信のために用いられる送信ビームをＵＥにシグナリングし、ＢＳはＰＤＳＣＨ送信のために用いられる送信ビームをＵＥにシグナリングする。ＵＥはＢＳからの送信ビーム構成によってＰＤＣＣＨを受信し、ＵＥは該ＰＤＣＣＨをデコーディングしてＰＤＳＣＨのスケジューリング情報を獲得する。次いで、ＵＥはＰＤＳＣＨに対する送信ビーム構成及びＰＤＣＣＨでのスケジューリング情報によってＰＤＳＣＨをデコーディングする。一例を図１２に示す。図１２に示すように、手順１２００において、先ず、ＢＳはステップ１２１１でＰＤＣＣＨに対する送信ビーム構成をＵＥに示す。ＢＳはステップ１２１２でＰＤＳＣＨに対する送信ビーム構成をＵＥに示す。ＵＥはステップ２１１３でＰＤＣＣＨに対する送信ビーム構成によってＰＤＣＣＨをデコーディングする。そして、ＵＥはステップ１２１４でＰＤＳＣＨに対する送信ビーム構成及びＰＤＣＣＨでのスケジューリング情報によってＰＤＳＣＨをデコーディングする。
【０１５５】
ＢＳは、上位層シグナリング（例えば、ＲＲＣ）、ＭＡＣシグナリング、又は物理層シグナリング（例えば、ＰＤＣＣＨのＤＣＩ）によって、ＰＤＣＣＨ送信のために用いられる情報送信ビームをＵＥに示す。ＢＳがＰＤＣＣＨのために用いられる送信ビームを示すためにＵＥにシグナリングする情報は次の内の１つである。１つのビームインデックス、複数のビームインデックス、１つのビームインデックス及び１つのビームグループインデックス、｛ビームインデックス，ビームグループインデックス｝の複数セット、並びにビーム情報報告の１つの項目に対するインデックス。
【０１５６】
一方法において、ＢＳはＰＤＣＣＨに対する送信ビームの情報及びサブフレームタイミング情報（ｋ）をＵＥにシグナリングする。ＵＥは、サブフレームｎでＵＥがその構成を受信する場合、サブフレームｎ＋ｋから開始するこの構成された送信ビームでＰＤＣＣＨを受信する。
【０１５７】
ＢＳは、上位層シグナリング（例えば、ＲＲＣ）、ＭＡＣシグナリング、又は物理層シグナリング（例えば、ＰＤＣＣＨのＤＣＩ）によって、ＰＤＳＣＨ送信のために用いられる送信ビームの情報をＵＥに示す。ＢＳがＰＤＳＣＨのために用いられる送信ビームを示すためにＵＥにシグナリングする情報は次の内の１つである。１つのビームインデックス、複数のビームインデックス、１つのビームインデックス及び１つのビームグループインデックス、｛ビームインデックス，ビームグループインデックス｝の複数セット、並びにビーム情報報告の１つの項目に対するインデックス。
【０１５８】
一方法において、ＢＳはＰＤＳＣＨに対する送信ビームの情報及びサブフレームタイミング情報（ｌ）をＵＥにシグナリングする。ＵＥは、サブフレームｎで構成を受信する場合、サブフレームｎ＋１から開始するこの構成された送信ビームでＰＤＳＣＨを受信する。
【０１５９】
一方法において、ＢＳは、ハイブリッド方法によってＰＤＳＣＨ送信のためのビームを構成する。ＢＳがＰＤＳＣＨ送信のために１つのビームを選択する送信ビームのセットに対する情報が上位層シグナリング又はＭＡＣシグナリングを介してシグナリングされる。その後、ＢＳはＰＤＳＣＨに用いられる送信ビームをＵＥに示すためにＰＤＣＣＨで１ビットフィールドを使用する。一例において、ＢＳは２つの選択的送信ビームをＵＥに対して構成し、ＢＳはＰＤＳＣＨ送信に用いられる送信ビームを示すためにＰＤＣＣＨで１ビットフィールドを使用する。他の例において、ＢＳは４個の選択的な送信ビームのセットをＵＥに対して構成し、ＢＳは２ビットフィールドを用いてＰＤＳＣＨ送信のために用いられる送信ビームを示す。更に他の例において、ＢＳは８個の選択的送信ビームのセットをＵＥに対して構成し、ＢＳは３ビットフィールドを用いてＰＤＳＣＨ送信に用いられる送信ビームを示す。
【０１６０】
一実施形態で、ＢＳはＰＤＳＣＨ割り当てをスケジューリングするＰＤＣＣＨ内のＤＣＩを介してＰＤＳＣＨに対する送信ビームを構成する。ＤＣＩはＰＤＳＣＨ割り当てのために用いられる送信ビームの情報及びＰＤＳＣＨ割り当てのためのスケジューリング情報を明示的に含む。一方法において、１つのサブフレーム内のＵＥ−共通ＤＣＩは１つのサブフレームで全てのＰＤＳＣＨ割り当てのために用いられる送信ビームを構成する。
【０１６１】
一実施形態では、１つのＤＣＩのタイプ情報がＰＤＳＣＨに対する送信ビームを構成する。ＤＣＩタイプがいくつかの特定タイプの内の１つの場合、ＰＤＳＣＨはＰＤＣＣＨと同じビームで送信される。ＤＣＩタイプがいくつかの特定タイプの内の１つの場合、ＰＤＳＣＨは上述の方法を用いてＤＣＩ又は他のシグナリングで明示的に示されるビームで送信される。
【０１６２】
本発明は、ＰＤＣＣＨ及びＰＤＳＣＨのダウンリンク送信のために受信ビームをＵＥに示すことを考慮する。このような方式で、ＢＳが送信ビームを示す代わりに、ＵＥがＰＤＣＣＨ及びＰＤＳＣＨ受信に使用する受信ビームを構成する。
【０１６３】
図１３は、本発明の一実施形態による物理ダウンリンク共有チャネル（ＰＤＳＣＨ）デコーディング方法１３００を示すフローチャートである。図１３に示す方法１３００の実施形態は単なる説明のためのものである。図１３に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１６４】
一実施形態で、ＢＳはＰＤＣＣＨ送信のために用いられる受信ビームをＵＥにシグナリングし、ＢＳはＰＤＳＣＨ送信のために用いられる受信ビームをＵＥにシグナリングする。ＵＥはＢＳからの受信ビーム構成によってＰＤＣＣＨを受信し、ＵＥはＰＤＣＣＨをデコーディングしてＰＤＳＣＨのスケジューリング情報を得る。次いで、ＵＥはＰＤＳＣＨに対する受信ビーム構成及びＰＤＣＣＨ内のスケジューリング情報によってＰＤＳＣＨをデコーディングする。一例を図１３に示す。図１３に示すように、手順１３００において、先ず、ＢＳはステップ１３１１でＰＤＣＣＨに対する受信ビーム構成をＵＥに示す。ＢＳはステップ１３１２でＰＤＳＣＨに対する受信ビーム構成をＵＥに示す。ＵＥはステップ１３１３でＰＤＣＣＨに対する受信ビーム構成によってＰＤＣＣＨをデコーディングする。そして、ＵＥはステップ１３１４でＰＤＳＣＨに対する受信ビーム構成及びＰＤＣＣＨ内のスケジューリング情報によってＰＤＳＣＨをデコーディングする。
【０１６５】
ＰＤＣＣＨ及びＰＤＳＣＨに対する送信ビームを構成するための上述の実施形態は、ここで、簡単な拡張によってＰＤＣＣＨ及びＰＤＳＣＨに対する受信ビーム構成を構成するために用いられる。受信ビーム構成に対する詳細な説明は簡略化のために省略する。
【０１６６】
一部の実施形態では、ビーム測定構成が考慮される。ＭＲＳアンテナポートのセットがビームに対応し、ビームセットは１つのビームグループに対応する。このようなビーム及びＭＲＳ構成のグループをビームグループ構成と称する。
【０１６７】
一部の実施形態で、ＵＥは、ダウンリンク及びアップリンクの同期化を獲得してｅＮＢとのＲＲＣ接続を確立する。構成されるＢＲＳの最大数がＮｂ，ｍａｘビームであると仮定する。Ｎｂ，ｍａｘビームは、例えば異なる時間インスタント又は周波数ドメインを送信することによって間若しくは周波数又は両方で区別される。一例において、時間インスタントで異なるビームを送信することは、異なるＯＦＤＭシンボルで送信することである。周波数ドメインで異なるビームを送信する一例は、異なるビームに対して異なるＲＥオフセットを用いることである。他の例において、周波数ドメインで異なるビームを送信することは、異るビームの中から直交カバーリングコードを使用することである。本明細書では、ビーム及びビーム基準信号（ＢＲＳ）が相互交換的に用いられる。
【０１６８】
一例では、ビームグループ構成で、ビームはＯグループにパーティーショニングされる。ここで、グループ０はビーム｛０…ｆｌｏｏｒ（Ｎｂ，ｍａｘ／Ｏ）｝を含み、グループ１は｛ｆｌｏｏｒ（Ｎｂ，ｍａｘ／Ｏ）…２×ｆｌｏｏｒ（Ｎｂ，ｍａｘ／Ｏ）｝を含み，…，ビームグループＯ−１は｛（Ｏ−１）×ｆｌｏｏｒ（Ｎｂ，ｍａｘ／Ｏ）…Ｎｂ，ｍａｘ｝を含む。ネットワークはＵＥにＯの値をシグナリングする必要がある。一方法は、ビームグループの数を示すＤＣＩ、ＲＲＣ、ＭＩＢ、又はＳＩＢのいくつかのビットによる明示的シグナリングである。一例を表２に示す。表２に示すように、ビームグループ内のビームの数が２ビットフィールドの状態によって表される。ビットフィールドはＤＣＩ又はＲＲＣシグナリングメッセージ又はＭＩＢ／ＳＩＢに含まれる。
【０１６９】
【表２】
2019531637.tif 000007
【０１７０】
一部の実施形態では、ビームグループの数が暗示的にシグナリングされる。ｅＮＢはビームグループの特定のスクランブリングシーケンスを適用することによって、ＢＲＳが属するビームグループを暗示的に示す。例えば、ＢＲＳはＣｉｎｉｔによって初期化される擬似ランダムシーケンスによって生成される。ここで、Ｃｉｎｉｔ＝ｆ（ｎｇ）＋値（値はグループＩＤに依存せず）であり、ｎｇはグループＩＤであり、Ｇｔ＝０…０ｔ−１であり、ｆ（）は予め定義された線形又は非線形関数である。
【０１７１】
一例では、次のような方法でビームをグルーピングする。Ｏグループは次のようなビームにマッピングされる。ビームグループＯはビーム｛０：Ｏ：Ｎｂ，ｍａｘ｝を含み，…，ビームグループＯ−１はビーム｛Ｏ−１：Ｏ：Ｎｂ，ｍａｘ｝を含む。
【０１７２】
一部の実施形態で、ｅＮＢはＯグループの対応特性をＵＥにシグナリングする。１つの例示的な特性は１つのビームグループから選択されたビームが異なるビームグループから選択された他のビームと同じＯＦＤＭシンボルで伝送されるということである。一例において、この特性を有するビームグループの数をＯｔで表す。他の例は、１つのビームグループから選択されたビームが異なるビームグループから選択されたビーム及び同じグループから選択されたビームと異なる空間的相関関係を有するものとＵＥが仮定する。一例において、この特性を有するビームグループの数０をＯｓで表す。
【０１７３】
一例において、ｅＮＢは明示的に又は暗示的に単一の特性に関連付けられたビームグループでビームグループを構成する。例示的な明示的構成で、ビームグループ内のビームのセット数は送信されるビットフィールドの状態によって表される。ビットフィールドインディケーションはＤＣＩ又はＲＲＣシグナリングメッセージ又はＭＩＢ／ＳＩＢに含まれて送信される。
【０１７４】
【表３】
2019531637.tif 000008
【０１７５】
暗示的構成の一例において、ｅＮＢは異なるグループで送信されるビームに対して異なるビームグループの特定のスクランブリングシーケンスを適用することによって、ＢＲＳが属するビームグループインディケーションを暗示的に構成する。例えば、ＢＲＳの基準信号がＣｉｎｉｔによって初期化される擬似ランダムシーケンスによって生成される。ここで、Ｃｉｎｉｔ＝ｆ（Ｇｔｎｇ）＋グループＩＤに依存しない値であり、ｎｇＧｔはグループＩＤであり、Ｇｔ＝０…Оｔ−１であり、ｆ（）は予め定義された線形又は非線形関数である。
【０１７６】
一般に、ビームは空間で互いに関連付けられる。一例は、２つのビームが２つの固有の方向に向くように形成された場合、これらは同時に用いられる可能性がないというものである。他の例は、２つのビームが２つの近接した方向を向くように形成された場合、これらは類似のＢＲＳＲＰを有する可能性が高いというものである。このような相関関係を探索することによって、フィードバックオーバーヘッドを低減する。１つ以上の空間グループにビームを分けることは、このような相関関係を探索する１つの方法として機能する。また、これはｅＮＢ及びＵＥが、例えばコンバット遮断、調整送信、ハイランク送信に用いられる多様なビームを維持することを容易にする。一例は、多重経路がある場合、２つのクラスタが２つの異なる角度から出るものであり、各角度は１つのビームグループによってキャプチャされて各グループ内で効率的に選択される。
【０１７７】
一部の実施形態で、Ｏｓはビーム間のグルーピングを示すように構成される。ビームをグループにマッピングする様々な方法を説明する。第１の代案では、Ｏｓグループが次のようなビームにマッピングされる。グループ０｛０…ｆｌｏｏｒ（Ｎｂ，ｍａｘ／Ｏｓ）｝，…，グループＯｓ−１｛（Ｏｓ−１）ｆｌｏｏｒ（Ｎｂ，ｍａｘ／Ｏｓ）＋１…Ｎｂ，ｍａｘ｝。第２の代案では、Ｏｓグループが次のようなビームにマッピングされる。グループ０｛０：Ｏｓ：Ｎｂ，ｍａｘ｝，…，グループＯｓ−１｛Ｏｓ−１：Ｏｓ：Ｎｂ，ｍａｘ｝。一例において、２つの隣接ビームは非常に近接する空間的相関関係を有す。第１の代案が使用される場合、同じグループに属するビームがより少ない相関関係を有する。第２の代案が使用される場合、異なるグループに属するビームがより少ない相関関係を有する。
【０１７８】
一部の実施形態で、ｅＮＢはＯｔ及びＯｓのシグナリングを介して２つ以上の特性を有するビームグループを構成する。第１の代案で、ビットマップが２つの値を同時に示すために用いられる。このインディケーションは、ＤＣＩ又はＲＲＣシグナリングを介して送信される。
【０１７９】
【表４】
2019531637.tif 000009
【０１８０】
一例において、Ｏｔ及びＯｓビームインデックスの間のマッピングは、
2019531637.tif 000010
である。他の例において、ｅＮＢは異なるグループに送信されるビームに対して異なるスクランブリングシーケンスを適用することによってビームグループインディケーションを暗示的に構成する。例えば、ＢＲＳの基準信号はＣｉｎｉｔによって初期化される擬似ランダムシーケンスによって生成される。ここで、Ｃｉｎｉｔ＝ｆ（Ｇｔ，ｓ）＋グループＩＤに依存しない値であり、Ｇｔ，ｓはグループＩＤであり、０≦Ｇｔ，ｓ≦ＯｔＯｓ−１であり、ｆ（）は予め定義された線形又は非線形関数である。
【０１８１】
一部の実施形態で、ｅＮＢはアレイに接続される単一ＴＸＲＵを具備する。ここで、このビームは、例えばアナログビームフォーミングによって形成される。第２の例示的な動作で、ｅＮＢは各々がアレイに接続されるＫ個のＴＸＲＵを具備する。２つの基本シナリオが考慮される。グルーピングパラメータＯｔは、例えばＯｔ＝ＫのようにＫに関連付けられる。
【０１８２】
一部の実施形態では、ＴＸＲＵの各々が異なるビームのセットを送信する。例えばＴＸＲＵ０がビーム｛０…ｆｌｏｏｒ（Ｎｂ，ｍａｘ／Ｏｔ）｝を送信し，…，ＴＸＲＵＯｔ−１が｛（Ｏｔ−１）ｆｌｏｏｒ（Ｎｂ，ｍａｘ／Ｏｔ）＋１…Ｎｂ，ｍａｘ｝を送信する。この場合、異なるＴＸＲＵで送信されるビームがデータ又は制御のために同時に用いられるが、同じＴＸＲＵで送信されるビームはデータ又は制御のために同時に用いられる場合もあり、又は用いられない場合もある（第１例に類似）。
【０１８３】
一部の実施形態では、全てのＴＸＲＵは、同じビームのセット、例えばビーム｛０…Ｎｂ，ｍａｘ−１｝を送信する。
【０１８４】
一部の実施形態では、１つのビームグループ構成がｎＧ＝１，…，ＮＧにナンバリングされたＮＧのビームグループを含むフレキシブルビームグルーピングが考慮される。各々のビームグループｎＧで、ＮＢ（ｎＧ）のビームが構成される。ビームグループｎＧの１つのビームｎＢに対してＮＰ（ｎＢ，ｎＧ）のアンテナポートが構成される。ｅＮＢによるビームの送信及び構成は、動的であり、物理層でのＤＬ制御シグナリングを介してｅＮＢによって示される。
【０１８５】
一部の実施形態では、ビームグループ構成が、例えばグループインデックス又はグループアイデンティフィケーション（ＩＤ）、グループ特性、グループに関連付けられたビームインデックス、又はビームに関連付けられたポートインデックスの内から少なくとも１つを含むビームグループのセットでＵＥを構成するために上位層シグナリングが用いられる。グループ構成の一例を表５に示す。最大８個のビームグループが３ビットによって表され、１グループに対して３つの特性が３ビットによって又はよらずに関連付けられる（例えば、「１」は特性が関連付けられたことを意味し、「０」はそうでないことを意味する）。グループに属するビームインデックスは、６４個の異なるビームの組み合わせの内の１つを選択し、６ビットで表される。ビーム又はビームグループに属するポートインデックスが４ビットで表される。
【０１８６】
【表５】
2019531637.tif 000011
【０１８７】
ＵＥは複数のビームグループで構成され、グループのインディケーションはＤＣＩ内のビットフィールドによって動的に表され、一例を表６に示す。
【０１８８】
【表６】
2019531637.tif 000012
【０１８９】
ビーム及びＣＳＩ報告の場合、ＵＥがこのようなビーム送信制約を知っていることが有利であり、これは次の実施形態によってカバーされる。ｅＮＢは、ＢＳＩ報告若しくはＣＳＩ報告、又は共同ＢＳＩ及びＣＳＩ報告をフィードバックするようにＵＥを構成する。ビーム測定手順の間、ｅＮＢはＢＲＳを送信するために用いられる重み値以外のＣＳＩ−ＲＳを送信するために異なるビームフォーミング重み値を選択するため、ＣＳＩ考慮事項に依存しないＢＳＩ報告を行うと、後続ＣＳＩ−ＲＳ送信の柔軟性が提供される。一方、一部の環境では、ＢＳＩ及びＣＳＩに対する共同フィードバックがＵＥに後続のデータ送信により適合したＢＩを選択させる。その理由は可能な送信方式を考慮するＢＩ選択手順を使用するからである。一部の実施形態で、ｅＮＢは表７に示すように、ＤＣＩ又はＲＲＣシグナリングを介してＢＳＩ報告が要求されるか又は共同ＢＳＩ／ＣＳＩ報告が要求されるか否かを示すためにＵＥに対して１ビットを構成する。
【０１９０】
【表７】
2019531637.tif 000013
【０１９１】
一実施形態で、１つのビームグループ構成はｎＧ＝１，…，ＮＧにナンバリングされたＮＧのビームグループを含む。各ビームグループｎＧで、ＮＢ（ｎＧ）のビームが構成される。また、ビームグループｎＧのｎＢ番目ビームの場合、ＮＰ（ｎＢ，ｎＧ）のアンテナポートが構成される。ビーム、ポート、及びビームグループの内の少なくとも１つの送信及び構成はＤＬ制御シグナリング又は上位層シグナリングを介してｅＮＢによって動的に又は準−静的に構成又は表される。
【０１９２】
ＵＥは、共同ＢＳＩ及びＣＳＩ報告で構成されるか又は個別ＢＳＩ及びＣＳＩ報告で構成され、多様な動作モードをサポートする。
【０１９３】
本発明の一部の実施形態で、１つのＵＥは複数のビームグループの測定のためのいくつかの測定モードで構成される。一例では、２つの測定モードが存在する。一方のモードは制約測定モードであり、他方のモードは非制約測定モードである。測定モードの構成はＤＣＩ又はＲＲＣメッセージ内のビットフィールドを介してシグナリングされる。一例として、ビット＝１が制約測定モードを構成し、ビット＝０が非制約測定モードを構成する。他の例は、ビットフィールドの存在が制約測定モードの構成を示し、１ビットフィールドの不在は非制約測定モードが構成されたことを示す。
【０１９４】
一例では、制約測定モードが構成された場合、複数のビームグループに対する共同測定を行うように１つのＵＥが構成される。一具現では、ＵＥが全てのビームグループ及び１つの受信ビームから１つのビームを選択することによって送信ビームの組み合わせの合計ＢＲＳＲＰを測定し、その後、ＵＥは最も強い合計ＢＲＳＲＰを有するビームの組み合わせをｅＮＢに報告する。
【０１９５】
一例では、非制約測定モードが構成される場合、複数のビームグループに対して非−共同測定を行うように１つのＵＥが構成される。一具現では、ＵＥが全てのビーム及び全ての受信ビームのＢＲＳＲＰを測定し、その後、ＵＥが各ビームグループの最も強いＢＲＳＲＰを有するビームを報告する。
【０１９６】
一部の実施形態で、ＵＥは、ＣＳＩ報告を共同に計算するだけでなく、好ましいＢＩのサブセットを選択する。一例において、共同ＣＳＩ報告は、表８に示すように、ＣＱＩ、ＰＭＩ、ＲＩ、ＢＩ、及びＢＲＳＲＰの内の少なくとも１つを含む。ここで、ＣＱＩ及びＰＭＩはサブ帯域又は広帯域であり、ＲＩ、ＢＩ、及びＢＲＳＲＰは広帯域である。
【０１９７】
【表８】
2019531637.tif 000014
【０１９８】
図１４は、本発明の一実施形態による例示的な共同ビーム状態情報（ｂｅａｍ  ｓｔａｔｅ  ｉｎｆｏｒｍａｔｉｏｎ：ＢＳＩ）及びチャネル状態情報（ｃｈａｎｎｅｌ  ｓｔａｔｅ  ｉｎｆｏｒｍａｔｉｏｎ：ＣＳＩ）報告１４００を示す図である。図１４に示す共同ＢＳＩ及びＣＳＩ報告１４００の実施形態は単なる説明のためのものである。図１４に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０１９９】
ＵＥは、図１４に示すように、ＢＩの可能な組み合わせを条件としてＣＱＩ、ＰＭＩ、及びＲＩを計算する。
【０２００】
一部の実施形態で、ＵＥは最大ランクｖ送信で構成される。ＵＥは各々のビームがＢＲＳポートに対応するＣＳＩ計算の仮説、即ち｛ｐｂｒｓ＋ｂｉＳｅｌｅｃｔｅｄ（０），…，ｐｂｒｓ＋ｂｉＳｅｌｅｃｔｅｄ（ｖ−１）｝で最大ｖビームを選択する。ここで、ｂｉＳｅｌｅｃｔｅｄはｐｂｒｓ＋ｂｉＳｅｌｅｃｔｅｄ（ｉ）が選択されたビームｉのＢＲＳポートに対応する整数インデックスを含む。表記法の単純化のために、｛ｐｂｒｓ＋ｂｉＳｅｌｅｃｔｅｄ（０），…，ｐｂｒｓ＋ｂｉＳｅｌｅｃｔｅｄ（ｖ−１）｝を｛ｐｂｒｓ，０，…，ｐｂｒｓ，ｖ−１｝と表す。
【０２０１】
一部の実施形態で、ＣＱＩは次のように定義される。時間及び周波数で制限されない観測間隔に基づいて、ＵＥは、アップリンクサブフレームｎで報告される各々のＣＱＩ値に対して、ＣＱＩインデックスに対応するビームインデックス選択、変調方式、及び伝送ブロックサイズの組み合わせを有する単一ＰＤＳＣＨ伝送ブロックの条件を満足させる最も高いＣＱＩインデックスを導出するか、又はＣＱＩインデックス１がこの条件を満たさない場合にＣＱＩインデックス０を導出し、ＣＳＩ基準リソースと称されるダウンリンク物理リソースブロックのグループを占有すると、０．１を超過しない伝送ブロックエラー確率で受信される。
【０２０２】
一部の実施形態で、ＵＥがＰＭＩ／ＲＩ報告のために構成された場合、ＵＥはオーバーヘッドが直近に報告されたランクと一致すると仮定し、ｖ層に対するアンテナポート｛ｐｄ，０，…，ｐｄ，ｖ−１｝上のＰＤＳＣＨ信号が次によって与えられるアンテナポート｛ｐｂｒｓ，０，…，ｐｂｒｓ，ｖ−１｝で送信される対応シンボルと同じ信号が得られる。
2019531637.tif 000015
は、階層マッピングからのシンボルのベクタであり、Ｗ（ｉ）はｘ（ｉ）に適用可能な報告ＰＭＩに対応するプリコーディングマトリックスである。
【０２０３】
一部の実施形態では、ＢＩの仮説を選択する複数の代案が説明される。一般にＢＩの有効な組み合わせは次を満足させる。仮説テストでｖ層が仮定された場合、｛ｐｂｒｓ，０，…，ｐｂｒｓ，ｖ−１｝の各ポートは、異なるＧｔを有する異なるグループからのものである。ここで、０≦Ｇｔ≦Ｏｔ−１であり、０≦ｖ≦Ｏｔ−１である。
【０２０４】
図１５は、本発明の一実施形態によるしきい値に基づいた例示的なビームインデックス（ＢＩ）選択１５００を示す図である。図１５に示すビームインデックス（ＢＩ）選択１５００の実施形態は単なる例示のためのものである。図１５に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０２０５】
一例において、ビーム／ＢＩ／ＢＲＳの全ての有効な組み合わせ、即ちＢＩの数はＵＥに対する最大ランク構成よりも小さいか又は同じ場合があり、ＣＳＩ計算でのＢＩの仮説テストのために選択される。他の例において、図１５に示すように、しきい値を超過するＢＲＳＲＰを有するＢＩのみが仮説テストで考慮される。このようなＢＩのうち、ビーム／ＢＩ／ＢＲＳの全ての有効な組み合わせがＣＳＩ計算でのＢＩの仮説テストのために選択される。
【０２０６】
一部の実施形態で、複数の方法がしきい値を決定するために用いられる。一例において、単一及び準−静的しきい値が上位層シグナリングを介してｅＮＢによって構成される。他の例では、しきい値が、全てのＢＩの最大ＢＲＳＲＰ又は平均ＢＲＳＲＰに基づくか、又はいくつかの選択されたＢＩのＢＲＳＲＰに基づいてＵＥによって計算される。一例では、しきい値が最大ＢＲＳＲＰのｍ％に設定される。他の例では、しきい値が選択されたＢＩに対する平均ＢＲＳＰのｍ％に設定される。
【０２０７】
図１６は、本発明の一実施形態によるグルーピング及びしきい値に基づいた例示的なＢＩ選択１６００を示す図である。図１６に示すＢＩ選択１６００の実施形態は単なる説明のためのものである。図１６に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０２０８】
一部の実施形態では、ＢＩのグルーピング及びしきい値の両方が適用される。ビーム（ＢＩ）のセットは１つ以上のグループに分割される。ＵＥは、先ずＢＩのサブセットを選択する。ここで、（１）各グループに対してＵＥはしきい値を超過するＢＲＳＲＰを有する最適のビームを選択し、（２）各グループに対してＵＥは最適のＮ個のビームを選択する。その後、選択されたＢＩの全ての有効な組み合わせがＣＳＩ報告の仮説テストに用いられる。
【０２０９】
一部の実施形態で、ＵＥが個別ＢＳＩ及びＣＳＩ報告で構成された場合、ＵＥは、好ましいＢＩのサブセットを選択し、その後にＣＳＩ報告を計算する。一例において、ＢＳＩはしきい値を超過するＢＲＳＲＰ及びＰＵＳＣＨを介した対応ＢＲＳＲＰ値を有するＢＩを含む。他の例では、ＢＳＩ及びＣＳＩ報告が上述の実施形態で説明した少なくとも１つの実施形態を用いて共同で計算されるが、フィードバックＢＳＩ報告のみを用いて計算される。ｅＮＢはＢＳＩ報告を受信した後にＣＳＩ−ＲＳを送信してＣＳＩ報告をトリガする。
【０２１０】
一部の実施形態では、フィードバックオーバーヘッド減少が説明される。初期ＢＳＩ報告の後、ｅＮＢ及びＵＥはビーム方向が互いに信号を送信又は受信するために適合したビームのサブセットを選択する。選択されるビームのサブセットは時間の経過によって速やかに変化しない。また、ＢＲＳＲＰ値は互いに大きくずれない。そうでない場合、他のビームと比較される非常に小さいＢＲＳＲＰのビームが選択されたサブセットから除去される。これらの特性はＢＳＩフィードバックオーバーヘッドを減少させるために次の実施形態によって考慮されて用いられる。
【０２１１】
一例において、ｅＮＢはＵＥにビームを追跡させるためにビームのサブセットを構成する。ＵＥは選択されたビームのサブセットに対する順次的ＢＳＩ報告を計算する。ビームのサブセットのｅＮＢに対するＵＥインディケーションがＲＲＣシグナリング又は上位層シグナリングを介して伝送される。
【０２１２】
他の例において、ＵＥは、送／受信に適合したビームを追跡し、初期に選択されたＢＩに関してオフセットを報告する。オフセットは、ＤＣＩによって動的にシグナリングされるか又は上位層シグナリングによって準−静的に構成される。
【０２１３】
更に他の例では、第１ビームのＢＲＳＲＰ値が全体範囲を用いて報告され、一つより多いビームが報告された場合、他のビームに対するＢＳＲＳＰ値が最適のビームに対して別途に計算される。一例において、第１ビームのＢＲＳＲＰインデックス及び対応値が表９及び表１０に与えられる。
【０２１４】
【表９】
2019531637.tif 000016
【０２１５】
【表１０】
2019531637.tif 000017
【０２１６】
一部の実施形態で、「受信モード」は、ＵＥ受信アナログビームのセットとして定義される。即ち、これはＵＥ受信アナログビームのセット（１つのアナログビームの特殊ケースを含む）を使用するＵＥ受信動作として定義される。「受信モード」は、受信モード、受信ビームモード、ビーム管理のための受信モード、受信ビーム、受信ビームＩＤ、受信パターン、受信ビームパターン、受信ビームの組み合わせ、受信ビームグループ、受信ビームセット、受信ビーム選択、受信アンテナポート、空間チャネル特性と称される。「受信モード」という名称は、例示的なものであって、本実施形態の内容を変更しない範囲内で他の名称又はラベルで代替される。
【０２１７】
図１７Ａは、本発明の一実施形態によるＵＥの例示的な受信（ｒｅｃｅｉｖｅ：Ｒｘ）モード１７００を示す図である。図１７Ａに示す受信モード１７００の実施形態は単なる説明のためのものである。図１７Ａに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０２１８】
受信モードの定義とメカニズムは、ハイブリッドビームフォーミングに基づいたＵＥ受信動作に有用である。ハイブリッドビームフォーミングを有するＵＥは各々の受信アンテナパネルに対する１つ以上のアナログビームを形成し、これらのビームは異なる方向を示す。ｇＮＢ及びＵＥはｇＮＢとＵＥとの間の最適のリンク品質のためにこれらのビームの内の１つを選択しなければならない。例えば、ダウンリンク制御チャネル（ＰＤＣＣＨ）を含むｇＮＢとＵＥとの間の送信は、ダウンリンクデータチャネル（ＰＤＳＣＨ）がこれらの選択されたビームを用いるいくつかのＵＥの受信方式によって受信される。ビーム選択を変更するとＵＥ受信及びリンク品質が変更される。受信モードの例を図１７Ａに示す。図１７Ａに示すように、ＵＥ１７１０はｇＮＢ１７０５と通信する。ＵＥ１７１０は２つの異なる受信チェーンに接続される２つのアンテナ要素アレイである２つの受信アンテナパネル（１７５０、１７４０）を具備する。アンテナパネル１７５０上で、ＵＥは異なる方向又は異なるビーム幅を示す４個のアナログビーム１７２０を形成する。アンテナパネル１７４２０上で、ＵＥは異なる方向又は異なるビーム幅を示す４個のアナログビーム１７６０を形成する。同じアンテナパネルに形成されたアナログビームが同時に使用されることはできない。しかし、ＵＥは２つのアンテナパネル上に形成された任意の２つのビームを同時に使用できる。
【０２１９】
図１７Ａの例で、ＵＥは、１７２０の中から１つのビームを選択し、１７６０の中から１つのビームを選択してｇＮＢ１７０５からのダウンリンク送信を受信する。ＵＥは、また１７２０の中から１つのビームのみを選択するか又は１７６０の中から１つのビームのみを選択してｇＮＢ１７０５からのダウンリンク送信を受信する。２つのビームの選択、即ち１７２０の中からの１つのビーム及び１７６０の中からの１つのビームの選択は１つの受信モードと称される。図１７Ａに示す例で、ＵＥ１７１０は、１７２０及び１７６０の両方からビームを選択することで、全体的に最大１６個の受信モードが存在する。ｇＮＢ１７０５及びＵＥ１７１０はこれらの１６個の受信モードの全てに対してビーム測定を行う。また、受信モードは全てのパネルで１つのビームのみを選択することも含み、この場合、総１６＋８＝２４受信モードが存在する。ＵＥはｇＮＢ１７０５からダウンリンク送信を受信するために１つの受信モードを選択する。この例で、ＵＥ１７１０はｇＮＢ１７０５から信号を受信するためにアナログビーム（１７０１及び１７３０）で受信モードを選択する。受信モードの具現はＵＥの具現次第である。図１７Ａの例で、ＵＥは２つのアンテナパネルから選択された２つのビームで１つの受信モードを具現する。１つの受信アンテナパネルを有するＵＥの場合、１つの受信モードは該当アンテナパネルに形成された１つのビームのみである。
【０２２０】
図１７Ｂは、本発明の一実施形態によるＵＥの他の例示的な受信（ｒｅｃｅｉｖｅ：Ｒｘ）モード１７８０を示す図である。図１７Ｂに示す受信（ｒｅｃｅｉｖｅ：Ｒｘ）モード１７８０の実施形態は単なる説明のためのものである。図１７Ｂに示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０２２１】
図１７Ｂに示すように、ＵＥ１７１０は１つのアンテナパネル１７５０を具備し、その上に異なる方向を有する４つのアナログビーム１７２０が形成される。受信モードは１つのビーム選択に該当する。図１７Ｂに示すように、アナログビーム１７０１の選択は１つの受信モードである。
【０２２２】
ＮＲＸのアンテナパネルを有するＵＥの一般的な例で、ＵＥの１つの受信モードは、次のような１つのビームセットの選択として具現される。
2019531637.tif 000018
は、ｊ番目アンテナパネル又はアンテナアレイから選択された１つのビームである。
【０２２３】
一部の実施形態で、ＵＥは受信モードの構成又はＵＥの能力をネットワークに報告する。ＵＥシグナリングはＵＥの能力のシグナリング／報告である。受信モードの構成情報は次の内の少なくとも１つ以上を含む。一例において、構成情報は複数の受信モードを含む。このような例で、構成情報はビーム管理手順を介してＵＥが測定を望むか又は測定可能な複数の受信モードであり、ダウンリンク送信を受信するためにその中から１つ以上を使用する。他の例において、構成情報は各受信モードのＩＤである。更に他の例において、構成情報はいくつかの受信モードの間の空間関係情報である。
【０２２４】
このような例で、ＵＥは異なる到達方向をカバーするために異なる受信モードを使用するように具現される。これはＵＥ周辺の信号妨害を緩和するために有用である。異なる方向をカバーする異なる受信モードの情報がｇＮＢに対して有用である（例えば、ｇＮＢがＴＲＰ送信ビームを選択するようにサポート）。一例において、ｇＮＢは異なる到達方向をカバーする２つのＵＥの受信モードに良好な１つ以上のＴＲＰ送信ビームを選択する。
【０２２５】
このような例で、該情報は２つの受信モード間の空間的相関関係の値である。一方法では、１ビット情報が空間的相関関係のインディケーションとして用いられる。例えば、１ビットが０である場合、異なる方向を示す２つの受信モード（又は弱い空間的相関関係を有する）を意味し、１ビットが１である場合、類似の方向を示す２つの受信モード（又は強い空間的相関関係を有する）を意味する。
【０２２６】
このような例で、該情報は受信モードのグルーピングである。ＵＥはこれらの受信モードが１つ以上のグループに分割されることを示す。一方法において、異なるグループからの受信モードは異なる方向を示すが（又は弱い空間的相関関係を有する）同じグループでの受信モードは類似の方向を示す（又は強い空間的相関関係を有する）。他の方法で、各グループでの受信モードは異なる方向を示す（又は弱い空間相関関係を有する）。
【０２２７】
このような例で、該情報は、受信モードのＩＤを介して暗示的に表される。一例において、受信モードのＩＤは｛１、２，…，ＮＲＭ｝である。受信モードの間の空間的相関関係情報は２つの受信モードＩＤ｜ｉ−ｊ｜の差分で表される。ここで、ｉ及びｊは２つの受信モードのＩＤである。｜ｉ−ｊ｜のより大きい値は２つの受信モードが示す到達方向の間の空間的相関関係がより低い場合があることを示す。このような例（例えば、これらの受信モードの優先順位に関する情報）で、ＵＥは自らがどの受信モードを用いることが好ましいかをｇＮＢに示す。このような情報はｇＮＢがビーム測定の基準信号送信及び測定を構成するために役立つ。一例において、ｇＮＢは受信モードに関するビーム状態情報を高い優先順位で測定及び報告するようにＵＥを構成する。
【０２２８】
一部の実施形態で、ｇＮＢはＵＥに対して受信モードを構成及び再構成する。受信モードの構成の目的はダウンリンク制御／データ送信を測定及び／又は受信するためである。一例において、ｇＮＢはＵＥに受信モードの数を変更するように指示する。他の例において、ｇＮＢはＵＥに１つ以上の受信モードを使用しないように指示する。他の例において、ｇＮＢはＵＥに受信モードの優先順位を変更するように指示する。
【０２２９】
一部の実施形態で、ＵＥは、受信モードの構成がアップデートされたことをｇＮＢに示し、そのアップデートをｇＮＢに報告する。受信モードの構成は上位層シグナリング（例えば、ＲＲＣメッセージ）又はＭＡＣ−ＣＥ又はＬ１メッセージでシグナリングされる。
【０２３０】
受信モードの構成は５Ｇ無線システムで有用である。ｍｍＷａｖｅ周波数帯域の５Ｇシステムはマルチビームに基づくシステムである。ｇＮＢ及びＵＥはいずれもハイブリッドビームフォーミング及びマルチビームベースのシステムである。ビーム管理手順、ビーム状態情報測定及び報告、そしてビームインディケーションメカニズムは５Ｇシステムの必須機能である。受信モードの構成はビームに対する動作に関連して非常に有用で必須な機能である。
【０２３１】
ＵＥはダウンリンク送信を受信するためにこのような受信モードの中から１つを選択しなければならない。選択を可能にするために、ｇＮＢはＵＥが１つ以上の受信モードに対してビーム状態情報（ＢＳＩ）を測定及び報告する必要がある。この測定及び報告に基づいて、ｇＮＢ及び／又はＵＥは受信モード選択を決定する。ｇＮＢはＵＥが１つ以上の物理ダウンリンクチャネルを受信するために使用する受信モードを示す。一例において、ｇＮＢはＰＤＣＣＨチャネルに対する１つの受信モード及びＰＤＳＣＨチャネルに対する他の受信モードを示す。ｇＮＢは、また、１つの特定の物理チャネル上で複数の受信モードを循環するようにＵＥを構成する。一例において、ｇＮＢはＰＤＣＣＨを受信するためにＯＦＤＭシンボルセットを介して受信モードを循環するようにＵＥを構成する。このような方式で、いくつかのビーム方向ダイバーシティが達成され、これはｍｍＷａｖｅ周波数帯域で信号妨害を防ぐために有利である。
【０２３２】
図１８は、ＵＥによって行われる本発明の一実施形態による受信モード動作１８００のための方法を示すフローチャートである。図１８に示す受信モード動作１８００の実施形態は単なる説明のためのものである。図１８に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０２３３】
受信モードの手順例を図１８に示す。図１８に示すように、先ず、ＵＥはステップ１８１０で受信モードの情報を報告する。受信モードの情報は、上述のように、受信モードの数、受信モードのＩＤ、空間関係の情報、及び受信モードの優先順位を含む。その後、ステップ１８２０でｇＮＢは一部の受信モードに基づいて測定を行うようにＵＥを構成する。該測定及び報告構成は測定時にＵＥによって適用される受信モードの情報を含む。ＵＥが行う測定は、例えばビームの特定ＲＳＲＰの測定、ＲＲＭ（無線リソース管理）測定、ＣＳＩ測定である。
【０２３４】
測定の後、ＵＥはステップ１８３０で構成されるようにｇＮＢに測定結果を報告する。ＵＥからの報告に基づいて、ステップ１８４０で、ｇＮＢはＵＥに対して受信モードを構成し、ＵＥはインディケートされた受信モードを用いてダウンリンク送信を受信する。ＵＥはステップ１８５０で測定構成に基づいて測定値をアップデートして該アップデートされた測定値をｇＮＢに報告し、その後、ｇＮＢはステップ１８６０でダウンリンク送信のためにＵＥに対してアップデートされた受信モードを構成する。
【０２３５】
図１８に示すように、ステップ１でＵＥは受信モード能力を報告する。ステップ２でｇＮＢは測定（ＲＲＭ又はＣＳＩ）を行うようにＵＥを構成する。該測定構成は測定のためにＵＥによって適用される受信モードを含む。ステップ３でＵＥは測定構成によって受信モード毎に測定を報告する。ステップ４でｇＮＢはＤＬ送信（物理チャネル）を受信するために受信モードをＵＥに構成する。ステップ５でＵＥは受信モードに対する測定報告をアップデートする。ステップ６でｇＮＢはアップデートされた測定報告によって受信モードを再構成する。
【０２３６】
一実施形態で、ＵＥの受信モードの情報は暗示的にｇＮＢに報告される。一実施形態で、ＵＥは測定のためにＵＥによって用いられる基準信号でＴＲＰ送信ビームに対する繰り返し回数を報告する。ビーム管理に用いられるＣＳＩ−ＲＳの一例において、１つのＣＳＩ−ＲＳリソースが複数の時間ユニットを有し、各々の時間ユニットは複数のサブタイムユニットを有する。ＴＸビームが時間ユニットを介してスウィーピングされる場合、送信ビームは１つの時間ユニット内のサブ時間ユニットを介して繰り返される。ＵＥはビーム管理測定及び報告のためにＵＥに構成されるＣＳＩ−ＲＳリソースに対して要求されたサブ時間ユニットの数を報告する。送信ビームがサブ時間ユニットに亘ってスウィーピングされるが時間ユニットに亘って繰り返される場合、ＵＥはビーム測定及び報告のためにＵＥに対して構成されるＣＳＩ−ＲＳリソースで要求された時間ユニットの数を報告する。ＵＥの報告に基づいてｇＮＢは暗示的に受信モードの情報を知る。
【０２３７】
マルチビームに基づく５Ｇ無線システムで、ｇＮＢ及びＵＥはＰＤＣＣＨ及びＰＤＳＣＨを含むダウンリンクチャネルの送信に用いられるＴＲＰ送信ビーム及びＵＥの受信ビームを選択する必要がある。ビーム選択を助けるためにｇＮＢはビーム管理に関する一部のダウンリンク基準信号を送信する。ビーム管理に関するダウンリンク基準信号の例は、ＮＲ−ＳＳＳ、ＢＲＳ（ｂｅａｍ  ｒｅｆｅｒｅｎｃｅ  ｓｉｇｎａｌ）、ＢＭＲＳ（ｂｅａｍ  ｍｅａｓｕｒｅｍｅｎｔ  ｒｅｆｅｒｅｎｃｅ  ｓｉｇｎａｌ  ｏｒ  ｂｅａｍ  ｍａｎａｇｅｍｅｎｔ  ｒｅｆｅｒｅｎｃｅ  ｓｉｇｎａｌ）、ＭＲＳ（ｍｅａｓｕｒｅｍｅｎｔ  ｒｅｆｅｒｅｎｃｅ  ｓｉｇｎａｌ）、ＭＲＳ（ｍｏｂｉｌｉｔｙ  ｒｅｆｅｒｅｎｃｅ  ｓｉｇｎａｌ）、及び／又はＣＳＩ−ＲＳである。ダウンリンク基準信号を測定することによって、ＵＥはＴＲＰ送信ビームの品質を測定するだけでなく、受信ビームの品質、即ち受信モードを測定することによって、ダウンリンク物理チャネル送受信のためのＴＲＰ送信ビーム及び受信モードの選択を補助する。
【０２３８】
ビーム状態情報は、ＵＥが１つの受信モードを用いてこの基準信号リソースを受信すると仮定した１つの基準信号リソースのＲＳＲＰである。基準信号リソースは、ビームＩＤによって識別される１つのＴＲＰ送信ビームに対応する。１つのＴＲＰ送信ビームのビームＩＤは、例えば基準信号リソース、基準信号ポート、基準信号内のＯＦＤＭシンボルインデックス、基準信号サイクリックシフト（ＣＳ）、基準信号ポートとＯＦＤＭシンボルインデックスとの組み合わせ、及び／又は基準信号ポートとＯＦＤＭシンボルインデックスとスロットインデックスとの組み合わせのＩＤによって識別される。
【０２３９】
一部の実施形態で、１つ以上のＴＲＰ送信ビームＩＤ及び１つ以上のＲＸモードがＵＥにシグナリングされ、ＵＥは構成されたＴＲＰ送信ビーム及び構成された受信モードに対するビーム状態情報を測定及び報告する。ビーム管理のための１つの特定の基準信号に基づいてビーム状態情報を測定及び報告するようにするＵＥに対する受信モードの構成は上位層シグナリング（例えばＲＲＣメッセージ）及び／又はＬ２シグナリング（例えば、ＭＡＣ−ＣＥ）及び／又はＬ１シグナリング（例えば、ＤＣＩ）を介してシグナリングされる。
【０２４０】
ＴＲＰ送信ビーム及び受信モードを用いてビーム状態情報を測定及び報告するＵＥの様々な異なる方法がある。いくつの例をここに並べて、以下のセクションで詳細に説明する。
【０２４１】
一部の実施形態で、ＵＥは複数の構成された受信モードに対して測定される１つの特定のＴＲＰ送信ビームのビーム状態情報を測定／報告する。一部の実施形態で、ＵＥは自らが選択する全ての受信モードに対して測定される１つの特定のＴＲＰ送信ビームのビーム状態情報を測定／報告する。一部の実施形態で、ＵＥは１つのインディケートされた受信モードに関する１つの特定のＴＲＰ送信ビームのビーム状態情報を測定／報告する。
【０２４２】
一部の実施形態で、ＵＥは１つ以上の構成された受信モードに対して測定される全てのＴＲＰ送信ビームのビーム状態情報を測定及び報告する。一部の実施形態で、ＵＥはネットワークによって示される１つ以上のＴＲＰ送信ビーム−受信モード対のビーム状態情報を測定及び報告する。一部の実施形態で、ＵＥはネットワークによって示される１つの特定受信モードに関して測定される１つ以上のＴＲＰ送信ビームのビーム状態情報を測定及び報告する。一部の実施形態で、ＵＥは１つ以上の構成されたＴＲＰ送信ビーム及び１つ以上の構成された受信モードに基づいてビーム状態情報を測定及び報告する。
【０２４３】
一部の実施形態で、ＵＥは自らによって選択される全ての受信ビームに対して測定される１つ以上の構成されたＴＲＰ送信ビームのビーム状態情報を測定及び報告する。一部の実施形態で、ＵＥは全てのＴＲＰ送信ビーム及び全ての受信モードを測定してビーム状態情報を測定及び報告する。
【０２４４】
一部の実施形態で、ＵＥは１つのＴＲＰ送信ビーム及び１つのＵＥの受信モードのビーム状態情報を測定及び報告し、ＵＥはこのような目的のためにＴＲＰ送信ビーム及び受信モードで構成される。このような実施形態で、ＵＥは構成された受信モードを用いて構成されたＴＲＰ送信ビームに対応する基準信号リソースのＲＳＲＰを測定する。この方法は、ｇＮＢ及びＵＥが１つの特定対のＴＲＰ送信ビーム及び受信モードのビームリンク品質をモニタするために有用であり、例えばｇＮＢはダウンリンク送信のためにこの新しいビーム対にスイッチングするか否かを決定するために新しい対のＴＲＰ送信ビーム及び受信モードのビームリンク品質を測定するようにＵＥを構成する。一例において、ｇＮＢは複数のＴＲＰ送信ビーム（例えば、ビーム管理のためのセル特定ＲＳ）を伝達する測定基準信号に基づいてビーム状態情報を測定及び報告するようにＵＥを構成する。ＵＥにシグナリングされる測定及び報告構成は１つのＴＲＰ送信ビームＩＤの情報、又は１つの受信モードＩＤの内の１つ以上を含む。他の例において、ｇＮＢはＵＥが１つのＴＲＰ送信ビーム（例えば、ビーム管理のためのＵＥ特定ＣＳＩ−ＲＳ）のみを伝達する一部の基準信号を測定することに基づいてビーム状態情報を報告するようにＵＥを構成する。この場合、ＵＥへの測定及び報告構成は１つの受信モードＩＤのみを含む（ＴＲＰ送信ビームＩＤ構成は不要である）。
【０２４５】
一部の実施形態で、ＵＥは１つのＴＲＰ送信ビーム及びインディケートされたＵＥの受信モードのセットのビーム状態情報を測定及び報告する。このような実施形態で、１つのＴＲＰ送信ビーム及びＵＥの受信モードのセットがＵＥに示される。その後、ＵＥは構成された受信モードのセット内の各々のインディケートされた受信モードを用いると仮定することによって示されたＴＲＰ送信ビームＩＤに対応する基準信号リソースのＲＳＲＰを測定する。一例において、ＵＥは１つの送信ビームＩＤ  ＢＴＸ及びＮＲの受信モードＩＤのセット
2019531637.tif 000019
で構成される。次に、ＵＥはこのような受信モード
2019531637.tif 000020
の各々に対してこの基準信号リソースを受信すると仮定することによって（送信ビームＢＴＸに対応する）基準信号リソースのＲＳＲＰを測定する。ＵＥは各々のインディケートされた受信モードに対応するＮＲのビームＲＳＲＰを得る。ＵＥはビーム状態情報で全てのＮＲのビームＲＳＲＰを報告する。代替的に、ＵＥは最大の１≦Ｎｒｅｐｏｒｔ≦ＮＲのＲＳＲＰ及びこれらの最大のＲＳＲＰを生成する対応受信モードＩＤを報告する。この方法は、ｇＮＢ及びＵＥが１つの特定ＴＲＰ送信ビームに対する受信モードの選択を改善するために有用である。一例において、ｇＮＢは複数のＴＲＰ送信ビーム（例えば、ビーム管理のためのセル特定ＲＳ）を伝達する測定基準信号に基づいてビーム状態情報を報告するようにＵＥを構成する。ＵＥにシグナリングされた測定及び報告構成は、１つのＴＲＰ送信ビームＩＤの情報、構成された受信モードの数ＮＲ、又は代替的に受信モードＩＤのセット
2019531637.tif 000021
の内の１つ以上を含む。構成された受信モードの数ＮＲが構成された場合、受信モードＩＤのセットは｛０，１，…，ＮＲ−１｝になるか、又は報告するビームの数ＲＳＲＰ数はＮｒｅｐｏｒｔになる。他の例において、ｇＮＢはＵＥが１つのＴＲＰ送信ビーム（例えば、ビーム管理のためのＵＥ特定ＣＳＩ−ＲＳ）のみを伝達するいくつかの基準信号を測定することに基づいてビーム状態情報を報告するようにＵＥを構成する。この場合、ＵＥへの測定及び報告構成は受信モードＩＤのセット
2019531637.tif 000022
及び構成された受信モードの数ＮＲ及び報告されたビームＲＳＲＰの数Ｎｒｅｐｏｒｔを含む。
【０２４６】
一部の実施形態で、ＵＥは１つのＴＲＰ送信ビームのビーム状態情報を測定及び報告し、ＵＥは全ての利用可能な受信モードを用いる。このような実施形態で、ＵＥはインディケートされたＴＲＰ送信ビームに対応する基準信号リソースのＲＳＲＰを測定する。ＵＥはこの基準信号リソースを受信するための全ての受信モードの各々を選択してＲＳＲＰを計算する。例えば、ＵＥは例えば｛０，１，…，ＮＲ−１｝であるＮＲの受信モードＩＤのセット
2019531637.tif 000023
を決定する。次に、ＵＥはセット
2019531637.tif 000024
内の受信モードの各々を用いて仮定することによってこの基準信号リソースのＮＲのビームのＲＳＲＰを計算する。ＵＥは最大のＮｒｅｐｏｒｔ≧１のＲＳＲＰ及び対応する受信モードＩＤを報告する。一例において、ｇＮＢは複数のＴＲＰ送信ビーム（例えば、ビーム管理のためのセル特定ＲＳ）を伝達する測定基準信号に基づいてビーム状態情報を報告するようにＵＥを構成する。ＵＥにシグナリングされた測定及び報告構成は１つのＴＲＰ送信ビームＩＤの情報、報告するビームＲＳＲＰ数Ｎｒｅｐｏｒｔ、又はＵＥが受信モードを自主的に選択するように示す１ビット情報の内の１つ以上を含む。１ビット情報は構成シグナリングで受信モード情報の不在によって暗示的に示される。１ビット情報は明示的にシグナリングされることもある。他の例において、ｇＮＢは１つのＴＲＰ送信ビームのみを伝達する測定基準信号に基づいてビーム状態情報を報告するようにＵＥを構成する。この例で、ＵＥへの測定及び報告構成は、報告されたビームＲＳＲＰの数Ｎｒｅｐｏｒｔ、及びＵＥが受信モードを自主的に選択するように示す１ビット情報を含む。
【０２４７】
一部の実施形態で、ＵＥは１つ以上のインディケートされた受信モードでビーム状態情報を測定及び報告する。このような実施形態で、ＵＥは１つ以上の受信モード
2019531637.tif 000025
で構成される。ＵＥは構成されたセット
2019531637.tif 000026
内の各受信モードでビーム管理（例えば、ＢＲＳ、ＢＭＲＳ、又はＣＳＩ−ＲＳ）のための基準信号の全ての基準信号リソースのＲＳＲＰを測定する。その後、各々のインディケートされた受信モードに対して、ＵＥは異なるＴＲＰ送信ビームに対応する複数のＲＳＲＰを得る。ＵＥは次の内の１つ以上を報告する。セット
2019531637.tif 000027
内の各々のインディケートされた受信モードに対して、ＵＥは最大のＲＳＲＰ及び対応するＴＲＰ送信ビームＩＤを報告し、ＵＥは構成されたセット
2019531637.tif 000028
内の受信モードと、ＴＲＰ送信ビームの全ての組み合わせの全てのＲＳＲＰの中の最大のＮｒｅｐｏｒｔ≧１のＲＳＲＰを報告する。ＵＥは、また、各々の報告されたＲＳＲＰに対して構成された受信モードセット
2019531637.tif 000029
内の対応する受信モード及び対応するＴＲＰ送信ビームＩＤ報告する。ＵＥにシグナリングされるビーム測定及び報告構成はビーム測定及び報告に用いられる基準信号（リソース）のアイデンティティ、構成された受信モードの数ＮＲ、又は代替的に、構成された受信モードのセット
2019531637.tif 000030
の内の１つ以上を含む。構成された受信モードの数ＮＲが構成された場合、受信モードＩＤのセットは｛０，１，…，ＮＲ−１｝になる。報告モードで、ビームＲＳＲＰの数はＮｒｅｐｏｒｔで報告される。
【０２４８】
一部の実施形態で、ＵＥはネットワークによって示された１つ以上のＴＲＰ送信ビーム及びＵＥの受信モードの対に対するビーム状態情報を測定及び報告する。このような実施形態で、ＵＥは１つ以上のＴＲＰ送信ビーム−受信モード対Ｓｉ＝｛ＢＴＸ，ｉ，Ｒｉ｝で構成される。ＵＥはインディケートされた対内の関連受信モードＲｉを用いて基準信号リソースを受信すると仮定することによって各送信ビームＩＤＢＴＸ，ｉに対応する基準信号リソースのＲＳＲＰを測定する。ＵＥはＮｒｅｐｏｒｔ≧１の最大のビームＲＳＲＰ及び各々のＲＳＲＰを生成する送信−受信対のインデックスを報告する。この方法は、ｇＮＢがいくつかの特定送信−受信ビーム対をモニタリングすることを望む場合に有用であり、妨害があった場合、ｇＮＢはモニタリングされる送信−受信ビーム対の内の１つにスイッチングする。ＵＥにシグナリングされる測定及び報告構成は、１つ以上の送信−受信対のＴＲＰ送信ビームＩＤ及び受信モードＩＤＳｉ＝｛ＢＴＸ，ｉ，Ｒｉ｝、報告するビームＲＳＲＰ数Ｎｒｅｐｏｒｔを含む。
【０２４９】
一部の実施形態で、ＵＥはネットワークによって示される１つの特定の受信モードで受信される複数のＴＲＰ送信ビームのビーム状態情報を測定及び報告する。このような実施形態で、ＵＥは、ＭＴＸのＴＲＰ送信ビーム｛ＢＴＸ，１，ＢＴＸ，２，…，｝及び１つの受信モードＲ１で構成される。ＵＥは構成された受信モードＲ１を用いて各基準信号リソースを受信すると仮定して構成されたセット
2019531637.tif 000031
内の各ＴＲＰ送信ビームに対応する基準信号リソースのＲＳＲＰを測定する。ＵＥは構成されたＴＲＰ送信ビームに対する総ＭＴＸビームＲＳＲＰを得る。ＵＥはこのような全てのＭＴＸビームＲＳＲＰをネットワークに報告する。ＵＥは最大のＮｒｅｐｏｒｔ≧１のＲＳＲＰ及び対応するＴＲＰ送信ビームＩＤを報告する。この方法は、ｇＮＢ及びＵＥが１つの特定受信モードに対するＴＲＰ送信ビームの選択を改善するために有用である。ｇＮＢはビーム状態情報報告に基づいて特定受信モードに最も適合したＴＲＰ送信ビームを選択する。ｇＮＢは、また、受信モードを変更するようにＵＥに指示することなく、ビーム状態情報報告に基づいてＴＲＰ送信ビームスイッチング及び変更を決定する。測定及び報告構成は次の内の１つ以上を含む。ＴＲＰ送信ビームＩＤのサブセット
2019531637.tif 000032
、１つのＵＥの受信モードＲ１、及び報告するビームＲＳＲＰ数Ｎｒｅｐｏｒｔ。
【０２５０】
一部の実施形態で、ＵＥは１つ以上のインディケートされたＴＲＰ送信ビームＩＤ及び１つ以上のインディケートされたＵＥの受信モードを用いてビーム状態情報を測定及び報告する。ＴＲＰ送信ビームのサブセット
2019531637.tif 000033
及びＵＥの受信モードのサブセット
2019531637.tif 000034
がＵＥに示される。ＵＥはインディケートされた受信モードサブセット
2019531637.tif 000035
内の受信モードの各々を用いて
2019531637.tif 000036
内の各ＴＲＰ送信ビームに対応する基準信号リソースのＲＳＲＰを測定する。ＵＥは構成されたＴＲＰ送信ビームの各々と構成された受信モードの各々との間の全ての組み合わせに対する総
2019531637.tif 000037
のＲＳＲＰを得る。ＵＥは次の内の１つ以上を報告する。一例において、セット
2019531637.tif 000038
内の各々のインディケートされた受信モードに対して、ＵＥは
2019531637.tif 000039
内の最大のＲＳＲＰ及び対応するＴＲＰ送信ビームＩＤを報告する。他の例において、セット
2019531637.tif 000040
内の各々のインディケートされた送信モードに対して、ＵＥはインディケートされたセット
2019531637.tif 000041
内の最大のＲＳＲＰ及び対応するＵＥの受信モードを報告する。更に他の例において、ＵＥはサブセット
2019531637.tif 000042
内のＴＲＰ送信ビームと、構成されたセット
2019531637.tif 000043
内の受信モードの全ての組み合わせの全てのＲＳＲＰの中の最大のＮｒｅｐｏｒｔ≧１のＲＳＲＰを報告する。ＵＥは、また、各々の報告されたＲＳＲＰに対して構成された受信モードセット
2019531637.tif 000044
内の対応受信モード及び対応ＴＲＰ送信ビームＩＤを報告する。
【０２５１】
上述の実施形態は、ｇＮＢ及びＵＥが送信及び受信ビームのサブセットの間に送信及び受信ビームを整列させるために有用である。ＵＥは、各々の構成されたＴＲＰ送信ビーム及び各々の構成された受信モードの全ての組み合わせのビーム状態情報を報告する。ＵＥは最大のＮｒｅｐｏｒｔ≧１のＲＳＲＰ及び対応するＴＲＰ送信ビーム及び対応するＵＥの受信モードを報告する。測定及び報告構成は次の内の１つ以上を含む。ＴＲＰ送信ビームＩＤのサブセット
2019531637.tif 000045
、構成された受信モードの数ＮＲ（又は代替的に構成された受信モードのセット
2019531637.tif 000046
、構成された受信モードの数ＮＲが構成された場合、受信モードＩＤのセットは｛０，１，…，ＮＲ−１｝になる）、報告モードの情報（例えば、全てのＲＳＲＰ報告又は最大のＲＳＲＰ報告）、及び報告されたビームのＲＳＲＰの数Ｎｒｅｐｏｒｔ。
【０２５２】
一部の実施形態で、ＵＥは１つ以上の構成されたＴＲＰ送信ビーム及び全てのＵＥ受信モードを測定することに基づいてビーム状態情報を測定及び報告する。ＴＲＰ送信ビームのサブセット
2019531637.tif 000047
がＵＥに示される。ＵＥは全ての受信モードの各々を用いて
2019531637.tif 000048
内の各ＴＲＰ送信ビームに対応する基準信号リソースのＲＳＲＰを測定する。ＵＥは構成されたＴＲＰ送信ビームの各々と受信モードの各々との間の全ての組み合わせに対する総
2019531637.tif 000049
のＲＳＲＰを得る。ここで、ＲＲＸは全ての受信モードの総数である。ＵＥは次の内の少なくとも１つを報告する。一例において、セット
2019531637.tif 000050
内の各インディケートされた送信モードに対して、ＵＥは最大のＲＳＲＰ及び対応するＵＥの受信モードを報告する。他の例において、ＵＥはサブセット
2019531637.tif 000051
内のＴＲＰ送信ビームと、受信モードの全ての組み合わせの全てのＲＳＲＰの中の最大のＮｒｅｐｏｒｔ≧１のＲＳＲＰを報告する。ＵＥは、また、各々の報告されたＲＳＲＰに対する対応受信モード及び対応ＴＲＰ送信ビームＩＤを報告する。上述の実施形態は、ｇＮＢ及びＵＥが送信ビームのサブセットの間でＴＲＰ送信ビームを改善するために有用である。ｇＮＢは全てのＵＥの受信モードを介していくつかの送信ビームを改善した後、最適の送信ビームを選択する。測定及び報告構成は次の内の１つ以上を含む。ＴＲＰ送信ビームＩＤのサブセット
2019531637.tif 000052
、報告モードの情報（例えば、全てのＲＳＲＰ報告又は最大のＲＳＲＰ報告）、及び報告されたビームのＲＳＲＰの数Ｎｒｅｐｏｒｔ。
【０２５３】
一部の実施形態で、ＵＥは全てのＴＲＰ送信ビーム及び全てのＵＥの受信モードを測定することに基づいてビーム状態情報を測定及び報告する。このような実施形態で、ＵＥはビーム管理のために構成された基準信号内の基準信号リソースの各々のＲＳＲＰを受信して測定するために全ての受信モードの各々を用いる。このような方式で、ＵＥは各ＴＲＰ送信ビーム及び各受信モードのビーム対のＲＳＲＰを得る。ＵＥは次の内の１つ以上を報告する。全てのＴＲＰ送信ビーム及び受信モードの対の全てのＲＳＲＰ、全てのＴＲＰ送信ビームの中の最大のＲＳＲＰ（例えば、ＵＥは複数の受信モードに対して１つのＴＲＰ送信ビームのＲＳＲＰを測定し、ＵＥは各々のＴＲＰ送信ビームに対して最大のＲＳＲＰを報告する）、全てのＴＲＰ送信ビームの中の最大のＲＳＲＰの最大のＮｒｅｐｏｒｔ、全ての受信モードの最大のＲＳＲＰ（例えば、ＵＥは１つの受信モードに対して複数のＴＲＰ送信ビームのＲＳＲＰを測定し、ＵＥは各受信モードの最大のＲＳＲＰを報告する）、全ての受信モードの最大のＲＳＲＰの中の最大のＮｒｅｐｏｒｔ。上述の実施形態は、ｇＮＢ及びＵＥが初期ビーム整列を得るために全ての送信ビーム及び全ての受信ビームを測定するために有用である。
【０２５４】
マルチビームに基づくシステムで、ＵＥはＰＤＣＣＨ及びＰＤＳＣＨを含むダウンリンク送信を受信するために、どの受信モード（又は受信ビーム）を使用すべきかを知る必要がある。一部の実施形態で、ダウンリンク送信、ＰＤＣＣＨ、及び／又はＰＤＳＣＨの受信のために用いられる１つ以上の受信モードがＵＥにシグナリングされる。受信モードは、暗示的又は明示的にシグナリングされる。受信モードは、上位層シグナリング（例えば、ＲＲＣメッセージ）、ＭＡＣ−ＣＥ、及び／又はＬ１シグナリング（例えば、ＤＣＩ）を介してシグナリングされる。一例において、ｇＮＢは、１つの受信モードをＵＥにシグナリングし、１つのダウンリンクチャネルを受信するために、このように構成された受信モードを使用するようにＵＥを構成する。シグナリングは次を含む。受信モードのＩＤ、スロットオフセット情報、即ちＵＥがインディケートされた受信モードの使用を開始するスロットインデックス、及びＵＥがインディケートされた受信モードを適用するダウンリンクチャネルに関する情報。一例において、ｇＮＢは１つの受信モードがＰＤＣＣＨ受信のために用いられることをＵＥに示す。ｇＮＢは１つの受信モードがＰＤＳＣＨ受信のために用いられることをＵＥに示す。ｇＮＢはＵＥがＰＤＣＣＨ及びＰＤＳＣＨの両方の受信に使用される１つの受信モードを示す。
【０２５５】
一例において、受信モードは、暗示的にシグナリングされ、ＵＥはＰＤＣＣＨ及び／又はＰＤＳＣＨの受信に対するビーム状態情報報告で報告される１つの特定ＲＳＲＰに対応する受信モードを用いる。一例において、ビーム測定及び報告構成で、ｇＮＢはＵＥがダウンリンク受信のために第１ＲＳＲＰ報告に対応する受信モードを使用することをＵＥに示す。チャネル情報、例えばＰＤＣＣＨ及び／又はＰＤＳＣＨが測定及び報告構成メッセージでシグナリングされる。
【０２５６】
図１９は、ＵＥによって行われる本発明の一実施形態によるビーム管理方法１９００を示すフローチャートである。図１９に示す方法１９００のフローチャートの実施形態は単なる例示のためのものである。図１９に示すコンポーネントの内の１つ以上は言及する機能を行う特殊回路で具現されるか、或いはコンポーネントの内の１つ以上は言及する機能を行うための命令を実行する１つ以上のプロセッサによって具現される。他の実施形態が本発明の範囲から逸脱することなく用いられる。
【０２５７】
図１９に示すように、ビーム管理のための方法１９００は、ステップ１９１０で開始される。ステップ１９１０でＵＥは異なるアンテナパネルから生成された送信（ｔｒａｎｓｍｉｔ：Ｔｘ）信号を含む少なくとも２つの送信ビームのグループを基地局（ＢＳ）から受信する。一部の実施形態で、少なくとも２つの送信ビームのグループの各々の送信ビームは異なるアンテナパネルにそれぞれ対応する。一部の実施形態で、少なくとも２つの送信ビームのグループの各ビームが同じＯＦＤＭシンボルで受信される。一部の実施形態で、ＵＥはステップ１９２０で複数のパネルをそれぞれ含む少なくとも２つの送信及び受信ポイント（ＴＲＰ）から少なくとも２つの送信ビームのグループに含まれる送信信号を受信する。
【０２５８】
次いで、ステップ１９１０で少なくとも２つの送信ビームのグループがＢＳからの基準信号（ＲＳ）を介して送信される。ＵＥはステップ１９２０でＢＳから構成情報を受信する。構成情報は少なくとも２つの送信ビームのグループに対する選択制約条件を含む。
【０２５９】
次いで、ＵＥはステップ１９３０で少なくとも２つの送信ビームのグループの各々から少なくとも１つの送信ビームを測定する。ステップ１９３０では、ステップ１９２０でＢＳから受信された構成情報に基づいてビーム測定が行われる。一部の実施形態で、ＵＥはステップ１９３０で構成情報に基づいて少なくとも２つの送信ビームのグループを測定する。
【０２６０】
次に、ＵＥはステップ１９４０で受信ビームと同じ受信ビームセットを選択する。受信ビームは測定されたビームのそれぞれに対応する。一部の実施形態で、受信ビームセットは少なくとも１つのアンテナパネル又はアンテナアレイに対応する少なくとも１つの受信ビームを含む。具体的に、ステップ１９４０での選択は少なくとも２つの送信ビームのグループの各々に対して行われる。一部の実施形態で、ＵＥはステップ１９４０でネットワーク要素の内の少なくとも１つによって構成された選択制約条件に基づいて少なくとも２つの送信ビームのグループから少なくとも１つのビームを選択する。
【０２６１】
最後に、ＵＥは、ステップ１９５０で、選択された送信ビームの情報及び受信ビームに対応する選択された同じ受信ビームセットの情報を含む報告メッセージを送信する。一部の実施形態で、ＵＥはステップ１９５０でＢＳから受信された構成情報に基づいて少なくとも２つの送信ビームのグループの各々に関連付けられた情報を生成し、少なくとも２つの送信ビームのグループの各々の情報を含む報告メッセージを送信する。一部の実施形態で、該情報は、サービンググループ及びコンパニオングループにそれぞれ対応する異なる品質の送信信号を含む。一部の実施形態で、ＵＥはステップ１９５０で少なくとも１つのＴＲＰに関連付けられた送信信号の情報を含む報告メッセージを送信する。このような実施形態で、ジョイントトランスミッション（ｊｏｉｎｔ  ｔｒａｎｓｍｉｓｓｉｏｎ：ＪＴ）、動的送信ポイント切替（ｄｙｎａｍｉｃ  ｐｏｉｎｔ  ｓｅｌｅｃｔｉｏｎ：ＤＰＳ）、又は干渉制御が少なくとも２つのＴＲＰに適用される。
【０２６２】
多様な実施形態によると、無線通信システムにおけるビーム管理のためのユーザ装置（ＵＥ）の方法は、基地局（ＢＳ）から、異なるアンテナパネルから生成された送信（ｔｒａｎｓｍｉｔ：Ｔｘ）信号を含む少なくとも２つの送信ビームのグループを受信するステップであって、基準信号を介して送信される少なくとも２つの送信ビームのグループを受信するステップと、少なくとも２つの送信ビームのグループに対する選択制約条件を含む構成情報をＢＳから受信するステップと、構成情報に基づいて少なくとも２つの送信ビームのグループから少なくとも１つの送信ビームを測定するステップと、少なくとも２つの送信ビームのグループの各々から少なくとも１つの送信ビームを選択し、各々の選択された送信ビームに対応する受信ビームと同じ受信ビームセットを選択するステップと、選択された送信ビーム及び受信ビームに対応する選択された同じ受信ビームセットの情報を含む報告メッセージをＢＳに送信するステップと、を有する。
【０２６３】
多様な実施形態によると、本方法は、基地局によって構成された選択制約条件に基づいて少なくとも２つの送信ビームのグループの各々から少なくとも１つの送信ビームを選択するステップと、ＢＳから受信された構成情報に基づいて少なくとも２つの送信ビームのグループの各々に関連付けられた情報を生成するステップと、少なくとも２つの送信ビームのグループの各々の情報を含む報告メッセージを送信するステップと、を更に含む。
【０２６４】
多様な実施形態によると、情報は少なくとも２つの送信ビームのグループの各々に対応する異なる送信信号の品質をそれぞれ含む。
【０２６５】
多様な実施形態によると、少なくとも２つの送信ビームのグループの各々の送信ビームは異なるアンテナパネルにそれぞれ対応し、少なくとも２つの送信ビームのグループの各々のビームは同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信される。
【０２６６】
多様な実施形態によると、受信ビームセットは、少なくとも１つのアンテナパネル又はアンテナアレイに対応する少なくとも１つの受信ビームを含む。
【０２６７】
多様な実施形態によると、本方法は、複数のパネルをそれぞれ含む少なくとも２つの送受信ポイント（ＴＲＰ）から少なくとも２つのＴＸビームのグループに含まれる送信信号を受信するステップと、構成情報に基づいて少なくとも２つのＴＸビームのグループを特定するステップと、少なくとも１つのＴＲＰに関連付けられた送信信号の情報を含む報告メッセージを送信するステップと、を含む。
【０２６８】
多様な実施形態によると、ジョイントトランスミッション（ＪＴ）、動的送信ポイント切替（ＤＰＳ）、又は干渉制御の内の少なくとも１つが少なくとも２つのＴＲＰに適用される。
【０２６９】
本発明を例示的な実施形態で説明したが、多様な変更及び修正が当業者に提案され得る。本発明は、このような変更及び修正を含むことが意図される。
【符号の説明】
【０２７０】
１００    無線ネットワーク
１０１、１０２、１０３、５３０ａ、５３０ｂ    ｅＮＢ（基地局：ＢＳ）
１１１、１１２、１１３、１１４、１１５、１１６、９２１、９２２、１７１０    ユーザ装置（ＵＥ）
１２０、１２５    カバレッジ領域
１３０    ネットワーク
２０５ａ、２０５ｂ、２０５ｎ、３０５    アンテナ
２１０ａ、２１０ｂ、２１０ｎ、３１０    無線周波数（ＲＦ）送受信機
２１５、３１５    送信（ＴＸ）処理回路
２２０、３２５    受信（ＲＸ）処理回路
２２５    コントローラ／プロセッサ
２３０、３６０    メモリ
２３５    バックホール又はネットワークインタフェース
３２０    マイクロホン
３３０    スピーカ
３４０    プロセッサ
３４５    入／出力（Ｉ／Ｏ）インタフェース（ＩＦ）
３５０    タッチスクリーン
３５５    ディスプレイ
３６１    オペレーティングシステム（ＯＳ）
３６２    アプリケーション
４００    送信経路回路
４０５    チャネルコーディング及び変調ブロック
４１０、４６５    直列−並列（Ｓ−ｔｏ−Ｐ）ブロック
４１５    サイズＮ逆高速フーリエ変換（ＩＦＦＴ）ブロック
４２０、４７５    並列−直列（Ｐ−ｔｏ−Ｓ）ブロック
４２５    サイクリックプレフィックス加算ブロック
４３０    アップ−コンバータ（ＵＣ）
４５０    受信経路回路
４５５    ダウン−コンバータ（ＤＣ）
４６０    サイクリックプレフィックス除去ブロック
４７０    サイズＮ高速フーリエ変換（ＦＦＴ）ブロック
４８０    チャネルデコーディング及び復調ブロック
５００    ネットワークスライシング
５１０    オペレータネットワーク（ＮＷ）
５２０    無線アクセスネットワーク（ＲＡＮ）
５３５ａ、５３５ｂ    小型セル基地局
５４０ａ    ＵＲＬＬ（超高信頼低遅延）スライス
５４５ａ    スマートウォッチ
５４５ｂ    自動車
５４５ｃ    トラック
５４５ｄ    スマートメガネ
５５０ａ、５５０ｂ    ｍＭＴＣ（超大量端末）スライス
５５５ａ    電源
５５５ｂ    温度計
５６０ａ    ｅＭＢＢ（高速大容量）スライス
５６５ａ    スマートフォン
５６５ｂ    ラップトップ
５６５ｃ    タブレット
６００    デジタルチェーン
７００    アナログビームフォーミング
９００    ネットワークノード通信
９０１    セル
９３１、９３２、９３３    ＴＲＰ（送／受信ポイント）サブセット
１０００    単一送／受信ポイント（ＴＲＰ）
１００５、１０１０、１０３１、１０３２、１０３３    （カバレッジ）ビーム
１０１１    第１ＴＲＰ
１０１２    第２ＴＲＰ
１０２１    第１ＵＥ
１０２２    第２ＵＥ
１７００、１７８０    受信（Ｒｘ）モード
１７０１、１７２０、１７３０、１７６０    アナログビーム
１７０５    ５Ｇ基地局（ｇＮＢ）
１７４０、１７５０    受信アンテナパネル
【図１】
2019531637.tif 000053
【図２】
2019531637.tif 000054
【図３】
2019531637.tif 000055
【図４Ａ】
2019531637.tif 000056
【図４Ｂ】
2019531637.tif 000057
【図５】
2019531637.tif 000058
【図６】
2019531637.tif 000059
【図７】
2019531637.tif 000060
【図８】
2019531637.tif 000061
【図９】
2019531637.tif 000062
【図１０Ａ】
2019531637.tif 000063
【図１０Ｂ】
2019531637.tif 000064
【図１０Ｃ】
2019531637.tif 000065
【図１１Ａ】
2019531637.tif 000066
【図１１Ｂ】
2019531637.tif 000067
【図１２】
2019531637.tif 000068
【図１３】
2019531637.tif 000069
【図１４】
2019531637.tif 000070
【図１５】
2019531637.tif 000071
【図１６】
2019531637.tif 000072
【図１７Ａ】
2019531637.tif 000073
【図１７Ｂ】
2019531637.tif 000074
【図１８】
2019531637.tif 000075
【図１９】
2019531637.tif 000076
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
無線通信システムにおける端末（ｕｓｅｒ  ｅｑｕｉｐｍｅｎｔ：ＵＥ）の動作方法であって、
基地局からＣＳＩ（ｃｈａｎｎｅｌ  ｓｔａｔｅ  ｉｎｆｏｒｍａｔｉｏｎ）報告に関する構成情報（ｃｏｎｆｉｇｕｒａｔｉｏｎ  ｉｎｆｏｒｍａｔｉｏｎ）を受信するステップと、
前記構成情報に基づいて報告情報を前記基地局に送信するステップと、を有し、
前記報告情報は、第１送信ビームを示す第１情報及び第２送信ビームを示す第２情報を含み、
前記端末の受信ビームは、前記第１送信ビームに基づく第１信号及び前記第２送信ビームに基づく第２信号を受信するために使用されることを特徴とする方法。
【請求項２】
前記第１送信ビーム及び前記第２送信ビームは、両方とも前記端末の受信ビームに関連付けられることを特徴とする請求項１に記載の方法。
【請求項３】
前記構成情報は、前記端末の同じ受信ビームに関連付けられた少なくとも２つの送信ビームに対する報告を送信するように前記端末を構成するための情報を含み、
前記第１送信ビーム及び前記第２送信ビームは、前記情報に基づいて識別されることを特徴とする請求項１に記載の方法。
【請求項４】
前記基地局から前記第１送信ビームに基づく前記第１信号を受信するステップと、
前記基地局から前記第２送信ビームに基づく前記第２信号を受信するステップと、を更に含み、
前記第１送信ビームに基づく信号及び前記第２送信ビームに基づく信号は、前記端末の受信ビームに基づいて同じ時間ユニットで前記基地局によって受信されることを特徴とする請求項１に記載の方法。
【請求項５】
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を前記構成情報に基づいて前記基地局に送信するステップを更に含むことを特徴とする請求項１に記載の方法。
【請求項６】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項５に記載の方法。
【請求項７】
前記第１送信ビームに基づく信号及び前記第２送信ビームに基づく信号は、前記端末の受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項１に記載の方法。
【請求項８】
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ  ｉｎｆｏｒｍａｔｉｏｎ）を前記基地局に伝送するステップを更に含むことを特徴とする請求項１に記載の方法。
【請求項９】
無線通信システムにおける基地局（ｂａｓｅ  ｓｔａｔｉｏｎ：ＢＳ）の動作方法であって、
端末（ｕｓｅｒ  ｅｑｕｉｐｍｅｎｔ：ＵＥ）にＣＳＩ（ｃｈａｎｎｅｌ  ｓｔａｔｅ  ｉｎｆｏｒｍａｔｉｏｎ）報告に関する構成情報を送信するステップと、
前記端末から前記構成情報に基づく報告情報を受信するステップと、を有し、
前記報告情報は、第１送信ビームを示す第１情報及び第２送信ビームを示す第２情報を含み、
前記端末の受信ビームは、前記第１送信ビームに基づく第１信号及び前記第２送信ビームに基づく第２信号を受信するために使用されることを特徴とする方法。
【請求項１０】
前記第１送信ビーム及び前記第２送信ビームは、両方とも前記端末の受信ビームに関連付けられることを特徴とする請求項９に記載の方法。
【請求項１１】
前記構成情報は、前記端末の同じ受信ビームに関連付けられた少なくとも２つの送信ビームに対する報告を送信するように前記端末を構成するための情報を含み、
前記第１送信ビーム及び前記第２送信ビームは、前記情報に基づいて識別されることを特徴とする請求項９に記載の方法。
【請求項１２】
前記端末に前記第１送信ビームに基づいて前記第１信号を送信するステップと、
前記端末に前記第２送信ビームに基づいて前記第２信号を送信するステップと、を更に含み、
前記第１送信ビームに基づく信号及び前記第２送信ビームに基づく信号は、前記端末の受信ビームに基づいて同じ時間ユニットで前記基地局によって受信されることを特徴とする請求項９に記載の方法。
【請求項１３】
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を前記構成情報に基づいて前記端末から受信するステップを更に含むことを特徴とする請求項９に記載の方法。
【請求項１４】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項１３に記載の方法。
【請求項１５】
前記第１送信ビームに基づく信号及び前記第２送信ビームに基づく信号は、前記端末の受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項９に記載の方法。
【請求項１６】
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙｉｎｆｏｒｍａｔｉｏｎ）を前記端末から受信するステップを更に含むことを特徴とする請求項９に記載の方法。
【請求項１７】
無線通信システムにおける端末（ｕｓｅｒ  ｅｑｕｉｐｍｅｎｔ：ＵＥ）の装置であって、
少なくとも１つの送受信機と、
前記少なくとも１つの送受信機に動作可能に（ｏｐｅｒａｌｂｌｙ）接続された少なくとも１つのプロセッサと、を備え、
前記少なくとも１つのプロセッサは、
基地局からＣＳＩ（ｃｈａｎｎｅｌ  ｓｔａｔｅ  ｉｎｆｏｒｍａｔｉｏｎ）報告に関する構成情報（ｃｏｎｆｉｇｕｒａｔｉｏｎ  ｉｎｆｏｒｍａｔｉｏｎ）を受信し、
前記構成情報に基づいて報告情報を前記基地局に送信するように制御し、
前記報告情報は、第１送信ビームを示す第１情報及び第２送信ビームを示す第２情報を含み、
前記端末の受信ビームは、前記第１送信ビームに基づく第１信号及び前記第２送信ビームに基づく第２信号を受信するために使用されることを特徴とする装置。
【請求項１８】
前記第１送信ビーム及び前記第２送信ビームは、両方とも前記端末の受信ビームに関連付けられることを特徴とする請求項１７に記載の装置。
【請求項１９】
前記構成情報は、前記端末の同じ受信ビームに関連付けられた少なくとも２つの送信ビームに対する報告を送信するように前記端末を構成するための情報を含み、
前記第１送信ビーム及び前記第２送信ビームは、前記情報に基づいて識別されることを特徴とする請求項１７に記載の装置。
【請求項２０】
前記少なくとも１つのプロセッサは、
前記基地局から前記第１送信ビームに基づく前記第１信号を受信し、
前記基地局から前記第２送信ビームに基づく前記第２信号を受信するように更に制御し、
前記第１送信ビームに基づく信号及び前記第２送信ビームに基づく信号は、前記端末の受信ビームに基づいて同じ時間ユニットで前記基地局によって受信されることを特徴とする請求項１７に記載の装置。
【請求項２１】
前記少なくとも１つのプロセッサは、
前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を前記構成情報に基づいて前記基地局に送信するように更に制御することを特徴とする請求項１７に記載の装置。
【請求項２２】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項２１に記載の装置。
【請求項２３】
前記第１送信ビームに基づく信号及び前記第２送信ビームに基づく信号は、前記端末の受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項１７に記載の装置。
【請求項２４】
前記少なくとも１つのプロセッサは、
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ  ｉｎｆｏｒｍａｔｉｏｎ）を前記基地局に伝送するように更に制御することを特徴とする請求項１７に記載の装置。
【請求項２５】
無線通信システムにおける基地局（ｂａｓｅ  ｓｔａｔｉｏｎ：ＢＳ）の動作装置であって、
少なくとも１つの送受信機と、
前記少なくとも１つの送受信機に動作可能に（ｏｐｅｒａｌｂｌｙ）接続された少なくとも１つのプロセッサと、を備え、
前記少なくとも１つのプロセッサは、
端末（ｕｓｅｒ  ｅｑｕｉｐｍｅｎｔ：ＵＥ）にＣＳＩ（ｃｈａｎｎｅｌ  ｓｔａｔｅ  ｉｎｆｏｒｍａｔｉｏｎ）報告に関する構成情報を送信し、
前記端末から前記構成情報に基づく報告情報を受信するように制御し、
前記報告情報は、第１送信ビームを示す第１情報及び第２送信ビームを示す第２情報を含み、
前記端末の受信ビームは、前記第１送信ビームに基づく第１信号及び前記第２送信ビームに基づく第２信号を受信するために使用されることを特徴とする装置。
【請求項２６】
前記第１送信ビーム及び前記第２送信ビームは、両方とも前記端末の受信ビームに関連付けられることを特徴とする請求項２５に記載の装置。
【請求項２７】
前記構成情報は、前記端末の同じ受信ビームに関連付けられた少なくとも２つの送信ビームに対する報告を送信するように前記端末を構成するための情報を含み、
前記第１送信ビーム及び前記第２送信ビームは、前記情報に基づいて識別されることを特徴とする請求項２５に記載の装置。
【請求項２８】
前記少なくとも１つのプロセッサは、
前記端末に前記第１送信ビームに基づいて前記第１信号を送信し、
前記端末に前記第２送信ビームに基づいて前記第２信号を送信するように更に制御し、
前記第１送信ビームに基づく信号及び前記第２送信ビームに基づく信号は、前記端末の受信ビームに基づいて同じ時間ユニットで前記基地局によって受信されることを特徴とする請求項２５に記載の装置。
【請求項２９】
前記少なくとも１つのプロセッサは、  前記第１送信ビームに基づく基準チャネル品質を示す基準ＲＳＲＰ（ｒｅｆｅｒｅｎｃｅ  ｓｉｇｎａｌ  ｒｅｃｅｉｖｅｄ  ｐｏｗｅｒ）値、及び前記第２送信ビームに基づくチャネル品質と前記基準チャネル品質との差を示す差動（ｄｉｆｆｅｒｅｎｔｉａｌ）ＲＳＲＰ値を含む情報を前記構成情報に基づいて前記端末から受信するように更に制御することを特徴とする請求項２５に記載の装置。
【請求項３０】
前記第１送信ビームは、前記基地局の複数の送信ビームの中から識別され、
前記ＲＳＲＰ値は、前記複数の送信ビームに対する複数のＲＳＲＰ値の中の最大値であることを特徴とする請求項２９に記載の装置。
【請求項３１】
前記第１送信ビームに基づく信号及び前記第２送信ビームに基づく信号は、前記端末の受信ビームに基づいて同じＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで受信され、
前記構成情報は、送信ビームを示すリソース及びＲＳＲＰ（ｒｅｆｅｒｅｎｃｅ  ｓｉｇｎａｌ  ｒｅｃｅｉｖｅｄ  ｐｏｗｅｒ）値を含むチャネル状態情報を送信するように前記端末を構成するための情報を含み、
前記構成情報は、ＲＲＣ（ｒａｄｉｏ  ｒｅｓｏｕｒｃｅ  ｃｏｎｔｒｏｌ）によって伝送されることを特徴とする請求項２５に記載の装置。
【請求項３２】
前記少なくとも１つのプロセッサは、
前記端末が２つの基準信号に対するＲＳＲＰ（ｒｅｆｅｒｅｎｃｅ  ｓｉｇｎａｌ  ｒｅｃｅｉｖｅｄ  ｐｏｗｅｒ）報告をサポートするか否かを示す能力情報（ｃａｐａｂｉｌｉｔｙ  ｉｎｆｏｒｍａｔｉｏｎ）を前記端末から受信するように更に制御することを特徴とする請求項２５に記載の装置。
【手続補正３】
【補正対象書類名】明細書
【補正対象項目名】０００１
【補正方法】変更
【補正の内容】
【０００１】
本発明は、一般的に進歩した通信システムに関し、より詳細には、無線通信システムにおける端末（ｕｓｅｒ  ｅｑｕｉｐｍｅｎｔ：ＵＥ）及び基地局（ｂａｓｅ  ｓｔａｔｉｏｎ：ＢＳ）の動作方法及び装置に関する。
【手続補正４】
【補正対象書類名】明細書
【補正対象項目名】０００８
【補正方法】変更
【補正の内容】
【０００８】
本発明は、上記従来技術に鑑みてなされたものであって、本発明の目的は、無線通信システムにおける端末（ＵＥ）及び基地局（ＢＳ）の動作方法及び装置を提供することにある。
【手続補正５】
【補正対象書類名】明細書
【補正対象項目名】０００９
【補正方法】変更
【補正の内容】
【０００９】
上記目的を達成するためになされた本発明の一態様による無線通信システムにおける端末（ｕｓｅｒ  ｅｑｕｉｐｍｅｎｔ：ＵＥ）の動作方法は、基地局からＣＳＩ（ｃｈａｎｎｅｌ  ｓｔａｔｅ  ｉｎｆｏｒｍａｔｉｏｎ）報告に関する構成情報（ｃｏｎｆｉｇｕｒａｔｉｏｎ  ｉｎｆｏｒｍａｔｉｏｎ）を受信するステップと、前記構成情報に基づいて報告情報を前記基地局に送信するステップと、を有し、前記報告情報は、第１送信ビームを示す第１情報及び第２送信ビームを示す第２情報を含み、前記端末の受信ビームは、前記第１送信ビームに基づく第１信号及び前記第２送信ビームに基づく第２信号を受信するために使用される。
【手続補正６】
【補正対象書類名】明細書
【補正対象項目名】００１０
【補正方法】変更
【補正の内容】
【００１０】
上記目的を達成するためになされた本発明の一態様による無線通信システムにおける基地局（ｂａｓｅ  ｓｔａｔｉｏｎ：ＢＳ）の動作方法は、端末（ｕｓｅｒ  ｅｑｕｉｐｍｅｎｔ：ＵＥ）にＣＳＩ（ｃｈａｎｎｅｌ  ｓｔａｔｅ  ｉｎｆｏｒｍａｔｉｏｎ）報告に関する構成情報を送信するステップと、前記端末から前記構成情報に基づく報告情報を受信するステップと、を有し、前記報告情報は、第１送信ビームを示す第１情報及び第２送信ビームを示す第２情報を含み、前記端末の受信ビームは、前記第１送信ビームに基づく第１信号及び前記第２送信ビームに基づく第２信号を受信するために使用される。
【手続補正７】
【補正対象書類名】明細書
【補正対象項目名】００１１
【補正方法】変更
【補正の内容】
【００１１】
上記目的を達成するためになされた本発明の一態様による無線通信システムにおける端末（ｕｓｅｒ  ｅｑｕｉｐｍｅｎｔ：ＵＥ）の装置は、少なくとも１つの送受信機と、前記少なくとも１つの送受信機に動作可能に（ｏｐｅｒａｌｂｌｙ）接続された少なくとも１つのプロセッサと、を備え、前記少なくとも１つのプロセッサは、基地局からＣＳＩ（ｃｈａｎｎｅｌ  ｓｔａｔｅ  ｉｎｆｏｒｍａｔｉｏｎ）報告に関する構成情報（ｃｏｎｆｉｇｕｒａｔｉｏｎ  ｉｎｆｏｒｍａｔｉｏｎ）を受信し、前記構成情報に基づいて報告情報を前記基地局に送信するように制御し、前記報告情報は、第１送信ビームを示す第１情報及び第２送信ビームを示す第２情報を含み、前記端末の受信ビームは、前記第１送信ビームに基づく第１信号及び前記第２送信ビームに基づく第２信号を受信するために使用される。
【手続補正８】
【補正対象書類名】明細書
【補正対象項目名】００１２
【補正方法】変更
【補正の内容】
【００１２】
上記目的を達成するためになされた本発明の一態様による無線通信システムにおける基地局（ｂａｓｅ  ｓｔａｔｉｏｎ：ＢＳ）の動作装置は、少なくとも１つの送受信機と、前記少なくとも１つの送受信機に動作可能に（ｏｐｅｒａｌｂｌｙ）接続された少なくとも１つのプロセッサと、を備え、前記少なくとも１つのプロセッサは、端末（ｕｓｅｒ  ｅｑｕｉｐｍｅｎｔ：ＵＥ）にＣＳＩ（ｃｈａｎｎｅｌ  ｓｔａｔｅ  ｉｎｆｏｒｍａｔｉｏｎ）報告に関する構成情報を送信し、前記端末から前記構成情報に基づく報告情報を受信するように制御し、前記報告情報は、第１送信ビームを示す第１情報及び第２送信ビームを示す第２情報を含み、前記端末の受信ビームは、前記第１送信ビームに基づく第１信号及び前記第２送信ビームに基づく第２信号を受信するために使用される。
【国際調査報告】
2019531637.tif 000077
2019531637.tif 000078